(57)【要約】  時間領域リソース割り当て・決定方法、装置、基地局、端末および記憶媒体を開示し、時間領域リソース割り当て方法は、元帯域幅パートリソースとターゲット帯域幅パートリソースに基づいて今回の帯域幅パートリソース切り替えに必要な切り替えタイムスロット数を決定し、前記元帯域幅パートリソース、前記ターゲット帯域幅パートリソースは、それぞれ、端末が今回の帯域幅パートリソース切り替えの前又は後に使用する帯域幅パートリソースであることと、前記切り替えタイムスロット数と基本タイムスロットズレに基づいて前記ターゲット帯域幅パートリソースを採用してデータ伝送を行うターゲットタイムスロットズレを決定し、前記基本タイムスロットズレは、基地局が送信する伝送指示情報に運ばれる時間領域リソース割り当て指示情報に基づいて決定することと、を含む。【選択図】図１
2021521731.tif 000002
【特許請求の範囲】
【請求項１】
元帯域幅パートリソースとターゲット帯域幅パートリソースに基づいて今回の帯域幅パートリソース切り替えに必要な切り替えタイムスロット数を決定し、前記元帯域幅パートリソース、前記ターゲット帯域幅パートリソースは、それぞれ、端末が今回の帯域幅パートリソース切り替えの前又は後に使用する帯域幅パートリソースであることと、
前記切り替えタイムスロット数と基本タイムスロットズレに基づいて前記ターゲット帯域幅パートリソースを採用してデータ伝送を行うターゲットタイムスロットズレを決定し、前記基本タイムスロットズレは、基地局が送信する伝送指示情報に運ばれる時間領域リソース割り当て指示情報に基づいて決定することと、を含む、時間領域リソース決定方法。
【請求項２】
前記元帯域幅パートリソースとターゲット帯域幅パートリソースに基づいて今回の帯域幅パートリソース切り替えに必要な切り替えタイムスロット数を決定することは、
前記元帯域幅パートリソースの構成パラメータと前記ターゲット帯域幅パートリソースの構成パラメータに基づいて現在の切り替えシーンを決定することと、
予め記憶した切り替えシーンと切り替え時間長のマッピング関係に基づいて現在の切り替えシーンに対応する切り替え時間長を決定することと、
前記切り替え時間長と前記ターゲット帯域幅パートリソースの構成パラメータに基づいて今回の帯域幅パートリソース切り替えに必要な切り替えタイムスロット数を決定することと、を含む、請求項１に記載の時間領域リソース決定方法。
【請求項３】
前記ターゲット帯域幅パートリソースの構成パラメータは、前記ターゲット帯域幅パートリソースのサブキャリア間隔を含み、前記切り替え時間長と前記ターゲット帯域幅パートリソースの構成パラメータに基づいて今回の帯域幅パートリソース切り替えに必要な切り替えタイムスロット数を決定することは、
前記ターゲット帯域幅パートリソースのサブキャリア間隔に対応するタイムスロット長を決定することと、
前記切り替え時間長と前記タイムスロット長の比を切り上げて今回の帯域幅パートリソース切り替えに必要な切り替えタイムスロット数を得ることと、を含む、請求項２に記載の時間領域リソース決定方法。
【請求項４】
前記時間領域リソース割り当て指示情報は、時間領域リソース割り当て指示ドメインを含み、前記時間領域リソース割り当て指示ドメインは、時間領域リソース割り当てテーブルのうちの少なくとも２つの基本タイムスロットズレのうちの１つを指定することに用いられ、前記切り替えタイムスロット数と基本タイムスロットズレに基づいて前記ターゲット帯域幅パートリソースを採用してデータ伝送を行うターゲットタイムスロットズレを決定する前に、
前記時間領域リソース割り当て指示ドメインの指示に基づき、時間領域リソース割り当てテーブルから前記基地局が指定する基本タイムスロットズレを決定することをさらに含む、請求項１に記載の時間領域リソース決定方法。
【請求項５】
前記元帯域幅パートリソースとターゲット帯域幅パートリソースに基づいて今回の帯域幅パートリソース切り替えに必要な切り替えタイムスロット数を決定する前に、
前記伝送指示情報におけるアンテナポートドメインのサイズが最大値である状況に従い、前記伝送指示情報に対してブラインド検出を行う方法１と、
マッピングタイプ１とマッピングタイプ２に対応する復調参照信号ＤＭＲＳ構成パラメータをそれぞれ照会し、
前記マッピングタイプ１とマッピングタイプ２に対応するＤＭＲＳ構成パラメータのうち、アンテナポートドメインに関するパラメータが同じである場合、前記マッピングタイプ１とマッピングタイプ２のうちのいずれかに対応するアンテナポートドメインのサイズに従って前記伝送指示情報に対してブラインド検出を行い、
前記マッピングタイプ１とマッピングタイプ２に対応するＤＭＲＳ構成パラメータのうち、アンテナポートドメインに関するパラメータが異なる場合、２つのマッピングタイプに対応するアンテナポートドメインのサイズのうちの大きいほうに従って前記伝送指示情報に対してブラインド検出を行う方法２と、
の２つの方法のいずれか１つを採用して前記元帯域幅パートリソースに対してブラインド検出を行い、伝送指示情報を取得することをさらに含む、請求項１に記載の時間領域リソース決定方法。
【請求項６】
現在データ受信が必要な場合、前記ＤＭＲＳ構成パラメータのうち、アンテナポートドメインに関するパラメータが、ＤＭＲＳタイプと、ＤＭＲＳ最大長とを含み、
現在データ送信が必要な場合、前記ＤＭＲＳ構成パラメータのうち、アンテナポートドメインに関するパラメータが、ＤＭＲＳタイプと、ＤＭＲＳ最大長と、ＰＵＳＣＨ−ｔｐイネーブル値とを含む、請求項５に記載の時間領域リソース決定方法。
【請求項７】
前記基本タイムスロットズレは、上り基本タイムスロットズレまたは下り基本タイムスロットズレを含む、請求項１〜６のいずれか１項に記載の時間領域リソース決定方法。
【請求項８】
前記伝送指示情報は、下りリンク制御情報ＤＣＩを含む、請求項１〜６のいずれか１項に記載の時間領域リソース決定方法。
【請求項９】
今回の帯域幅パートリソース切り替え後に伝送に使用されるターゲット帯域幅パートリソースを決定することと、
前記ターゲット帯域幅パートリソースインデックス識別と時間領域リソース割り当て指示情報とを含む伝送指示情報を端末に送信することと、を含む、時間領域リソース割り当て方法。
【請求項１０】
前記時間領域リソース割り当て指示情報は、時間領域リソース割り当て指示ドメインを含み、前記時間領域リソース割り当て指示ドメインは、時間領域リソース割り当てテーブルのうちの少なくとも２つの基本タイムスロットズレのうちの１つを指定することに用いられる、請求項９に記載の時間領域リソース割り当て方法。
【請求項１１】
元帯域幅パートリソースとターゲット帯域幅パートリソースに基づいて今回の帯域幅パートリソース切り替えに必要な切り替えタイムスロット数を決定し、前記元帯域幅パートリソース、前記ターゲット帯域幅パートリソースは、それぞれ、端末が今回の帯域幅パートリソース切り替えの前又は後に使用する帯域幅パートリソースであるように設定される切り替え決定ユニットと、
前記切り替えタイムスロット数と基本タイムスロットズレに基づいて前記ターゲット帯域幅パートリソースを採用してデータ伝送を行うターゲットタイムスロットズレを決定し、前記基本タイムスロットズレは、基地局が送信する伝送指示情報に運ばれる時間領域リソース割り当て指示情報に基づいて決定するように設定されるターゲットタイムスロット決定ユニットと、を含む、時間領域リソース決定装置。
【請求項１２】
今回の帯域幅パートリソース切り替え後に伝送に使用されるターゲット帯域幅パートリソースを決定するように設定される切り替え決定ユニットと、
前記ターゲット帯域幅パートリソースインデックス識別と時間領域リソース割り当て指示情報とを含む伝送指示情報を端末に送信するように設定される指示伝送ユニットと、を含む、時間領域リソース割り当て装置。
【請求項１３】
プロセッサ、メモリ、通信装置および通信バスを含む基地局であって、
前記通信バスは、プロセッサとメモリ、前記プロセッサと前記通信装置の接続及び通信を実現するように設定され、
前記プロセッサはメモリに記憶されている少なくとも１つのプログラムを実行するように設定されることによって請求項９または１０に記載の時間領域リソース割り当て方法を実現する、基地局。
【請求項１４】
プロセッサ、メモリ、通信装置および通信バスを含む端末であって、
前記通信バスは、プロセッサとメモリ、前記プロセッサと前記通信装置の接続及び通信を実現するように設定され、
前記プロセッサはメモリに記憶されている少なくとも１つのプログラムを実行するように設定されることによって請求項１〜８のいずれか１項に記載の時間領域リソース決定方法を実現する、端末。
【請求項１５】
時間領域リソース割り当てプログラムと、時間領域リソース決定プログラムのうちの少なくとも１つを記憶している記憶媒体であって、前記時間領域リソース割り当てプログラムが少なくとも１つのプロセッサに実行されることによって請求項９または１０に記載の時間領域リソース割り当て方法を実現し、前記時間領域リソース決定プログラムは少なくとも１つのプロセッサに実行されることによって請求項１〜８のいずれか１項に記載の時間領域リソース決定方法を実現する、記憶媒体。
【発明の詳細な説明】
【技術分野】
【０００１】
（関連出願の相互参照）
本出願は、出願番号２０１８１０４４９６０７．６、出願日２０１８年５月１１日の中国特許出願に基づいて提出し、該中国特許出願の優先権を主張するものであり、該中国特許出願の全ての内容が引用により本出願に援用される。
【０００２】
（技術分野）
本出願は、通信分野に関し、例えば、時間領域リソース割り当て・決定方法、装置、基地局、端末および記憶媒体に関する。
【背景技術】
【０００３】
第５世代移動通信（５ｔｈ  Ｇｅｎｅｒａｔｉｏｎ、５Ｇ）技術は、ユーザ機器（Ｕｓｅｒ  Ｅｑｕｉｐｍｅｎｔ、ＵＥ）の消費エネルギーを低減するために、帯域幅パート（Ｂａｎｄｗｉｄｔｈ  Ｐａｒｔ、ＢＷＰ）の概念を導入した。基地局は、まずＵＥのために１グループのＢＷＰを構成し、その後、基地局は、下り制御情報によってＢＷＰを動的に切り替えることをＵＥに指示することができる。ＵＥは、元ＢＷＰからターゲットＢＷＰへの切り替えを完了するために一定の時間が必要であるため、基地局が時間領域リソース割り当てを行う際には、十分なＢＷＰ切り替え時間数を確保する必要があり、そうでなければ、ＵＥのＢＷＰ切り替えは失敗する。ただし、関連する態様では、時間領域リソース割り当てテーブルに、切り替えが発生した後のターゲットタイムスロットズレを指定するために、切り替え専用指示行を設定する必要があるため、切り替えが発生したか否かに係らず、時間領域リソース割り当てテーブルには常に１つ以上の切り替え専用指示行が存在する。時間領域リソース割り当てテーブルの行数が限られており、切り替え専用指示行を設定した後、他の伝送の指示情報を運べる利用可能な行が少なくなり、他の伝送の指示情報に対する伝送をある程度制限した。
【発明の概要】
【発明が解決しようとする課題】
【０００４】
本発明実施例によって提供される時間領域リソース割り当て・決定方法、装置、基地局、端末および記憶媒体は、主に以下の技術的問題を解決する。現段階で提案されている基地局がＢＷＰの時間領域リソース割り当てテーブルに切り替え専用指示行を設定して帯域幅パートリソース切り替えの場合のターゲットタイムスロットズレを指定する態様は、時間領域リソース割り当てテーブルの行を大量に占有する必要があり、他の伝送の指示情報の伝送を制限し、リソースの最適化構成に不利である。
【課題を解決するための手段】
【０００５】
上述した技術的問題を解決するために、本発明実施例は、
元帯域幅パートリソースとターゲット帯域幅パートリソースに基づいて今回の帯域幅パートリソース切り替えに必要な切り替えタイムスロット数を決定し、前記元帯域幅パートリソース、前記ターゲット帯域幅パートリソースは、それぞれ、端末が今回の帯域幅パートリソース切り替えの前又は後に使用する帯域幅パートリソースであることと、
前記切り替えタイムスロット数と基本タイムスロットズレに基づいて前記ターゲット帯域幅パートリソースを採用してデータ伝送を行うターゲットタイムスロットズレを決定し、前記基本タイムスロットズレは、基地局が送信する伝送指示情報に運ばれる時間領域リソース割り当て指示情報に基づいて決定することと、を含む、時間領域リソース決定方法を提供する。
【０００６】
本発明実施例は、
今回の帯域幅パートリソース切り替え後に伝送に使用されるターゲット帯域幅パートリソースを決定することと、
前記ターゲット帯域幅パートリソースインデックス識別と時間領域リソース割り当て指示情報とを含む伝送指示情報を端末に送信することと、を含む、時間領域リソース割り当て方法をさらに提供する。
【０００７】
本発明実施例は、
元帯域幅パートリソースとターゲット帯域幅パートリソースに基づいて今回の帯域幅パートリソース切り替えに必要な切り替えタイムスロット数を決定し、前記元帯域幅パートリソース、前記ターゲット帯域幅パートリソースは、それぞれ、端末が今回の帯域幅パートリソース切り替えの前又は後に使用する帯域幅パートリソースであるように設定される切り替え決定ユニットと、
前記切り替えタイムスロット数と基本タイムスロットズレに基づいて前記ターゲット帯域幅パートリソースを採用してデータ伝送を行うターゲットタイムスロットズレを決定し、前記基本タイムスロットズレは、基地局が送信する伝送指示情報に運ばれる時間領域リソース割り当て指示情報に基づいて決定するように設定されるターゲットタイムスロット決定ユニットと、を含む、時間領域リソース決定装置をさらに提供する。
【０００８】
本発明実施例は、
今回の帯域幅パートリソース切り替え後に伝送に使用されるターゲット帯域幅パートリソースを決定するように設定される切り替え決定ユニットと、
前記ターゲット帯域幅パートリソースインデックス識別と時間領域リソース割り当て指示情報とを含む伝送指示情報を端末に送信するように設定される指示伝送ユニットと、を含む、時間領域リソース割り当て装置をさらに提供する。
【０００９】
本発明実施例は、プロセッサ、メモリ、通信装置および通信バスを含む基地局であって、
通信バスは、プロセッサとメモリ、プロセッサと通信装置の接続及び通信を実現するように設定され、
プロセッサはメモリに記憶されている少なくとも１つのプログラムを実行するように設定されることによって上述したいずれか１項の時間領域リソース割り当て方法を実現する、基地局をさらに提供する。
【００１０】
本発明実施例は、プロセッサ、メモリ、通信装置および通信バスを含む端末であって、
通信バスは、プロセッサとメモリ、プロセッサと通信装置の接続及び通信を実現することに用いられ、
プロセッサはメモリに記憶されている少なくとも１つのプログラムを実行することに用いられることによって上述したいずれか１項の時間領域リソース決定方法を実現する、端末をさらに提供する。
【００１１】
本発明実施例は、時間領域リソース割り当てプログラムと、時間領域リソース決定プログラムのうちの少なくとも１つを記憶している記憶媒体であって、時間領域リソース割り当てプログラムが少なくとも１つのプロセッサに実行されることによって上述したいずれか１項の時間領域リソース割り当て方法を実現し、時間領域リソース決定プログラムは少なくとも１つのプロセッサに実行されることによって上述したいずれか１項の時間領域リソース決定方法を実現する、記憶媒体をさらに提供する。
【発明の効果】
【００１２】
本発明実施例は、時間領域リソース割り当て・決定方法、装置、基地局、端末および記憶媒体を提供し、ＢＷＰの時間領域リソース割り当てテーブルに切り替え専用指示行を設定すると、他の伝送指示情報の伝送を制限することになりやすく、リソースの最適化構成に不利である問題に対し、本発明実施例に係る態様では、端末とデータ伝送を行う帯域幅パートリソースに対して帯域幅パートリソースを切り替える必要がある場合、基地局は、切り替え後に伝送に使用されるターゲット帯域幅パートリソースを決定し、ターゲット帯域幅パートリソースインデックス識別を含む伝送指示情報を端末に送信してもよい。端末は伝送指示情報を受信した後、ターゲット帯域幅パートリソースと元帯域幅パートリソースに基づいて今回の帯域幅パートリソース切り替えに必要な切り替えタイムスロット数を決定してもよく、これにより、切り替えタイムスロット数と基地局が指定した基本タイムスロットズレに基づいてターゲットタイムスロットズレを決定する。本発明実施例に係る態様では、帯域幅パートリソースを切り替える時に、端末は自ら基地局が提供した情報に基づいて切り替えタイムスロット数を決定し、基地局が指示した基本タイムスロットズレに関連してターゲットタイムスロットズレを決定してもよく、時間領域リソース割り当てテーブルにおける切り替え専用指示行に依存する必要がない。したがって、本発明実施例に係る態様に基づくと、時間領域リソース割り当てテーブルにおいて、切り替え専用指示行として１つ以上の行を採用する必要がなく、これは帯域幅パートリソース切り替えが時間領域リソース割り当てテーブルに対する占有を大きく低減し、時間領域リソース割り当てテーブルにおけるスペースを節約し、他の伝送の情報の伝送により多くの機会を提供し、リソースの最適化構成の実現に有利である。同時に、時間領域リソース割り当てテーブルにおける切り替え専用指示行によってターゲットタイムスロットズレを指示する態様が、帯域幅パートリソース切り替えを行わない時においても、時間領域リソース割り当てテーブルに切り替え専用指示行をリザーブする必要があり、これは大きなリソースの浪費をもたらすため、現段階で提案された態様に対し、本発明実施例に係る態様は、リソース利用率を向上させた。
【００１３】
本出願の他の特徴および対応する有益な効果は、明細書の後ろの部分で説明され、少なくとも部分的な有益な効果は、本出願の明細書の記載から自明になることが理解されるべきである。
【図面の簡単な説明】
【００１４】
【図１】本発明実施例１に係る時間領域リソース割り当てプロセスにおける基地局と端末の相互作用図である。
【図２】本発明実施例１に係る端末ブラインド検出のフローチャートである。
【図３】本発明実施例１に係る端末が、ターゲット帯域幅パートリソースと元帯域幅パートリソースに基づき、切り替えタイムスロットの数を決定するフローチャートである。
【図４】本発明実施例２に係る時間領域リソース割り当て方法のフローチャートである。
【図５】本発明実施例２に係る時間領域リソース決定方法のフローチャートである。
【図６】本発明実施例３に係る時間領域リソース割り当て装置の構造模式図である。
【図７】本発明実施例４に係る時間領域リソース決定装置の構造模式図である。
【図８】本発明実施例４に係る時間領域リソース決定装置の他の構造模式図である。
【図９】本発明実施例５に係る基地局のハードウェア構造模式図である。
【図１０】本発明実施例５に係る端末のハードウェア構造模式図である。
【発明を実施するための形態】
【００１５】
本出願の目的、技術案および利点をより明確にするために、以下、具体的な実施形態と図面を結び付けることにより、本発明実施例に対してより詳しく説明する。ここで説明される具体的な実施例は、本出願を解釈するためにのみ使用され、本出願を限定するために使用されないことを理解すべきである。
【００１６】
実施例１
無線通信技術の発展とユーザの通信需要の増加に伴い、より高くてより速くてより新しい通信ニーズを満たすために、５Ｇ技術は将来のネットワーク発展のトレンドとなっている。従来のロングタームエボリューション技術（Ｌｏｎｇ  Ｔｅｒｍ  Ｅｖｏｌｕｔｉｏｎ、ＬＴＥ）に比べて、５Ｇは多くの面で対応する改良を行った。例えば、通信プロセスにおけるＵＥの消費エネルギーを低減するために、５Ｇにおいて、ＵＥは、伝送する必要があるデータのタイプに応じて対応するＢＷＰを選択することができ、これは、従来のＬＴＥ技術においてＵＥのすべての伝送が同じ帯域幅を使用して不要なエネルギー浪費をもたらしやすい問題を回避するのに役立つ。
【００１７】
ＵＥが伝送する前に、基地局は、ＵＥのために上りリンクのためのＢＷＰと下りリンクのためのＢＷＰとを含む１グループのＢＷＰを構成し、通常、基地局はＵＥのために４つの下りリンクＢＷＰと４つの上りリンクＢＷＰを構成する。サブキャリア間隔（ＳＣＳ）、帯域幅と周波数領域位置などは、異なるＢＷＰに対して独立して構成されてもよく、即ち、異なるＢＷＰは、異なる構成パラメータを有してもよい。基地局は、下り制御情報（Ｄｏｗｎｌｉｎｋ  Ｃｏｎｔｒｏｌ  Ｉｎｆｏｒｍａｔｉｏｎ、ＤＣＩ）によって、伝送に使用されるＢＷＰを動的に切り替えることをＵＥに指示し、ＵＥが異なる伝送需要に応じて適切なＢＷＰに切り替えることができるため、伝送における消費エネルギーを低減することができる。ＢＷＰ切り替えとは、現在使用されているＢＷＰ（説明しやすくするために、以降で「元ＢＷＰ」と呼ぶ）から新しいＢＷＰ（説明しやすくするために、以降で「ターゲットＢＷＰ」と呼ぶ）に変換することである。注意する必要があるのは、受信したＤＣＩに基づいてＢＷＰ切り替えが必要であると決定してから、ターゲットＢＷＰに切り替えるまでのプロセスにおいてＵＥはデータの送受信を行わない。ＢＷＰ切り替えが完了した後でのみ、ＵＥはターゲットＢＷＰでデータ伝送を継続することができる。
【００１８】
ＢＷＰ切り替えには一定の時間が必要であり、基地局が時間領域リソース割り当てを行う際に、ＵＥのために十分な切り替え時間長を確保できないと、ＵＥのＢＷＰ切り替え失敗をもたらすことが理解されるべきである。ＵＥに十分な切り替え時間長を確保するために、現段階で提案された態様は、ＢＷＰの時間領域リソース割り当てテーブルに基地局がＢＷＰ切り替え専用の「切り替え専用指示行」を設定し、基地局は、切り替え専用指示行において、対応する切り替え後のターゲットタイムスロットズレを指示し、該ターゲットタイムスロットズレは、基地局が計算することによって得られ、ＵＥが十分な切り替え時間長を有することを確実にすることができることを理解されるべきである。
【００１９】
基地局がＵＥのために４つの下りリンクＢＷＰを構成した例では、各ＢＷＰの時間領域リソース割り当てテーブルには、いずれも３つの切り替え専用指示行が含まれるべきであり、他の３つのＢＷＰから該ＢＷＰに切り替えるシーンにそれぞれ対応する。例えば、下りリンクの４つのＢＷＰがそれぞれＡ、Ｂ、Ｃ、Ｄである場合、Ａの時間領域リソース割り当てテーブルには、ＢからＡへの切り替えシーンに対応するターゲットタイムスロットズレ、ＣからＡへの切り替えシーンに対応するターゲットタイムスロットズレおよびＤからＡへの切り替えシーンに対応するターゲットタイムスロットズレをそれぞれ指示するために、３つの切り替え専用指示行が設定さ設定される。Ｂの時間領域リソース割り当てテーブルにも、ＡからＢへの切り替えシーンに対応するターゲットタイムスロットズレ、ＣからＢへの切り替えシーンに対応するターゲットタイムスロットズレおよびＤからＢへの切り替えシーンに対応するターゲットタイムスロットズレをそれぞれ指示するために、３つの切り替え専用指示行がある。同様に、ＣとＤの時間領域リソース割り当てテーブルにおいても同様である。したがって、基地局が、両者の間の通信に使用されるＢＷＰをＤからＢに切り替えるようにＵＥに指示する必要がある場合、基地局は、元のＢＷＰ、すなわちＤでＤＣＩ情報をＵＥに送信し、該ＤＣＩ情報では、基地局は、ＵＥがターゲットＢＷＰ、すなわちＢに切り替えるように指示する。同時に、ＵＥに送信されるＤＣＩ情報には、時間領域リソース割り当て指示ドメインを運び、時間領域リソース割り当てテーブルのうちのどの行に基づいてターゲットタイムスロットズレを決定するかを端末に指定するために使用され、このように、ＵＥは、時間領域リソース割り当てテーブルを照会することによってＤからＢに切り替えた後に対応するターゲット時間領域リソースの位置を決定することができる。
【００２０】
時間領域リソース割り当てテーブルの行数は限られており、無限に拡張できないことが理解されるべきである。具体的には、時間領域リソース割り当てテーブルの行数は、ＤＣＩ情報における時間領域リソース割り当て指示ドメインが占めるビット数と関係があってもよく、通常の行数は２ｎであり、ｎはＤＣＩ情報における時間領域リソース割り当て指示ドメインが占めるビット数である。例えば、ｎが２の場合、時間領域リソース割り当てテーブルは４行を有してもよく、ｎが３の場合、時間領域リソース割り当てテーブルは８行を有してもよい。したがって、時間領域リソース割り当てテーブルに各切り替えシーンに対応する切り替え専用指示行が設定された場合、時間領域リソース割り当てテーブルは残りの行を用いて他の伝送の情報を運ぶしかない。引き続き基地局がＵＥのために４つの下りリンクＢＷＰを構成した場合を例として、時間領域リソース割り当てテーブルが４行を含む場合、基地局は残りの１行だけを使用して他の伝送の指示情報を運び、時間領域リソース割り当てテーブルが８行を含む場合、基地局は残りの５行を使用して他の伝送の指示情報を運ぶことができる……これは他の指示情報の伝送を厳しく制限してしまう。さらに、ＤＣＩ情報の時間領域リソース割り当て指示ドメインが１ｂｉｔしか占めない場合、時間領域リソース割り当てテーブルは２行でしかないため、時間領域リソース割り当てテーブルは、必要なすべての切り替え専用指示行をカバーすることすらできない。
【００２１】
上記時間領域リソース割り当て態様では、時間領域リソース割り当てテーブルを占有することによって切り替え専用指示行を設定することによって、他の指示情報の伝送に対して深刻な制限を与えてしまう問題を解決するため、本実施例は、時間領域リソース割り当て方法と時間領域リソース決定方法を提供し、時間領域リソース割り当て方法は基地局側で実行されてもよく、時間領域リソース決定方法は端末側で実行されてもよく、図１を参照し、図１は、基地局が時間領域リソース割り当て方法を実行し、端末が時間領域リソース決定方法を実行し、時間領域リソース割り当てプロセスにおける相互作用を実現する模式図を示した。
【００２２】
Ｓ１０２において、基地局が切り替え後に伝送に使用されるターゲット帯域幅パートリソースを決定する。
【００２３】
基地局と端末の間でデータ伝送を行うプロセスでは、両者の間で伝送されるデータのタイプが絶えず変化する可能性があり、あるデータに対しては大きな帯域幅リソースが必要であり、他のデータによっては帯域幅リソースに対する要求が高くない可能性があり、したがって、端末側でのデータ送受信による消費電力を低減するために、且つ帯域幅リソースを合理的に利用するために、基地局は、現在伝送待ちのデータのタイプに応じて、端末のために構成される各帯域幅パートリソースから、現在伝送待ちのデータの伝送のために１つ以上を合理的に選択する。基地局が再選択した帯域幅パートリソースが、現在使用されている帯域幅パートリソースとは異なる場合、「帯域幅パートリソース切り替え」が必要となり、したがって、帯域幅パートリソース切り替えとは、実際には、現在使用中の「元帯域幅パートリソース」から新たな「ターゲット帯域幅リソース」に切り替えるプロセスを意味する。本実施例で言及された「帯域幅パートリソース」は、実際には連続するリソースブロック（Ｒｅｓｏｕｒｃｅ  Ｂｌｏｃｋ、ＲＢ）リソースを指し、ＢＷＰリソースとも呼ばれる。
【００２４】
基地局が、端末との間で使用される帯域幅パートリソースを切り替える必要があると決定した場合、ターゲット帯域幅パートリソースのインデックス識別を取得する。例えば、基地局と端末との間で下りデータ伝送が間もなく行われるが、基地局は、現在使用されている帯域幅パートリソースＡが不適切であり、帯域幅パートリソースＣを使用する必要があることを発見した場合、基地局は、Ｃをターゲット帯域幅パートリソースとすることを決定し、したがって、ターゲット帯域幅パートリソースのインデックス識別（Ｉｎｄｅｘ）が「ｃ」であることを取得する。
【００２５】
Ｓ１０４において、基地局はターゲット帯域幅パートリソースインデックス識別と時間領域リソース割り当て指示情報とを含む伝送指示情報を端末に送信する。
【００２６】
ターゲット帯域幅パートリソースを決定した後、基地局は、ターゲット帯域幅パートリソースのインデックス識別を運ぶ伝送指示情報を端末に送信する。本実施例では、基地局は元帯域幅パートリソースを使用して端末に該伝送指示情報を送信するため、いくつかの例では、基地局は帯域幅パートリソースＡを使用して伝送指示情報を送信する。本実施例のいくつかの例では、伝送指示情報は、ＤＣＩ、すなわち下りリンク制御情報を含んでもよいが、これに限定されない。
【００２７】
同時に、基地局によって送信される伝送指示情報には、端末に指定する基本タイムスロットズレの時間領域リソース割り当て指示情報がさらに含まれてもよく、基本タイムスロットズレは、端末側が帯域幅パートリソース切り替えに必要な切り替えタイムスロット数を計算した後に、ターゲットタイムスロットズレを計算することに用いられる。基地局は、伝送指示情報（例えば、ＤＣＩ情報）における時間領域リソース割り当て指示ドメインを時間領域リソース割り当て指示情報としてもよく、時間領域リソース割り当て指示ドメインは、時間領域リソース割り当てテーブルと連携して端末に基本タイムスロットズレを指定する。基地局が時間領域リソース割り当てテーブルを構成した後、端末は該時間領域リソース割り当てテーブルを取得してもよく、時間領域リソース割り当てテーブルには、少なくとも２つの基本タイムスロットズレが構成されてもよく、この少なくとも２つの基本タイムスロットズレからどれを選択するかを端末に知らせるために、基地局は、ＤＣＩ情報に時間領域リソース割り当て指示ドメインを運び、該時間領域リソース割り当て指示ドメインは、端末が時間領域リソース割り当てテーブルから基地局によって指定された１つの基本タイムスロットズレを選択できるようにすることができる。例えば、時間領域リソース割り当てテーブルには１６行が含まれており、この１６行は、いずれも構成された基本タイムスロットズレであり、この１６行の各行の一意の識別は、それぞれ、数字「０」、「１」…「１５」である。基地局から端末に送信される伝送指示情報において、時間領域リソース割り当て指示ドメインが対応する値が「２」であると、基地局が端末のために指定した基本タイムスロットズレは、時間領域リソース割り当てテーブルの中で、一意の識別が「２」のものであることを示す。
【００２８】
時間領域リソース割り当てテーブルは、基地局によって構成されるため、不変のままではなく、したがって、基地局が時間領域リソース割り当てテーブルに対する構成が異なると、端末が取得した時間領域リソース割り当てテーブルも異なることが理解できる。基地局と端末の間は、常に現在の時間領域リソース割り当てテーブル、すなわち最新に構成した時間領域リソース割り当てテーブルを利用し、基本タイムスロットズレを決定することが理解できる。
【００２９】
注意する必要があるのは、基本タイムスロットズレは、基地局無線リソース制御（Ｒａｄｉｏ  Ｒｅｓｏｕｒｃｅ  Ｃｏｎｔｒｏｌ、ＲＲＣ）層によって構成され、帯域幅パートリソース切り替えの切り替え時間長とは無関係な時間領域リソース位置であり、帯域幅パートリソース切り替え時にターゲットタイムスロットズレを決定するだけでなく、帯域幅パートリソース切り替えが必要ではない時にターゲットタイムスロットズレを決定するためにも使用してもよい。例えば、基地局と端末の間で、ある帯域幅パートリソースを継続的に使用してデータ伝送を行うプロセスにおいて、基地局が端末に時間領域リソースを割り当てる場合も、時間領域リソース割り当てテーブルによって行われ、この場合、基地局が指定した時間領域リソース割り当てテーブルにおけるある基本タイムスロットズレは、実際にはターゲットタイムスロットズレである。したがって、基本タイムスロットズレは、端末が十分な切り替え時間長を有することを確保する必要はない。基本タイムスロットズレを構成する場合、基地局も、帯域幅パートリソースの切り替えがあるか否かに気にする必要がなく、通常の時間領域リソース構成態様に従って構成すればよい。したがって、現段階で検討された態様において、基地局が切り替え専用指示行において構成した、帯域幅パートリソース切り替えシーンに専用のターゲットタイムスロットズレに対して、本実施例では、基地局が基本タイムスロットズレを構成するのはより簡単であり、帯域幅パートリソース切り替えによる時間制限を考慮する必要はない。
【００３０】
時間領域リソース割り当てテーブルにおいて、基本タイムスロットズレは、上り基本タイムスロットズレまたは下り基本タイムスロットズレを含み、上り基本タイムスロットズレは時間領域リソース割り当てテーブルのＫ２に対応し、下り基本タイムスロットズレは時間領域リソース割り当てテーブルのＫ０に対応する。現在の基地局が端末にデータを送信し、端末がデータを受信する必要がある場合、基地局が時間領域リソース割り当てテーブルから端末に指定する基本タイムスロットズレは、下りに対する下り基本タイムスロットズレ、すなわちＫ０であるべきであり、端末が送信するデータを現在の基地局が受信する場合、時間領域リソース割り当てテーブルを利用して端末に指定する基本タイムスロットズレは、上りに対する上り基本タイムスロットズレ、すなわちＫ２であるべきである。
【００３１】
また、本実施例における時間領域リソース割り当てテーブルが依然として帯域幅パートリソースを単位として設定されており、すなわち、各帯域幅パートリソースはいずれも対応する時間領域リソース割り当てテーブルがある。
【００３２】
Ｓ１０６において、伝送指示情報に基づいて、帯域幅パートリソース切り替えが必要であると決定した場合、端末は、インデックス識別に基づいて帯域幅パートリソース切り替え後に伝送に使用するターゲット帯域幅パートリソースを決定する。
【００３３】
端末は、基地局から送信された伝送指示情報を受信してもよく、該伝送指示情報に運ばれるインデックス識別に基づいて、端末は、現在、帯域幅パートリソース切り替えが必要か否かを決定してもよい。例えば、端末は、元帯域幅パートリソースで「ブラインド検出」を行い、ここでは、元帯域幅パートリソースのインデックス識別が「ａ」であると仮定する。ブラインド検出によって、端末は、基地局が元帯域幅パートリソースＡで送信する伝送指示情報を受信することができ、該伝送指示情報には、ターゲット帯域幅パートリソースのインデックス識別が運ばれる。元帯域幅パートリソースのインデックス識別と伝送指示情報に含まれているインデックス識別とが一致しているか否かを比較することにより、端末は、現在、帯域幅パートリソース切り替えを行う必要があるか否かを決定することができ、両者が一致する場合、帯域幅パートリソース切り替えは必要ではないことを意味するが、比較結果において両者が一致しない場合、端末は、基地局が自ら別の帯域幅パートリソースに切り替えて基地局とデータ伝送を行うように指示したと決定する。この場合、端末は、基地局が指示したターゲット帯域幅パートリソースがどれであるかをさらに決定してもよい。例えば、上記の例では、基地局が伝送指示情報において運ぶインデックス識別が「ｃ」であり、「ｃ」はブラインド検出の対象となる元帯域幅パートリソースＡのインデックス識別「ａ」と一致しないため、端末は、基地局が帯域幅パートリソース切り替えを行うように自分に指示し、切り替え後に使用されるターゲット帯域幅パートリソースはインデックス識別が「ｃ」であるＣであることを知ることができる。
【００３４】
以下、端末がブラインド検出によって伝送指示情報を受信するプロセスを簡単に紹介する。
【００３５】
上りリンクか下りリンクかにかかわらず、共有チャネルのマッピングタイプは、通常、マッピングタイプ１（「マッピングタイプＡ」とも呼ばれる）とマッピングタイプ２（「マッピングタイプＢ」とも呼ばれる）の２つのタイプに分けられる。現在の標準３８．３３１では、２つのマッピングタイプに対応する復調参照信号（Ｄｅｍｏｄｕｌａｔｉｏｎ  ｒｅｆｅｒｅｎｃｅ  ｓｉｇｎａｌ、ＤＭＲＳ）構成をより柔軟に構成できるように、基地局上位層は、マッピングタイプＡとマッピングタイプＢに対して互いに独立したＤＭＲＳ構成を採用する。すなわち、マッピングタイプＡのＤＭＲＳ構成パラメータは、マッピングタイプＢのＤＭＲＳ構成パラメータと同じである可能性があるし、異なる可能性もある。
【００３６】
下りの場合、ＤＭＲＳ構成パラメータにおけるＤＭＲＳのタイプ（具体的には、ＤＭＲＳ構成パラメータにおける「ＤＬ−ＤＭＲＳ−ｃｏｎｆｉｇ−ｔｙｐｅ」であってもよい）、ＤＭＲＳの最大長（具体的には、ＤＭＲＳ構成パラメータにおける「ＤＬ−ＤＭＲＳ−ｍａｘ−ｌｅｎ」であってもよい）は、基地局が端末に送信する伝送指示情報におけるアンテナポートドメインのサイズに影響を与え、ひいては伝送指示情報のサイズに影響を与えることができる。
【００３７】
上りの場合、ＤＭＲＳ構成パラメータにおけるＤＭＲＳのタイプ（具体的には、ＤＭＲＳ構成パラメータにおける「ＵＬ−ＤＭＲＳ−ｃｏｎｆｉｇ−ｔｙｐｅ」であってもよい）、ＤＭＲＳの最大長（具体的には、ＤＭＲＳ構成パラメータにおける「ＵＬ−ＤＭＲＳ−ｃｏｎｆｉｇ−ｔｙｐｅ」であってもよい）およびＰＵＳＣＨ−ｔｐイネーブル値は、基地局が端末に送信する伝送指示情報におけるアンテナポートドメインのサイズに影響を与え、伝送指示情報のサイズに影響を与えることができる。
【００３８】
疑いもなく、基地局が送信する伝送指示情報を受信する前に、端末は、基地局がマッピングタイプＡを用いて伝送指示情報を送信するか、マッピングタイプＢを用いて伝送指示情報を送信するかを知らないため、端末は、伝送指示情報におけるアンテナポートドメインのサイズを決定することができず、ひいては伝送指示情報のサイズを決定することができない。この場合、端末がブラインド検出を行う場合、ブラインド検出のサイズは基地局が送信する伝送指示情報のサイズより小さいと、端末はブラインド検出に失敗する。ブラインド検出に失敗した後、端末は同じタイムスロットにおいて再度ブラインド検出を行う必要があり、これはブラインド検出の複雑さを向上させ、該問題を解決するために、本実施例は以下の２つの解決方法を提供する。
【００３９】
方法１：端末は、２つのマッピングタイプに対応するＤＭＲＳ構成パラメータに関係なく、常に伝送指示情報におけるアンテナポートドメインのサイズが最大値である状況に従い、伝送指示情報に対してブラインド検出を行う。
【００４０】
表１は、下り共有チャネルに対するＤＭＲＳ構成パラメータとアンテナポートドメインとの間の対応関係を示す。
【００４１】
【表１】
2021521731.tif 000003
【００４２】
表１によれば、下りの場合、アンテナポート指示ドメインのサイズが最大６であるため、端末はアンテナポート指示ドメインが６であることに従って伝送指示情報を検出すれば、基地局がどのマッピングタイプを採用して送信しても、伝送指示情報は端末によって一度に検出されることができる。
【００４３】
表２は、上り共有チャネルに対するＤＭＲＳ構成パラメータとアンテナポートドメインとの間の対応関係を示す。
【００４４】
【表２】
2021521731.tif 000004
【００４５】
したがって、上りの場合、アンテナポート指示ドメインのサイズが最大５であるため、端末はアンテナポート指示ドメインが５であることに従って伝送指示情報を検出すれば、基地局がどのマッピングタイプを採用して送信しても、伝送指示情報も端末によって一度に検出されることができる。
【００４６】
ちなみに、端末は、方法２に従って、伝送指示情報に対してブラインド検出を行ってもよく、図２を参照してください。
【００４７】
Ｓ２０２において、マッピングタイプ１とマッピングタイプ２に対応するＤＭＲＳ構成パラメータをそれぞれ照会する。
【００４８】
基地局上位層は共有チャネルの各マッピングタイプに対応する構成パラメータを構成した後、端末側は、共有チャネルマッピングタイプＡの構成パラメータと共有チャネルマッピングタイプＢの構成パラメータを取得することができ、共有チャネルマッピングタイプＡの構成パラメータと共有チャネルマッピングタイプＢの構成パラメータにいずれもＤＭＲＳ構成パラメータが含まれるため、端末は、マッピングタイプＡに対応するＤＭＲＳ構成パラメータと、マッピングタイプＢに対応するＤＭＲＳ構成パラメータとを照会して決定することができる。
【００４９】
Ｓ２０４において、端末は、２つのマッピングタイプに対応するＤＭＲＳ構成パラメータのうち、アンテナポートドメインに関するパラメータが同じか否かを判断する。
【００５０】
判定結果が「はい」であれば、Ｓ２０６に移行し、そうでなければＳ２０８に移行する。本実施例において、アンテナポートドメインに関するパラメータとは、アンテナポートドメインのサイズに影響を与えることができるパラメータである。下りの場合、アンテナポートドメインに関するパラメータは、ＤＭＲＳタイプとＤＭＲＳ最大長を含む。上りの場合、アンテナポートドメインに関するパラメータは、ＤＭＲＳタイプ、ＤＭＲＳ最大長およびＰＵＳＣＨ−ｔｐイネーブル値を含む。
【００５１】
Ｓ２０６において、２つのマッピングタイプのいずれかに対応するアンテナポートドメインのサイズに従って伝送指示情報をブラインド検出する。
【００５２】
端末は、２つのマッピングタイプに対応するＤＭＲＳ構成パラメータのうち、アンテナポートドメインに関するパラメータが同じであると決定した場合、端末は、マッピングタイプＡまたはマッピングタイプＢに従って伝送指示情報を検出してもよい。
【００５３】
Ｓ２０８において、２つのマッピングタイプに対応するアンテナポートドメインのサイズのうちの大きいほうに従って伝送指示情報をブラインド検出する。
【００５４】
端末が、２つのマッピングタイプに対応するＤＭＲＳ構成パラメータのうち、アンテナポートドメインに関するパラメータが異なると決定した場合、例えば、端末が照会した下り共有チャネルマッピングタイプＡに対応するＤＬ−ＤＭＲＳ−ｃｏｎｆｉｇ−ｔｙｐｅ＝１、ＤＬ−ＤＭＲＳ−ｍａｘ−ｌｅｎ＝２であり、下り共有チャネルマッピングタイプＢに対応するＤＬ−ＤＭＲＳ−ｃｏｎｆｉｇ−ｔｙｐｅ＝１、ＤＬ−ＤＭＲＳ−ｍａｘ−ｌｅｎ＝１であると仮定すると、ここで、基地局がマッピングタイプＡに従って伝送指示情報を送信すると、伝送指示情報のうち、アンテナポートドメインのサイズは５であるべきであり、マッピングタイプＢに従って伝送指示情報を送信すると、アンテナポートドメインのサイズは４であるべきである。このとき、端末は、基地局が送信する伝送指示情報内のアンテナポートドメインのサイズが５か４かを決定することができないが、伝送指示情報を一度に検出するために、端末は、２つのマッピングタイプの中で対応するアンテナポートドメインサイズのうちの大きいほうに従って直接に検出してもよく、すなわち、上記の例ではアンテナポートドメインが５であることに従って伝送指示情報の検出を行う。
【００５５】
Ｓ１０８において、端末は、ターゲット帯域幅パートリソースと元帯域幅パートリソースに基づいて今回の帯域幅パートリソース切り替えに必要な切り替えタイムスロット数を決定する。
【００５６】
すべての帯域幅パートリソース切り替えに必要な切り替え時間長は同じであるとは限らなく、ターゲット帯域幅パートリソースが同じであっても、異なる元帯域幅パートリソースから切り替えると、必要な切り替え時間長が異なる可能性があり、同様に、元帯域幅パートリソースが同じであっても、ターゲット帯域幅パートリソースが異なると、必要な切り替え時間長も異なる可能性があることは理解されるべきである。ターゲット帯域幅パートリソースと元帯域幅パートリソースがいずれも異なる切り替えシーンは言うまでもない。したがって、異なる切り替えシーンは、異なる切り替え時間長に対応する可能性がある。
【００５７】
本実施例では、切り替えシーンは、主に元帯域幅パートリソースとターゲット帯域幅パートリソースとの構成パラメータの間の関係に基づいて決定される。１つの切り替えシーンでは、元帯域幅パートリソースとターゲット帯域幅パートリソースとの間は、同じ帯域幅サイズ（Ｂａｎｄｗｉｄｔｈ、ＢＷ）を有するが、両者の中心周波数は異なり、別の切り替えシーンでは、元帯域幅パートリソースとターゲット帯域幅パートリソースとの間は、同じ中心周波数を有するが、両者のＢＷは異なる。現段階の既存の標準会議では、以下の４つの切り替えシーンが定義されている。
【００５８】
シーン１：再構成は、ＢＷを変更せずにＢＷＰの中心周波数を変更することを含み、ＳＣＳの変更が含まれる場合と含まれない場合がある。（Ｔｈｅ  ｒｅｃｏｎｆｉｇｕｒａｔｉｏｎ  ｉｎｖｏｌｖｅｓ  ｃｈａｎｇｉｎｇ  ｔｈｅ  ｃｅｎｔｅｒ  ｆｒｅｑｕｅｎｃｙ  ｏｆ  ｔｈｅ  ＢＷＰ  ｗｉｔｈｏｕｔ  ｃｈａｎｇｉｎｇ  ｉｔｓ  ＢＷ．  Ｔｈｅ  ｒｅｃｏｎｆｉｇｕｒａｔｉｏｎ  ｍａｙ  ｏｒ  ｍａｙ  ｎｏｔ  ｉｎｖｏｌｖｅ  ｃｈａｎｇｉｎｇ  ｔｈｅ  ＳＣＳ．）簡単に言えば、シーン１とは、ターゲット帯域幅パートリソースと元帯域幅パートリソースとを比べ、サブキャリア間隔が同じか否かに関係せず、中心周波数が異なり、ＢＷが同じである帯域幅パートリソース切り替えシーンである。
【００５９】
シーン２：再構成は、中心周波数を変更せずにＢＷＰのＢＷを変更することを含み、ＳＣＳの変更が含まれる場合と含まれない場合がある。（Ｔｈｅ  ｒｅｃｏｎｆｉｇｕｒａｔｉｏｎ  ｉｎｖｏｌｖｅｓ  ｃｈａｎｇｉｎｇ  ｔｈｅ  ＢＷ  ｏｆ  ｔｈｅ  ＢＷＰ  ｗｉｔｈｏｕｔ  ｃｈａｎｇｉｎｇ  ｉｔｓ  ｃｅｎｔｅｒ  ｆｒｅｑｕｅｎｃｙ．  Ｔｈｅ  ｒｅｃｏｎｆｉｇｕｒａｔｉｏｎ  ｍａｙ  ｏｒ  ｍａｙ  ｎｏｔ  ｉｎｖｏｌｖｅ  ｃｈａｎｇｉｎｇ  ｔｈｅ  ＳＣＳ．）シーン２とは、ターゲット帯域幅パートリソースと元帯域幅パートリソースとを比べ、サブキャリア間隔が同じか否かに関係せず、ＢＷが異なり、中心周波数が同じである帯域幅パートリソース切り替えシーンである。
【００６０】
シーン３：再構成は、ＢＷとＢＷＰの中心周波数を変更することを含み、ＳＣＳの変更が含まれる場合と含まれない場合がある。（Ｔｈｅ  ｒｅｃｏｎｆｉｇｕｒａｔｉｏｎ  ｉｎｖｏｌｖｅｓ  ｃｈａｎｇｉｎｇ  ｂｏｔｈ  ｔｈｅ  ＢＷ  ａｎｄ  ｔｈｅ  ｃｅｎｔｅｒ  ｆｒｅｑｕｅｎｃｙ  ｏｆ  ｔｈｅ  ＢＷＰ．  Ｔｈｅ  ｒｅｃｏｎｆｉｇｕｒａｔｉｏｎ  ｍａｙ  ｏｒ  ｍａｙ  ｎｏｔ  ｉｎｖｏｌｖｅ  ｃｈａｎｇｉｎｇ  ｔｈｅ  ＳＣＳ．）シーン３とは、ターゲット帯域幅パートリソースと元帯域幅パートリソースとを比べ、サブキャリア間隔が同じか否かに関係せず、ＢＷと中心周波数がいずれも異なる帯域幅パートリソース切り替えシーンである。
【００６１】
シーン４：再構成は、ＳＣＳのみを変更することを含み、ＢＷＰの中心周波数とＢＷはそのまま保持される。（Ｔｈｅ  ｒｅｃｏｎｆｉｇｕｒａｔｉｏｎ  ｉｎｖｏｌｖｅｓ  ｃｈａｎｇｉｎｇ  ｏｎｌｙ  ｔｈｅ  ＳＣＳ，  ｗｈｅｒｅ  ｔｈｅ  ｃｅｎｔｅｒ  ｆｒｅｑｕｅｎｃｙ  ａｎｄ  ＢＷ  ｏｆ  ｔｈｅ  ＢＷＰ  ｒｅｍａｉｎ  ｕｎｃｈａｎｇｅｄ．）シーン４とは、ターゲット帯域幅パートリソースと元帯域幅パートリソースとを比べ、ＢＷと中心周波数がいずれも同じであるが、サブキャリア間隔が異なる帯域幅パートリソース切り替えシーンである。
【００６２】
図３は、端末がターゲット帯域幅パートリソースと元帯域幅パートリソースに基づいて今回の帯域幅パートリソース切り替えに必要な切り替えタイムスロット数を決定するプロセスを示した。
【００６３】
Ｓ３０２において、元帯域幅パートリソースの構成パラメータとターゲット帯域幅パートリソースの構成パラメータに基づいて現在の切り替えシーンを決定する。
【００６４】
帯域幅パートリソース切り替えシーンは、元帯域幅パートリソースの構成パラメータとターゲット帯域幅パートリソースの構成パラメータとの関係に関係があるため、端末がターゲット帯域幅パートリソースを決定すると、ターゲット帯域幅パートリソースの構成パラメータと元帯域幅パートリソースの構成パラメータに基づいて、現在の切り替えシーンが上記のいくつかのシーンのいずれに属するかを決定することができる。基地局が端末のために帯域幅パートリソースを構成した後、端末側が各帯域幅パートリソースの構成パラメータを記憶することは理解されるべきである。もちろん、本実施例のいくつかの別の例では、端末側が各帯域幅パートリソースの構成パラメータを記憶しなくても、基地局は、伝送指示情報によって端末に知らせることができる。
【００６５】
ここで、ターゲット帯域幅パートリソースＣは、元帯域幅パートリソースＡと比べ、伝送帯域幅リソースが同じＢＷを有するが、両者の中心周波数が異なると仮定するため、端末は、両者の構成パラメータに基づいて、現在必要な帯域幅パートリソース切り替えがシーン１の帯域幅パートリソース切り替えに属すると決定することができる。
【００６６】
Ｓ３０４において、予め記憶した切り替えシーンと切り替え時間長のマッピング関係に基づいて現在の切り替えシーンに対応する切り替え時間長を決定する。
【００６７】
本実施例では、端末は、切り替えシーンと切り替え時間長のマッピング関係を予め記憶しており、各切り替えシーンはいずれも対応する切り替え時間長がある。本実施例のいくつかの別の例では、切り替え時間長は、切り替えシーンのみでなく、端末と基地局との通信に使用されるキャリアの周波数レベル、端末の性能にも関係がある。例えば、１つの例では、端末はシーン−時間マッピング関係テーブルを記憶し、次の表３を参照してください。
【００６８】
【表３】
2021521731.tif 000005
【００６９】
周波数レベルの１列において、「１」はキャリア周波数が６ＧＨｚ未満のシーンを表し、「２」はキャリア周波数が６ＧＨｚ以上のシーンを表す。「タイプ１の切り替え時間長」は、性能の高い端末が各種の切り替えシーンにおける切り替え時間長に対応し、「タイプ２の切り替え時間長」は、性能の低い端末が各種の切り替えシーンにおける切り替え時間長に対応する。
【００７０】
端末は、現在の帯域幅パートリソース切り替えシーンを決定した後、自分の通信によって使用されるキャリア周波数帯域と自分の性能に基づいて、対応する切り替え時間長を決定してもよい。ある端末の性能が高く、レベル１の周波数帯域を使用して通信し、かつ現在がシーン１の帯域幅パートリソース切り替えを行おうとすると仮定すると、表３を照会することにより、該帯域幅パートリソース切り替えに対して端末は６００ｕｓの切り替え時間長が必要であると決定することができる。
【００７１】
Ｓ３０６において、切り替え時間長とターゲット帯域幅パートリソースの構成パラメータに基づいて今回の帯域幅パートリソース切り替えに必要な切り替えタイムスロット数を決定する。
【００７２】
端末は、切り替え時間長を決定した後、切り替え時間長を切り替えタイムスロット数に変換する必要がある。切り替えタイムスロット数の数は、切り替え時間長だけではなく、ターゲット帯域幅パートリソースのサブキャリア間隔にも関係があることが理解されるべきである。端末は、まず、ターゲット帯域幅パートリソースのサブキャリア間隔に対応するタイムスロットの長さを決定し、そして切り替え時間長と単一のタイムスロットの長さの比率を計算して該比率を切り上げることで切り替えタイムスロット数を計算して得てもよい。
【００７３】
Ｓ１１０において、端末は、切り替えタイムスロット数と基本タイムスロットズレに基づいてターゲット帯域幅パートリソースを採用してデータ伝送を行うターゲットタイムスロットズレを決定する。
【００７４】
切り替えタイムスロット数を計算した後、端末は、該切り替えタイムスロット数に基づいてターゲット帯域幅パートリソースを採用してデータ伝送を行う場合のターゲットタイムスロットズレの値、すなわちターゲット時間領域リソースのある位置を決定してもよい。
【００７５】
本実施例では、帯域幅パートリソース切り替えが必要な場合、基地局から端末に送信される伝送指示情報には、時間領域リソース割り当て指示情報が含まれており、端末は、該時間領域リソース割り当て指示情報に基づいて、ターゲット帯域幅パートリソースの時間領域リソース割り当てテーブルと関連して基本タイムスロットズレを決定してもよい。ここでは、伝送指示情報がＤＣＩ情報であることを用いて説明する。ＤＣＩ情報には、時間領域リソース割り当てドメインが含まれており、該時間領域リソース割り当てドメインは、時間領域リソース割り当てテーブルのある行を指定するために用いられ、すなわち時間領域リソース割り当てテーブル内の２つの基本タイムスロットズレから１つを指定するために用いられる。そして端末は、基本タイムスロットズレと切り替えタイムスロット数の和を求めて今回の帯域幅パートリソース切り替えに対応するターゲットタイムスロットズレを決定してもよい。
【００７６】
端末が、ターゲットタイムスロットズレを決定するのは、基地局との間のデータ伝送のタイムスロット位置を決定するためであり、したがって、端末が該ターゲットタイムスロットズレを決定する必要があるだけでなく、基地局も該ターゲットタイムスロットズレを知るべきであることが理解できる。両者がターゲットタイムスロットズレに対応するターゲット時間領域リソース位置で正常なデータ伝送を行うために、基地局と端末が決定したターゲットタイムスロットズレは一致するべきである。したがって、基地局側も、端末側と同じ方法でターゲットタイムスロットズレを計算すべきであり、これは、基地局が端末と同様の基準を採用して現在の帯域幅パートリソース切り替えが属する切り替えシーンを決定し、同じ切り替えシーンと切り替え時間長との間のマッピング関係を記憶する（例えば、基地局も表３を記憶する）必要があり、また、基地局は端末性能などを知る必要がある。
【００７７】
ターゲットタイムスロットズレを決定した後、端末は、ターゲットタイムスロットズレに対応するターゲット時間領域リソース位置で基地局とデータ伝送を行ってもよい。ターゲットタイムスロットズレは、上りターゲットタイムスロットズレおよび／または下りターゲットタイムスロットズレを含んでもよいことが理解されるべきである。端末で決定されたターゲットタイムスロットズレが下りターゲットタイムスロットズレであると仮定すると、端末は、対応するターゲット時間領域リソース位置で基地局から送信されたデータを受信してもよく、端末が決定したターゲットタイムスロットズレが上りターゲットタイムスロットズレである場合、端末は、対応するターゲット時間領域リソース位置で基地局にデータを送信してもよい。
【００７８】
本発明実施例に係る時間領域リソース割り当て方法および時間領域リソース決定方法では、端末は、元帯域幅パートリソースとターゲット帯域幅リソースに基づいて現在の切り替えに必要な切り替えタイムスロット数を自ら決定し、ひいてはターゲットタイムスロットズレを計算することができるため、基地局は、帯域幅パートリソース切り替えのために、時間領域リソース割り当てテーブルに、切り替え専用指示行をわざわざ設定する必要はなく、したがって、時間領域リソース割り当てテーブルに専用指示行を設定することで時間領域リソース割り当てテーブルが他の伝送の指示情報に対する伝送に影響を与えることを回避する。関連態様において、時間領域リソース割り当てテーブルにおいて常時切り替え専用指示行を設定する必要があるため、帯域幅パートリソース切り替えが必要でないシーンで時間領域リソース割り当てテーブルのスペースを浪費する問題も回避した。これはリソースの伝送を最適化し、リソースの利用率を向上させるのに役立つ。
【００７９】
さらに、基地局は、時間領域リソース割り当てテーブルを構成する際に、端末が帯域幅パートリソース切り替えを行う切り替え時間長に構成された伝送タイムスロットが満足するか否かを気にする必要がないため、構成作業はより簡単である。
【００８０】
実施例２
本実施例は、引き続き前述した実施例に係る時間領域リソース割り当て方法および時間領域リソース決定方法を具体的な例に関連して説明し、図４を参照してください。
【００８１】
Ｓ４０２において、基地局は、端末とデータ伝送を行うＢＷＰに対してＢＷＰ切り替えを行う必要があるとき、ターゲットＢＷＰを決定する。
【００８２】
端末との間のデータ伝送の需要を満たす目的から、基地局は、いくつかの場合において端末を制御して帯域幅パートリソース切り替えを行う可能性があり、例えば、ｔ１時刻前には、基地局と端末の間の下りデータは帯域幅に対する要求が高くないが、ｔ１時刻において基地局は端末に大量のビデオデータを送信する必要があるため、端末側のユーザのビデオ視聴の体験を保証するために、基地局は、端末を制御して帯域幅値がより大きい帯域幅パートリソースに切り替えてデータ伝送を行う必要がある。この場合、基地局は、端末のために予め構成した帯域幅パートリソースから、ターゲット帯域幅パートリソースとして伝送要求を満たすものを１つ選択してもよい。
【００８３】
Ｓ４０４において、基地局は、元ＢＷＰでＤＣＩ情報を端末に送信し、ＢＷＰ切り替えを指示する。
【００８４】
ターゲットＢＷＰが決定した後、基地局は、ＤＣＩ指示情報を端末に送信してもよく、該ＤＣＩ指示情報は、少なくともこのようないくつかの指示作用を果たす。まず、該ＤＣＩ情報は、端末に、現在帯域幅パートリソース切り替えを行う必要があることを決定させることができ、また、該ＤＣＩ情報からは、どのターゲットＢＷＰに切り替える必要があるかを知ることもできる。本実施例では、該ＤＣＩ情報は、基本タイムスロットズレを端末に指示することもできる。いくつかの例では、基地局は、ＤＣＩ情報におけるＢＷＰ指示ドメインで端末に帯域幅パートリソース切り替えを行う必要があることを知らせてもよく、例えば、基地局は、ターゲットＢＷＰのインデックス識別をＤＣＩ情報のＢＷＰ指示ドメインで運び、端末は、ＤＣＩ情報を受信した後、該ＤＣＩ情報のＢＷＰ指示ドメインにおけるインデックス識別が、現在使用されているＢＷＰのインデックス識別と一致するか否かを比較することによって、帯域幅パートリソース切り替えを行う必要があるか否かを決定してもよく、両方が一致すれば、帯域幅パートリソース切り替えを行う必要がないことを示し、両方が一致しなければ、帯域幅パートリソース切り替えを行う必要があることを示すと同時に、端末は、切り替え後のターゲットＢＷＰがどれかを決定することもできる。
【００８５】
実施例１では、時間領域リソース割り当てテーブルおよび時間領域リソース割り当て指示ドメインで端末に基本タイムスロットズレを指定することを比較的に詳細に紹介したため、ここでは説明を省略する。
【００８６】
端末が帯域幅パートリソース切り替えを行う必要があることを知る前に、端末は現在使用中のＢＷＰのみをブラインド検出するため、端末が基地局から送信されたＤＣＩ情報を受信できることを保証するために、本実施例では基地局は元ＢＷＰでＤＣＩ情報を伝送する。
【００８７】
基地局が端末に伝送指示情報としてのＤＣＩ情報を送信した後、基地局は、端末とターゲットＢＷＰでデータ伝送を行うターゲット時間領域リソース位置、すなわちターゲットタイムスロットズレの値を計算してもよく、基地局がターゲットタイムスロットズレを計算するプロセスは、端末がターゲットタイムスロットズレを計算するプロセスとほぼ一致するため、具体的なプロセスは、実施例１の紹介を参照し、または後続の紹介を参照してください。
【００８８】
以下、端末側の時間領域リソース決定方法をさらに紹介し、図５に示す時間領域リソース決定方法のフローチャートに関連してください。
【００８９】
Ｓ５０２において、端末は元ＢＷＰでブラインド検出を行う。
【００９０】
ここで端末は元ＢＷＰに対してブラインド検出を行うと限定するが、実際には端末がこのとき切り替えが発生するか否かを知らないため、端末にとっては元ＢＷＰとは現在も使用されているＢＷＰに過ぎない。端末はブラインド検出により、基地局が該元ＢＷＰで送信したＤＣＩ情報を検出することができる。ブラインド検出の具体的な詳細は実施例１における紹介を参照し、ここでは説明を省略する。
【００９１】
Ｓ５０４において、端末は、ブラインド検出で検出されたＤＣＩ情報に運ばれるインデックス識別とブラインド検出の対象となる元ＢＷＰのインデックス識別が一致するか否かを決定する。
【００９２】
ＤＣＩ情報を検出した後、端末は、まずＤＣＩ情報に運ばれるＩｎｄｅｘと現在のブラインド検出の対象となる元ＢＷＰのＩｎｄｅｘが一致するか否かを決定し、一致すれば、現在は帯域幅パートリソース切り替えを行う必要がないことを示し、Ｓ５０６に移行する。そうでなければ、基地局は、自ら帯域幅パートリソース切り替えを行うことをすでに指示したことを示すため、Ｓ５０８に移行する。
【００９３】
端末は、現在使用されているＢＷＰのＩｎｄｅｘを知るものであり、ＤＣＩ情報に運ばれるＩｎｄｅｘについては、好ましくは、端末は、検出したＤＣＩ情報を解析し、該ＤＣＩ情報のＢＷＰ指示ドメインから取得することを理解すべきである。
【００９４】
Ｓ５０６において、ＤＣＩ情報で指定された基本タイムスロットズレをターゲットタイムスロットズレとする。
【００９５】
端末がＤＣＩ情報に運ばれるＩｎｄｅｘが元ＢＷＰのＩｎｄｅｘと一致すると決定すると、端末は、現在帯域幅パートリソース切り替えを行う必要がないと決定するため、直接ＤＣＩ情報における時間領域リソース割り当て指示ドメインに基づき、時間領域リソース割り当てテーブルと関連して基地局が自分のために割り当てる時間領域リソース、すなわちターゲットタイムスロットズレを決定してもよい。具体的には、端末は、直接に時間領域リソース割り当てテーブルにおいて時間領域リソース割り当て指示ドメインによって指定された基本タイムスロットズレをターゲットタイムスロットズレとしてもよい。
【００９６】
紹介を容易にするために、本実施例では、時間領域リソース割り当てテーブルで指定されたタイムスロットサイズを「基本タイムスロットズレ」と呼び、帯域幅パートリソース切り替えが不要なシーンに対し、ＤＣＩで指定された基本タイムスロットズレは、ターゲットタイムスロットズレであるため、基地局が帯域幅パートリソース切り替えを行うことを指示していないと端末が決定した場合、直接にＤＣＩによって指定された基本タイムスロットズレをターゲットタイムスロットズレと呼んでもよい。
【００９７】
以下、時間領域リソース割り当てテーブルを簡単に紹介する。
【００９８】
上記の紹介から分かるように、時間領域リソース割り当てテーブルの行数は、時間領域リソース割り当て指示ドメインがＤＣＩ情報に占めるビット数と関連しており、ここで時間領域リソース割り当て指示ドメインがＤＣＩ情報に３ビットを占めると仮定すると、該時間領域リソース割り当てテーブルは８行を含み、ここでは各行にそれぞれ１つの一意の識別を割り当て、それぞれ「０」、「１」、「２」…「７」であり、すなわち「０」はテーブルにおける１行目に対応し、「１」はテーブルにおける２行目に対応し……「７」はテーブルにおける８行目に対応する。
【００９９】
本実施例で紹介する時間領域リソース割り当てテーブルでは、テーブルには３つの列が含まれ、１列目は下り基本タイムスロットズレ／上り基本タイムスロットズレを指示することに用いられ、通常下り基本タイムスロットズレと上り基本タイムスロットズレの時間領域リソース割り当てテーブルが独立しており、すなわち下りに対する時間領域リソース割り当てテーブルには下り基本タイムスロットズレのみが構成され、上り基本タイムスロットズレが運ばれなく、同様に、上りに対する時間領域リソース割り当てテーブルには、上り基本タイムスロットズレのみが運ばれ、上り基本タイムスロットズレが運ばれない。下り基本タイムスロットズレは常に「Ｋ０」で表され、上り基本タイムスロットズレは常に「Ｋ２」で表される。時間領域リソース割り当てテーブルにおける２列目は、タイムスロット内のシンボル割り当て指示情報を運ぶことに用いられ、３列目は時間領域割り当てマッピングタイプを運ぶことに用いられる。
【０１００】
通常、時間領域リソース割り当てテーブルは、時間領域リソース割り当て指示ドメインと連携することによって基本タイムスロットズレを指示するものであり、時間領域リソース割り当て指示ドメインで運ばれるのはある行の一意の識別であるため、基地局は、端末にある行の基本タイムスロットズレを指定しようとする場合、該行の一意の識別をＤＣＩ情報の時間領域リソース割り当て指示ドメインで運んでもよい。
【０１０１】
Ｓ５０８において、端末はターゲットＢＷＰを決定する。
【０１０２】
端末が、ＤＣＩ情報に運ばれているＩｎｄｅｘが元ＢＷＰのＩｎｄｅｘと一致しないと決定した場合、端末は、帯域幅パートリソース切り替えを行う必要があると決定し、したがって、端末は、ＤＣＩ情報に運ばれているＩｎｄｅｘに基づいてターゲットＢＷＰがどれであるかを決定してもよく、例えば、ＤＣＩ情報に運ばれているＩｎｄｅｘが「ｄ」であると仮定すると、ターゲットＢＷＰはＤであると示す。
【０１０３】
Ｓ５１０において、端末は、ターゲットＢＷＰと元ＢＷＰの構成パラメータに基づいて現在の切り替えシーンを決定する。
【０１０４】
ターゲットＢＷＰを決定した後、端末は、ターゲットＢＷＰの構成パラメータを決定するとともに、元ＢＷＰの構成パラメータも決定し、本実施例では、端末側には、基地局が端末側のために構成した各ＢＷＰの構成パラメータが記憶されている。２つのＢＷＰの間の構成パラメータを比較することにより、端末は現在の切り替えシーンを決定してもよい。
【０１０５】
Ｓ５１２において、端末は、シーン−時間マッピング関係テーブルを照会し、現在の切り替えシーンに対応する切り替え時間長を決定する。
【０１０６】
切り替えシーンを決定した後、端末は、シーン−時間マッピング関係テーブルを照会することにより、現在の帯域幅パートリソース切り替えシーンに対応する切り替え時間長を決定してもよく、シーン−時間マッピング関係テーブルは、実施例１においてすでに比較的詳細に紹介したため、ここでは説明を省略する。
【０１０７】
Ｓ５１４において、端末は、切り替え時間長をターゲットＢＷＰに対応する切り替えタイムスロット数に換算する。
【０１０８】
端末は、切り替え時間長を切り替えタイムスロット数に変換するとき、ターゲットＢＷＰの構成パラメータと関連する必要があり、端末が、ターゲットＢＷＰのサブキャリア間隔ＳＣＳを先に決定し、続いてターゲットＢＷＰのＳＣＳに基づいてターゲットＢＷＰのタイムスロットｓｌｏｔのタイムスロット長を決定する。そして、切り替え時間長に含まれるタイムスロット数を計算し、ここでは、切り替え時間長に基づいて切り替えタイムスロット数を計算する数式を提供する。
【０１０９】
【数１】
2021521731.tif 000006
【０１１０】
ここで、ｏｆｆｓｅｔは、切り替えタイムスロット数を示し、Ｔは、シーン−時間マッピング関係テーブルに基づいて端末が照会して得た切り替え時間長を示す。サブキャリア間隔が１５ＫＨｚの場合、対応するタイムスロット長は１ｍｓであり、サブキャリア間隔が３０ＫＨｚの場合、対応するタイムスロット長は０．５ｍｓであり、サブキャリア間隔が６０ＫＨｚの場合、対応するタイムスロット長は０．２５ｍｓであるため…すなわち、ｕとサブキャリア間隔との間は、このような関係を満足する。
【０１１１】
【数２】
2021521731.tif 000007
表４にはいくつかの典型的なサブキャリア間隔とそれに対応するｕ値が示されている。
【０１１２】
【表４】
2021521731.tif 000008
【０１１３】
上述したｏｆｆｓｅｔを計算する数式は簡略化して以下を得られる。
【０１１４】
【数３】
2021521731.tif 000009
【０１１５】
表５には、様々な切り替え時間長と、ｕおよび切り替えタイムスロット数との間の対応関係が示されており、１行目は２列目から様々な典型的な切り替え時間長を示し、１列目は２行目からｕの様々な値を示す。
【０１１６】
【表５】
2021521731.tif 000010
【０１１７】
したがって、上記の表３に基づいて今回の帯域幅パートリソース切り替えの切り替え時間長を決定し、表４に基づいてターゲット帯域幅パートリソースに対応するｕ値を照会して得た後、表５に基づいて対応する切り替えタイムスロット数を直接照会して得てもよい。照会を容易にするために、表３、表４と表５のコンテンツを有機的にマージしてもよく、それによって統合された１つの表を得て、端末は、伝送指示情報を受信した後、１つの表に基づいて切り替えタイムスロット数を直接照会して決定してもよいことが理解されるべきである。
【０１１８】
Ｓ５１６において、端末は、切り替えタイムスロット数とＤＣＩ情報で指定された基本タイムスロットズレの和を求めてターゲットタイムスロットズレを得る。
【０１１９】
切り替えタイムスロット数を計算した後、端末は、切り替えタイムスロット数と、時間領域リソース割り当てテーブルから照会された基本タイムスロットズレとに対して和と求め、ひいてはターゲットタイムスロットズレ、すなわち、今回の帯域幅パートリソース切り替え後に、自分と基地局との間でデータ伝送を行うターゲット時間領域リソース位置を決定してもよい。基本タイムスロットズレを決定するプロセスについては、前のＳ５０６で比較的詳細に紹介したため、ここでは説明を省略する。
【０１２０】
本実施例に係る時間領域リソース割り当て方法および時間領域リソース決定方法では、基地局が端末に時間領域リソースを割り当てる場合、端末が帯域幅パートリソース切り替えを行う十分な時間を有することを保証できるだけでなく、関連する態様に基づいて余分のシグナリングオーバヘッドをもたらす必要がなく、同時に基地局が時間領域リソース割り当てテーブルを構成するときの懸念を低減することによって基地局が時間領域リソースを割り当てる柔軟性を向上させることもできる。
【０１２１】
実施例３
本実施例は、時間領域リソース割り当て装置を提供し、該時間領域リソース割り当て装置は、基地局側に配備され、前記時間領域リソース割り当て方法を実現してもよい。
【０１２２】
図６を参照し、時間領域リソース割り当て装置６０は、切り替え決定ユニット６０２と、指示伝送ユニット６０４とを含む。切り替え決定ユニット６０２は、端末とデータ伝送を行う帯域幅パートリソースの帯域幅パートリソース切り替えを行う必要がある場合、切り替え後に伝送に用いられるターゲット帯域幅パートリソースを決定することに用いられる。指示伝送ユニット６０４は、ターゲット帯域幅パートリソースインデックス識別と時間領域リソース割り当て指示情報とを含む伝送指示情報を端末に送信することに用いられる。インデックス識別は、端末がターゲット帯域幅パートリソースを決定することに用いられ、ターゲット帯域幅パートリソースと帯域幅パートリソース切り替え前に使用される元帯域幅パートリソースに基づいて今回の帯域幅パートリソース切り替えに必要な切り替えタイムスロット数を決定し、切り替えタイムスロット数と基本タイムスロットズレに基づいてターゲット帯域幅パートリソースを採用してデータ伝送を行うターゲットタイムスロットズレを決定し、基本タイムスロットズレは、時間領域リソース割り当て指示情報によって決定する。
【０１２３】
基地局と端末の間でデータ伝送を行うプロセスでは、両者の間で伝送されるデータのタイプが絶えず変化する可能性があり、あるデータに対しては大きな帯域幅リソースが必要であり、他のデータによっては帯域幅リソースに対する要求が高くない可能性があり、したがって、端末側でのデータ送受信による消費電力を低減するために、且つ帯域幅リソースを合理的に利用するために、時間領域リソース割り当て装置６０の切り替え決定ユニット６０２は、現在伝送待ちのデータのタイプに応じて、端末のために構成される各帯域幅パートリソースから、現在伝送待ちのデータの伝送のために１つ以上を合理的に選択する。基地局が再選択した帯域幅パートリソースが、現在使用されている帯域幅パートリソースとは異なる場合、「帯域幅パートリソース切り替え」が必要となり、したがって、帯域幅パートリソース切り替えとは、実際には、現在使用中の「元帯域幅パートリソース」から新たな「ターゲット帯域幅リソース」に切り替えるプロセスを意味する。本実施例で言及された「帯域幅パートリソース」は、実際には連続するＲＢリソースを指し、ＢＷＰリソースとも呼ばれる。
【０１２４】
切り替え決定ユニット６０２が、端末との間で使用される帯域幅パートリソースを切り替える必要があると決定した場合、ターゲット帯域幅パートリソースのインデックス識別を取得する。例えば、基地局と端末との間で下りデータ伝送が間もなく行われるが、切り替え決定ユニット６０２は、現在使用されている帯域幅パートリソースＡが不適切であり、帯域幅パートリソースＣを使用する必要があることを発見した場合、切り替え決定ユニット６０２は、Ｃをターゲット帯域幅パートリソースとすることを決定し、したがって、ターゲット帯域幅パートリソースのインデックス識別が「ｃ」であることを取得する。
【０１２５】
切り替え決定ユニット６０２がターゲット帯域幅パートリソースを決定した後、指示伝送ユニット６０４は、ターゲット帯域幅パートリソースのインデックス識別を運ぶ伝送指示情報を端末に送信する。本実施例では、指示伝送ユニット６０４は元帯域幅パートリソースを使用して端末に該伝送指示情報を送信するため、いくつかの例では、指示伝送ユニット６０４は帯域幅パートリソースＡを使用して伝送指示情報を送信する。本実施例のいくつかの例では、伝送指示情報は、ＤＣＩ、すなわち下りリンク制御情報を含んでもよいが、これに限定されない。
【０１２６】
同時に、指示伝送ユニット６０４によって送信される伝送指示情報には、端末に指定する基本タイムスロットズレの時間領域リソース割り当て指示情報がさらに含まれてもよく、基本タイムスロットズレは、端末側が帯域幅パートリソース切り替えに必要な切り替えタイムスロット数を計算した後に、ターゲットタイムスロットズレを計算することに用いられる。指示伝送ユニット６０４は、伝送指示情報（例えば、ＤＣＩ情報）における時間領域リソース割り当て指示ドメインを時間領域リソース割り当て指示情報としてもよく、時間領域リソース割り当て指示ドメインは、時間領域リソース割り当てテーブルと連携して端末に基本タイムスロットズレを指定する。基地局が時間領域リソース割り当てテーブルを構成した後、端末は該時間領域リソース割り当てテーブルを取得してもよく、時間領域リソース割り当てテーブルには、少なくとも２つの基本タイムスロットズレが構成されてもよく、この少なくとも２つの基本タイムスロットズレからどれを選択するかを端末に知らせるために、基地局は、ＤＣＩ情報に時間領域リソース割り当て指示ドメインを運び、該時間領域リソース割り当て指示ドメインは、端末が時間領域リソース割り当てテーブルから基地局によって指定された１つの基本タイムスロットズレを選択できるようにすることができる。例えば、時間領域リソース割り当てテーブルには１６行が含まれており、この１６行は、いずれも構成された基本タイムスロットズレであり、この１６行の各行の一意の識別は、それぞれ、数字「０」、「１」…「１５」である。指示伝送ユニット６０４から端末に送信される伝送指示情報において、時間領域リソース割り当て指示ドメインが対応する値が「２」であると、指示伝送ユニット６０４が端末のために指定した基本タイムスロットズレは、時間領域リソース割り当てテーブルの中で、一意の識別が「２」のものであることを示す。
【０１２７】
時間領域リソース割り当てテーブルは、基地局によって構成されるため、不変のままではなく、したがって、基地局が時間領域リソース割り当てテーブルに対する構成が異なると、端末が取得した時間領域リソース割り当てテーブルも異なることが理解できる。指示伝送ユニット６０４と端末の間は、常に現在の時間領域リソース割り当てテーブル、すなわち最新に構成した時間領域リソース割り当てテーブルを利用し、基本タイムスロットズレを決定することが理解できる。
【０１２８】
注意する必要があるのは、基本タイムスロットズレは、基地局無線リソース制御（Ｒａｄｉｏ  Ｒｅｓｏｕｒｃｅ  Ｃｏｎｔｒｏｌ、ＲＲＣ）層によって構成され、帯域幅パートリソース切り替えの切り替え時間長とは無関係な時間領域リソース位置であり、帯域幅パートリソース切り替え時にターゲットタイムスロットズレを決定するだけでなく、帯域幅パートリソース切り替えが必要ではない時にターゲットタイムスロットズレを決定するためにも使用してもよい。例えば、基地局と端末の間で、ある帯域幅パートリソースを継続的に使用してデータ伝送を行うプロセスにおいて、指示伝送ユニット６０４が端末に時間領域リソースを割り当てる場合も、時間領域リソース割り当てテーブルによって行われ、この場合、指示伝送ユニット６０４が指定した時間領域リソース割り当てテーブルにおけるある基本タイムスロットズレは、実際にはターゲットタイムスロットズレである。したがって、基本タイムスロットズレは、端末が十分な切り替え時間長を有することを確保する必要はない。基本タイムスロットズレを構成する場合、基地局も、帯域幅パートリソースの切り替えがあるか否かに気にする必要がなく、通常の時間領域リソース構成態様に従って構成すればよい。したがって、現段階で検討された態様において、基地局が切り替え専用指示行において構成した、帯域幅パートリソース切り替えシーンに専用のターゲットタイムスロットズレに対して、本実施例では、基地局が基本タイムスロットズレを構成するのはより簡単であり、帯域幅パートリソース切り替えによる時間制限を考慮する必要はない。
【０１２９】
時間領域リソース割り当てテーブルにおいて、基本タイムスロットズレは、上り基本タイムスロットズレおよび／または下り基本タイムスロットズレを含み、上り基本タイムスロットズレは時間領域リソース割り当てテーブルのＫ２に対応し、下り基本タイムスロットズレは時間領域リソース割り当てテーブルのＫ０に対応する。現在の基地局が端末にデータを送信し、端末がデータを受信する必要がある場合、指示伝送ユニット６０４が送信した伝送指示情報が時間領域リソース割り当てテーブルから端末に指定する基本タイムスロットズレは、下りに対する下り基本タイムスロットズレ、すなわちＫ０であるべきであり、端末が送信するデータを現在の基地局が受信する場合、指示伝送ユニット６０４が時間領域リソース割り当て指示情報と時間領域リソース割り当てテーブルを利用して端末に指定する基本タイムスロットズレは、上りに対する上り基本タイムスロットズレ、すなわちＫ２であるべきである。
【０１３０】
また、本実施例における時間領域リソース割り当てテーブルが依然として帯域幅パートリソースを単位として設定されており、すなわち、各帯域幅パートリソースはいずれも対応する時間領域リソース割り当てテーブルがある。
【０１３１】
基地局に時間領域リソース割り当て装置が配備されている場合、その切り替え決定ユニット６０２の機能は基地局のプロセッサによって実現されてもよく、指示伝送ユニット６０４の機能は基地局のプロセッサと通信装置とによって共同で実現されてもよいことが理解できる。
【０１３２】
本実施例に係る時間領域リソース割り当て装置は、切り替え前に使用された元帯域幅パートリソースによってターゲット帯域幅パートリソースインデックス識別を含む伝送指示情報を端末に送信し、端末に伝送指示情報におけるインデックス識別に基づいてターゲット帯域幅パートリソースを決定させ、そしてターゲット帯域幅パートリソースと元帯域幅パートリソースに基づいて今回の帯域幅パートリソース切り替えに必要な切り替えタイムスロット数を決定し、計算された切り替えタイムスロット数と時間領域リソース割り当て指示情報によって指定された基本タイムスロットズレに基づいてターゲットタイムスロットズレを決定してもよい。これにより、時間領域リソース割り当てテーブルに帯域幅パートリソース切り替えに対して専用で指示する切り替え専用指示行を設定することによる関連態様を放棄し、時間領域リソース割り当てテーブルのスペースを節約することに役立つため、時間領域リソース割り当てテーブルが他の伝送の指示情報をより多く運べるようになる。また、基地局は、時間領域リソース割り当てテーブルに切り替え時間長の需要を満たすターゲットタイムスロットズレを指定する必要がないため、基地局が時間領域リソース割り当てを行う柔軟性を向上させた。
【０１３３】
実施例４
本実施例は、時間領域リソース決定装置を提供し、該時間領域リソース割り当て装置は、端末側に配備され、前記時間領域リソース割り当て方法を実現してもよく、図７に示す時間領域リソース決定装置７０を参照してください。
【０１３４】
時間領域リソース決定装置７０は、切り替え決定ユニット７０２と、ターゲットタイムスロット決定ユニット７０４とを含む。元帯域幅パートリソースで受信した伝送指示情報に基づいて帯域幅パートリソース切り替えを行う必要があると決定した場合、時間領域リソース決定装置７０は、伝送指示情報が運ぶインデックス識別に基づいて帯域幅パートリソース切り替え後に伝送に使用されるターゲット帯域幅パートリソースを決定してもよく、その後切り替え決定ユニット７０２は、元帯域幅パートリソースとターゲット帯域幅パートリソースに基づいて今回の帯域幅パートリソース切り替えに必要な切り替えタイムスロット数を決定してもよく、ターゲットタイムスロット決定ユニット７０４は、切り替えタイムスロット数に基づいてターゲット帯域幅パートリソースを採用してデータ伝送を行うターゲットタイムスロットズレを決定することに用いられる。
【０１３５】
時間領域リソース決定装置７０は、基地局から送信された伝送指示情報を受信し、受信した伝送指示情報に運ばれるインデックス識別に基づいて、現在、帯域幅パートリソース切り替えが必要か否かを決定してもよい。例えば、元帯域幅パートリソースで「ブラインド検出」を行ってもよく、ここでは、元帯域幅パートリソースのインデックス識別が「ａ」であると仮定する。ブラインド検出によって、時間領域リソース決定装置７０は、基地局が元帯域幅パートリソースＡで送信する伝送指示情報を受信することができ、該伝送指示情報には、ターゲット帯域幅パートリソースのインデックス識別が運ばれる。元帯域幅パートリソースのインデックス識別と伝送指示情報に含まれているインデックス識別とが一致しているか否かを比較することにより、時間領域リソース決定装置７０は、現在、帯域幅パートリソース切り替えを行う必要があるか否かを決定することができ、両者が一致する場合、帯域幅パートリソース切り替えは必要ではないことを意味するが、比較結果において両者が一致しない場合、時間領域リソース決定装置７０は、基地局が端末に別の帯域幅パートリソースに切り替えて基地局とデータ伝送を行うように指示したと決定する。この場合、時間領域リソース決定装置７０は、基地局が指示したターゲット帯域幅パートリソースがどれであるかをさらに決定してもよい。例えば、上記の例では、基地局が伝送指示情報において運ぶインデックス識別が「ｃ」であり、「ｃ」はブラインド検出の対象となる元帯域幅パートリソースＡのインデックス識別「ａ」と一致しないため、時間領域リソース決定装置７０は、基地局が帯域幅パートリソース切り替えを行うように端末に指示し、切り替え後に使用されるターゲット帯域幅パートリソースはインデックス識別が「ｃ」であるＣであることを知ることができる。
【０１３６】
本実施例の別の例では、図８に示すように、時間領域リソース決定装置７０は、切り替え決定ユニット７０２とターゲットタイムスロット決定ユニット７０４だけではなく、元帯域幅パートリソースに対してブラインド検出を行って伝送指示情報を取得する指示検出ユニット７００をさらに含んでもよい。
【０１３７】
上りリンクか下りリンクかにかかわらず、共有チャネルのマッピングタイプは、通常、マッピングタイプ１（「マッピングタイプＡ」とも呼ばれる）とマッピングタイプ２（「マッピングタイプＢ」とも呼ばれる）の２つのタイプに分けられる。現在の標準３８．３３１では、２つのマッピングタイプに対応するＤＭＲＳ構成をより柔軟に構成できるように、基地局上位層は、マッピングタイプＡとマッピングタイプＢに対して互いに独立したＤＭＲＳ構成を採用する。すなわち、マッピングタイプＡのＤＭＲＳ構成パラメータは、マッピングタイプＢのＤＭＲＳ構成パラメータと同じである可能性があるし、異なる可能性もある。
【０１３８】
下りの場合、ＤＭＲＳ構成パラメータにおけるＤＭＲＳのタイプ（具体的には、ＤＭＲＳ構成パラメータにおける「ＤＬ−ＤＭＲＳ−ｃｏｎｆｉｇ−ｔｙｐｅ」であってもよい）、ＤＭＲＳの最大長（具体的には、ＤＭＲＳ構成パラメータにおける「ＤＬ−ＤＭＲＳ−ｍａｘ−ｌｅｎ」であってもよい）は、基地局が端末に送信する伝送指示情報におけるアンテナポートドメインのサイズに影響を与え、ひいては伝送指示情報のサイズに影響を与えることができる。
【０１３９】
上りの場合、ＤＭＲＳ構成パラメータにおけるＤＭＲＳのタイプ（具体的には、ＤＭＲＳ構成パラメータにおける「ＵＬ−ＤＭＲＳ−ｃｏｎｆｉｇ−ｔｙｐｅ」であってもよい）、ＤＭＲＳの最大長（具体的には、ＤＭＲＳ構成パラメータにおける「ＵＬ−ＤＭＲＳ−ｃｏｎｆｉｇ−ｔｙｐｅ」であってもよい）およびＰＵＳＣＨ−ｔｐイネーブル値は、基地局が端末に送信する伝送指示情報におけるアンテナポートドメインのサイズに影響を与え、伝送指示情報のサイズに影響を与えることができる。
【０１４０】
疑いもなく、基地局が送信する伝送指示情報を受信する前に、指示検出ユニット７００は、基地局がマッピングタイプＡを用いて伝送指示情報を送信するか、マッピングタイプＢを用いて伝送指示情報を送信するかを知らないため、指示検出ユニット７００は、伝送指示情報におけるアンテナポートドメインのサイズを決定することができず、ひいては伝送指示情報のサイズを決定することができない。この場合、指示検出ユニット７００がブラインド検出を行う場合、ブラインド検出のサイズは基地局が送信する伝送指示情報のサイズより小さいと、ブラインド検出に失敗する。ブラインド検出に失敗した後、指示検出ユニット７００は同じタイムスロットにおいて再度ブラインド検出を行う必要があり、これはブラインド検出の複雑さを向上させ、該問題を解決するために、本実施例は以下の２つの解決方法を提供する。
【０１４１】
方法１：指示検出ユニット７００は、２つのマッピングタイプに対応するＤＭＲＳ構成パラメータに関係なく、常に伝送指示情報におけるアンテナポートドメインのサイズが最大値である状況に従い、伝送指示情報に対してブラインド検出を行う。
【０１４２】
前の表１は、下り共有チャネルに対するＤＭＲＳ構成パラメータとアンテナポートドメインとの間の対応関係をすでに示し、表１によれば、下りの場合、アンテナポート指示ドメインのサイズが最大６であるため、指示検出ユニット７００は、アンテナポート指示ドメインが６であることに従って伝送指示情報を検出すれば、基地局がどのマッピングタイプを採用して送信しても、伝送指示情報は指示検出ユニット７００によって一度に検出されることができる。
【０１４３】
表２は、上り共有チャネルに対するＤＭＲＳ構成パラメータとアンテナポートドメインとの間の対応関係をすでに示した。したがって、表２によれば、上りの場合、アンテナポート指示ドメインのサイズが最大５であるため、指示検出ユニット７００は、アンテナポート指示ドメインが５であることに従って伝送指示情報を検出すれば、基地局がどのマッピングタイプを採用して送信しても、伝送指示情報も指示検出ユニット７００によって一度に検出されることができる。
【０１４４】
指示検出ユニット７００は、方法２に従って、伝送指示情報に対してブラインド検出を行ってもよい。
【０１４５】
まず、指示検出ユニット７００は、マッピングタイプ１とマッピングタイプ２に対応するＤＭＲＳ構成パラメータをそれぞれ照会し、次に２つのマッピングタイプに対応するＤＭＲＳ構成パラメータのうち、アンテナポートドメインに関するパラメータが同じか否かを判断する。同じであれば、指示検出ユニット７００は、２つのマッピングタイプのいずれかに対応するアンテナポートドメインのサイズに従って伝送指示情報をブラインド検出する。同じでなければ、指示検出ユニット７００は、２つのマッピングタイプに対応するアンテナポートドメインのサイズのうちの大きいほうに従って伝送指示情報をブラインド検出する。
【０１４６】
基地局上位層は共有チャネルの各マッピングタイプに対応する構成パラメータを構成した後、端末側は、共有チャネルマッピングタイプＡの構成パラメータと共有チャネルマッピングタイプＢの構成パラメータを取得することができ、共有チャネルマッピングタイプＡの構成パラメータと共有チャネルマッピングタイプＢの構成パラメータにいずれもＤＭＲＳ構成パラメータが含まれるため、指示検出ユニット７００は、マッピングタイプＡに対応するＤＭＲＳ構成パラメータと、マッピングタイプＢに対応するＤＭＲＳ構成パラメータとを照会して決定することができる。
【０１４７】
アンテナポートドメインに関するパラメータとは、アンテナポートドメインのサイズに影響を与えることができるパラメータである。下りの場合、指示検出ユニット７００が照会できるアンテナポートドメインに関するパラメータは、ＤＭＲＳタイプとＤＭＲＳ最大長を含む。上りの場合、指示検出ユニット７００が照会できるアンテナポートドメインに関するパラメータは、ＤＭＲＳタイプ、ＤＭＲＳ最大長およびＰＵＳＣＨ−ｔｐイネーブル値を含む。
【０１４８】
指示検出ユニット７００は、２つのマッピングタイプに対応するＤＭＲＳ構成パラメータのうち、アンテナポートドメインに関するパラメータが異なると決定した場合、例えば、指示検出ユニット７００が照会した下り共有チャネルマッピングタイプＡに対応するＤＬ−ＤＭＲＳ−ｃｏｎｆｉｇ−ｔｙｐｅ＝１、ＤＬ−ＤＭＲＳ−ｍａｘ−ｌｅｎ＝２であり、下り共有チャネルマッピングタイプＢに対応するＤＬ−ＤＭＲＳ−ｃｏｎｆｉｇ−ｔｙｐｅ＝１、ＤＬ−ＤＭＲＳ−ｍａｘ−ｌｅｎ＝１であると仮定すると、ここで、基地局がマッピングタイプＡに従って伝送指示情報を送信すると、伝送指示情報のうち、アンテナポートドメインのサイズは５であるべきであり、マッピングタイプＢに従って伝送指示情報を送信すると、アンテナポートドメインのサイズは４であるべきである。このとき、指示検出ユニット７００は、基地局が送信する伝送指示情報内のアンテナポートドメインのサイズが５か４かを決定することができないが、伝送指示情報を一度に検出するために、指示検出ユニット７００は、２つのマッピングタイプの中で対応するアンテナポートドメインサイズがより大きい１つに従って直接に検出してもよく、すなわち、上記の例ではアンテナポートドメインが５であることに従って伝送指示情報の検出を行う。
【０１４９】
時間領域リソース決定装置７０は、伝送指示情報が運ぶインデックス識別に基づいて帯域幅パートリソース切り替え後に伝送に使用されるターゲット帯域幅パートリソースを決定した後、切り替え決定ユニット７０２は、ターゲット帯域幅パートリソースと帯域幅パートリソース切り替え前に使用される元帯域幅パートリソースに基づいて今回の帯域幅パートリソース切り替えに必要な切り替えタイムスロット数を決定してもよい。
【０１５０】
すべての帯域幅パートリソース切り替えに必要な切り替え時間長は同じであるとは限らなく、ターゲット帯域幅パートリソースが同じであっても、異なる元帯域幅パートリソースから切り替えると、必要な切り替え時間長が異なる可能性があり、同様に、元帯域幅パートリソースが同じであっても、ターゲット帯域幅パートリソースが異なると、必要な切り替え時間長も異なる可能性があることは理解されるべきである。ターゲット帯域幅パートリソースと元帯域幅パートリソースがいずれも異なる切り替えシーンは言うまでもない。したがって、異なる切り替えシーンは、異なる切り替え時間長に対応する可能性がある。
【０１５１】
本実施例では、切り替えシーンは、主に元帯域幅パートリソースとターゲット帯域幅パートリソースとの構成パラメータの間の関係に基づいて決定される。１つの切り替えシーンでは、元帯域幅パートリソースとターゲット帯域幅パートリソースとの間は、同じＢＷを有するが、両者の中心周波数は異なり、別の切り替えシーンでは、元帯域幅パートリソースとターゲット帯域幅パートリソースとの間は、同じ中心周波数を有するが、両者のＢＷは異なる。上記の実施例では、帯域幅パートリソース切り替えの４つの切り替えシーンをすでに紹介しており、ターゲット帯域幅パートリソースを決定した後、切り替え決定ユニット７０２はターゲット帯域幅パートリソースの構成パラメータと元帯域幅パートリソースの構成パラメータに基づいて、現在の帯域幅パートリソース切り替えシーンが上記のいくつかのシーンのいずれに属するかを決定することができる。基地局が端末のために帯域幅パートリソースを構成した後、端末側が各帯域幅パートリソースの構成パラメータを記憶することは理解されるべきである。もちろん、本実施例のいくつかの別の例では、端末側が各帯域幅パートリソースの構成パラメータを記憶しなくても、基地局は、伝送指示情報によって切り替え決定ユニット７０２に知らせることができる。
【０１５２】
ここで、ターゲット帯域幅パートリソースＣは、元帯域幅パートリソースＡと比べ、伝送帯域幅リソースが同じＢＷを有するが、両者の中心周波数が異なると仮定するため、切り替え決定ユニット７０２は、両者の構成パラメータに基づいて、現在必要な帯域幅パートリソース切り替えがシーン１の帯域幅パートリソース切り替えに属すると決定することができる。
【０１５３】
本実施例では、時間領域リソース決定装置７０は、切り替えシーンと切り替え時間長のマッピング関係を予め記憶しており、各切り替えシーンはいずれも対応する切り替え時間長がある。本実施例のいくつかの別の例では、切り替え時間長は、切り替えシーンのみでなく、端末と基地局との通信に使用されるキャリアの周波数レベル、端末の性能にも関係がある。例えば、１つの例では、時間領域リソース決定装置７０はシーン−時間マッピング関係テーブルを記憶し、実施例１における表３を参照してください。
【０１５４】
表３の周波数レベルの１列において、「１」はキャリア周波数が６ＧＨｚ未満のシーンを表し、「２」はキャリア周波数が６ＧＨｚ以上のシーンを表す。「タイプ１の切り替え時間長」は、性能の高い端末が各種の切り替えシーンにおける切り替え時間長に対応し、「タイプ２の切り替え時間長」は、性能の低い端末が各種の切り替えシーンにおける切り替え時間長に対応する。
【０１５５】
切り替え決定ユニット７０２は、現在の帯域幅パートリソース切り替えシーンを決定した後、端末の通信によって使用されるキャリア周波数帯域と端末の性能に基づいて、対応する切り替え時間長を決定してもよい。ある端末の性能が高く、レベル１の周波数帯域を使用して通信し、かつ切り替え決定ユニット７０２が現在シーン１の帯域幅パートリソース切り替えを行おうとすると決定すると仮定する場合、切り替え決定ユニット７０２は、表３を照会することにより、今回の帯域幅パートリソース切り替えが６００ｕｓの切り替え時間長が必要であると決定する。
【０１５６】
切り替え決定ユニット７０２は、切り替え時間長を決定した後、切り替え時間長を切り替えタイムスロット数に変換する必要がある。切り替えタイムスロット数の数は、切り替え時間長だけではなく、ターゲット帯域幅パートリソースのサブキャリア間隔にも関係があることが理解されるべきである。切り替え決定ユニット７０２は、まず、ターゲット帯域幅パートリソースのサブキャリア間隔に対応するタイムスロットの長さを決定し、そして切り替え時間長と単一のタイムスロットの長さの比率を計算して該比率を切り上げることで切り替えタイムスロット数を計算して得てもよい。
【０１５７】
切り替え決定ユニット７０２が切り替えタイムスロット数を計算した後、ターゲットタイムスロット決定ユニット７０４は、該切り替えタイムスロット数に基づいてターゲット帯域幅パートリソースを採用してデータ伝送を行う場合のターゲットタイムスロットズレの値、すなわちターゲット時間領域リソースのある位置を決定してもよい。
【０１５８】
本実施例では、帯域幅パートリソース切り替えが必要な場合、基地局から時間領域リソース決定装置７０に送信される伝送指示情報には、時間領域リソース割り当て指示情報が含まれており、ターゲットタイムスロット決定ユニット７０４は、該時間領域リソース割り当て指示情報に基づいて、ターゲット帯域幅パートリソースの時間領域リソース割り当てテーブルと関連して基本タイムスロットズレを決定してもよい。ここでは、伝送指示情報がＤＣＩ情報であることを用いて説明する。ＤＣＩ情報には、時間領域リソース割り当てドメインが含まれており、該時間領域リソース割り当てドメインは、時間領域リソース割り当てテーブルのある行を指定するために用いられ、すなわち時間領域リソース割り当てテーブル内の２つの基本タイムスロットズレから１つを指定するために用いられる。そしてターゲットタイムスロット決定ユニット７０４は、基本タイムスロットズレと切り替えタイムスロット数の和を求めて今回の帯域幅パートリソース切り替えに対応するターゲットタイムスロットズレを決定してもよい。
【０１５９】
ターゲットタイムスロット決定ユニット７０４が、ターゲットタイムスロットズレを決定するのは、端末と基地局との間のデータ伝送のタイムスロット位置を決定するためであり、したがって、端末側の時間領域リソース決定装置７０が該ターゲットタイムスロットズレを決定する必要があるだけでなく、基地局も該ターゲットタイムスロットズレを知るべきであることが理解できる。両者がターゲットタイムスロットズレに対応するターゲット時間領域リソース位置で正常なデータ伝送を行うために、基地局とターゲットタイムスロット決定ユニット７０４が決定したターゲットタイムスロットズレは一致するべきである。したがって、基地局側も、端末側と同じ方法でターゲットタイムスロットズレを計算すべきであり、これは、基地局がターゲットタイムスロット決定ユニット７０４と同様の基準を採用して現在の帯域幅パートリソース切り替えが属する切り替えシーンを決定し、同じ切り替えシーンと切り替え時間長との間のマッピング関係を記憶する（例えば、基地局も表３を記憶する）必要があり、また、基地局は端末性能などを知る必要がある。
【０１６０】
ターゲットタイムスロットズレを決定した後、端末は、ターゲットタイムスロットズレに対応するターゲット時間領域リソース位置で基地局とデータ伝送を行ってもよい。ターゲットタイムスロットズレは、上りターゲットタイムスロットズレおよび／または下りターゲットタイムスロットズレを含んでもよいことが理解されるべきである。ターゲットタイムスロット決定ユニット７０４で決定されたターゲットタイムスロットズレが下りターゲット伝送データであると仮定すると、端末は、対応するターゲットタイムスロットズレで基地局から送信されたデータを受信してもよく、ターゲットタイムスロット決定ユニット７０４が決定したターゲットタイムスロットズレが上りターゲットタイムスロットズレである場合、端末は、対応するターゲットタイムスロットズレで基地局にデータを送信してもよい。
【０１６１】
時間領域リソース決定装置７０が端末に配備されている場合、時間領域リソース決定装置７０における時間領域リソース決定装置７０、切り替え決定ユニット７０２およびターゲットタイムスロット決定ユニット７０４の機能はいずれも端末のプロセッサによって実現されてもよい。一方、指示検出ユニット７００の機能は、端末のプロセッサと通信ユニットとによって共同で実現されてもよい。
【０１６２】
本発明実施例に係る時間領域リソース決定装置では、端末側の時間領域リソース決定装置は、元帯域幅パートリソースとターゲット帯域幅リソースに基づいて現在の切り替えに必要な切り替えタイムスロット数を決定し、ひいてはターゲットタイムスロットズレを計算することができるため、基地局は、帯域幅パートリソース切り替えのために、時間領域リソース割り当てテーブルに、切り替え専用指示行をわざわざ設定する必要はなく、したがって、時間領域リソース割り当てテーブルに専用指示行を設定することで時間領域リソース割り当てテーブルが他の伝送の指示情報に対する運びに影響を与えることを回避する。関連態様において、時間領域リソース割り当てテーブルにおいて常時切り替え専用指示行を設定する必要があるため、帯域幅パートリソース切り替えが必要でないシーンで時間領域リソース割り当てテーブルのスペースを浪費する問題も回避した。これはリソースの伝送を最適化し、リソースの利用率を向上させるのに役立つ。
【０１６３】
さらに、基地局は、時間領域リソース割り当てテーブルを構成する際に、端末が帯域幅パートリソース切り替えを行う切り替え時間長に構成された伝送タイムスロットが満足するか否かを気にする必要がないため、時間領域リソース割り当てテーブルの構成作業をより簡単にすることができる。
【０１６４】
実施例５
本実施例は、１つ以上のプロセッサによる読み取り、コンパイルおよび実行が可能な１つ以上のコンピュータプログラムを記憶してもよい記憶媒体を提供し、本実施例では、該記憶媒体は、時間領域リソース割り当てプログラムと時間領域リソース決定プログラムのうちの少なくとも１つを記憶してもよく、時間領域リソース割り当てプログラムは、１つ以上のプロセッサによって実行可能であり、上記の実施例１と実施例２で紹介したいずれかの時間領域リソース割り当て方法のステップを実現する。時間領域リソース決定プログラムは、１つ以上のプロセッサによって実行可能であり、上記の実施例１と実施例２で紹介したいずれかの時間領域リソース決定方法のステップを実現する。
【０１６５】
本実施例は、基地局をさらに提供し、図９に示す基地局のハードウェア構造模式図を参照してください。
【０１６６】
基地局９は、第１プロセッサ９１と、第１メモリ９２と、第１通信装置９３と、第１通信バス９４とを含む。第１通信バス９４は、第１メモリ９２および第１通信装置９３と、第１プロセッサ９１との通信接続をそれぞれ実現することに用いられる。
【０１６７】
第１メモリ９２は、前記時間領域リソース割り当てプログラムが記憶されている記憶媒体であってもよく、第１プロセッサ９１は、第１メモリ９２に記憶されている時間領域リソース割り当てプログラムを読み取り、コンパイルして実行し、第１通信装置９３の協力の下で、実施例１と実施例２で紹介したいずれかの時間領域リソース割り当て方法を実施するステップを実現してもよい。
【０１６８】
端末とデータ伝送を行う帯域幅パートリソースの帯域幅パートリソース切り替えを行う必要があると決定した場合、第１プロセッサ９１は切り替え後に伝送に用いられるターゲット帯域幅パートリソースを決定し、第１通信装置９３を、切り替え前に使用した元帯域幅パートリソースでターゲット帯域幅パートリソースインデックス識別を含む伝送指示情報を端末に送信するように制御する。伝送指示情報におけるインデックス識別は、端末に、ターゲット帯域幅パートリソースを決定させ、ターゲット帯域幅パートリソースと元帯域幅パートリソースに基づいて今回の帯域幅パートリソース切り替えに必要な切り替えタイムスロット数を決定させてもよく、同時に、伝送指示情報には時間領域リソース割り当て指示情報がさらに含まれており、端末は、該時間領域リソース割り当て指示情報に基づいて基地局９によって指定された基本タイムスロットズレを決定し、そして切り替えタイムスロット数と関連すると、ターゲット帯域幅パートリソースを採用してデータ伝送を行うターゲットタイムスロットズレを決定してもよい。
【０１６９】
基地局９の第１プロセッサ９１が時間領域リソース割り当てプログラムを実行して時間領域リソース割り当て方法を実現する具体的な詳細については、前記各実施例の紹介を参照し、ここでは説明を省略する。
【０１７０】
本実施例は、端末をさらに提供し、図１０は端末のハードウェア構造模式図を提供する。
端末１は、第２プロセッサ１１と、第２メモリ１２と、第２通信装置１３と、第２プロセッサ１１と第２メモリ１２、第２プロセッサ１１と第２通信装置１３を接続するための第２通信バス１４とを含む。
【０１７１】
ここで、第２メモリ１２は、前述した時間領域リソース決定プログラムが記憶されている記憶媒体であってもよい。第２プロセッサ１１は、第２メモリ１２に記憶されている時間領域リソース決定プログラムを読み取り、コンパイルして実行することにより、第２通信装置１３の協力の下で、実施例１と実施例２で紹介したいずれかの時間領域リソース決定方法を実施するステップを実現してもよい。
【０１７２】
第２通信装置１３は、第２プロセッサ１１の制御の下で伝送指示情報を受信してもよく、第２プロセッサ１１は、第２通信装置１３が受信した伝送指示情報に基づいて帯域幅パートリソース切り替えを行う必要があるか否かを決定してもよく、帯域幅パートリソース切り替えを行う必要があると決定した場合、第２プロセッサ１１は、伝送指示情報が運ぶインデックス識別に基づいて帯域幅パートリソース切り替え後に伝送に使用されるターゲット帯域幅パートリソースを決定し、ターゲット帯域幅パートリソースと元帯域幅パートリソースに基づいて今回の帯域幅パートリソース切り替えに必要な切り替えタイムスロット数を決定する。その後、第２プロセッサ１１は、切り替えタイムスロット数と伝送指示情報における時間領域リソース割り当て指示情報によって指定された基本タイムスロットズレに基づいて、ターゲット帯域幅パートリソースを採用してデータ伝送を行うターゲットタイムスロットズレを決定する。
【０１７３】
端末１の第２プロセッサ１１が時間領域リソース決定プログラムを実行して時間領域リソース決定方法を実現する具体的な詳細については、前記各実施例の紹介を参照し、ここでは説明を省略する。
【０１７４】
本実施例に係る基地局、端末および記憶媒体は、端末は自ら基地局が提供した情報に基づいて切り替えタイムスロット数を決定し、ひいてはターゲットタイムスロットズレを決定してもよく、時間領域リソース割り当てテーブルにおける切り替え専用指示行に依存する必要がなく、帯域幅パートリソース切り替えが時間領域リソース割り当てテーブルに対する占有を大きく低減し、時間領域リソース割り当てテーブルにおけるスペースを節約し、他の伝送の指示情報により多くの伝送機会を提供し、リソースの最適化構成の実現に有利である。
【０１７５】
当業者は、本出願の各実施例に係る時間領域リソース割り当て方法、装置、時間領域リソース決定方法、装置、および基地局、端末、記憶媒体が、５Ｇ通信システムだけでなく、将来のいずれかの通信システムにも適用してもよいことを理解すべきである。
【０１７６】
当業者であれば、前記本発明実施例の各モジュールと各ステップは、汎用的な計算装置で実現可能であり、１つの計算装置に集中してもよいか、あるいは、複数の計算装置からなるネットワークに分布してもよく、好ましくは、計算装置における実行可能なプログラムコードで実現可能であるため、コンピュータ記憶媒体（ＲＯＭ／ＲＡＭ、磁器ディスク、光ディスク）に記憶されて計算装置により実行してもよく、且ついくつかの状況では、ここで示すか又は説明したステップとは異なる順序で実行してもよく、あるいは、それぞれ集積回路のモジュールにし、あるいは、それらの複数のモジュール又はステップを単体の集積回路のモジュールにして実現する。このため、本出願は特定のハードウェアとソフトウェアの組み合わせに制限されない。
【０１７７】
以上の内容は、具体的な実施形態に関連して本発明実施例についてさらに詳細に説明したものであり、本出願の具体的な実施はこれらの説明に限定されると考えることはできない。当業者にとっては、本出願の構想を逸脱することなく、いくつかの簡単な推論または代替を行ってもよく、いずれも本出願の保護範囲に属するものとみなすべきである。
【図１】
2021521731.tif 000011
【図２】
2021521731.tif 000012
【図３】
2021521731.tif 000013
【図４】
2021521731.tif 000014
【図５】
2021521731.tif 000015
【図６】
2021521731.tif 000016
【図７】
2021521731.tif 000017
【図８】
2021521731.tif 000018
【図９】
2021521731.tif 000019
【図１０】
2021521731.tif 000020
【手続補正書】
【提出日】令和2年11月9日(2020.11.9)
【手続補正１】
【補正対象書類名】明細書
【補正対象項目名】全文
【補正方法】変更
【補正の内容】
【発明の詳細な説明】
【技術分野】
【０００１】
（関連出願の相互参照）
本出願は、出願番号２０１８１０４４９６０７．６、出願日２０１８年５月１１日の中国特許出願に基づいて提出し、該中国特許出願の優先権を主張するものであり、該中国特許出願の全ての内容が引用により本出願に援用される。
【０００２】
（技術分野）
本出願は、通信分野に関し、例えば、時間領域リソース割り当て・決定方法、装置、基地局、端末および記憶媒体に関する。
【背景技術】
【０００３】
第５世代移動通信（５ｔｈ  Ｇｅｎｅｒａｔｉｏｎ、５Ｇ）技術は、ユーザ機器（Ｕｓｅｒ  Ｅｑｕｉｐｍｅｎｔ、ＵＥ）の消費エネルギーを低減するために、帯域幅パート（Ｂａｎｄｗｉｄｔｈ  Ｐａｒｔ、ＢＷＰ）の概念を導入した。基地局は、まずＵＥのために１グループのＢＷＰを構成し、その後、基地局は、下り制御情報によってＢＷＰを動的に切り替えることをＵＥに指示することができる。ＵＥは、元ＢＷＰからターゲットＢＷＰへの切り替えを完了するために一定の時間が必要であるため、基地局が時間領域リソース割り当てを行う際には、十分なＢＷＰ切り替え時間数を確保する必要があり、そうでなければ、ＵＥのＢＷＰ切り替えは失敗する。ただし、関連する態様では、時間領域リソース割り当てテーブルに、切り替えが発生した後のターゲットタイムスロットズレを指定するために、切り替え専用指示行を設定する必要があるため、切り替えが発生したか否かに係らず、時間領域リソース割り当てテーブルには常に１つ以上の切り替え専用指示行が存在する。時間領域リソース割り当てテーブルの行数が限られており、切り替え専用指示行を設定した後、他の伝送の指示情報を運べる利用可能な行が少なくなり、他の伝送の指示情報に対する伝送をある程度制限した。
【発明の概要】
【発明が解決しようとする課題】
【０００４】
本発明実施例によって提供される時間領域リソース割り当て・決定方法、装置、基地局、端末および記憶媒体は、主に以下の技術的問題を解決する。現段階で提案されている基地局がＢＷＰの時間領域リソース割り当てテーブルに切り替え専用指示行を設定して帯域幅パートリソース切り替えの場合のターゲットタイムスロットズレを指定する態様は、時間領域リソース割り当てテーブルの行を大量に占有する必要があり、他の伝送の指示情報の伝送を制限し、リソースの最適化構成に不利である。
【課題を解決するための手段】
【０００５】
上述した技術的問題を解決するために、本発明実施例は、
元帯域幅パートリソースとターゲット帯域幅パートリソースに基づいて今回の帯域幅パートリソース切り替えに必要な切り替えタイムスロット数を決定し、前記元帯域幅パートリソース、前記ターゲット帯域幅パートリソースは、それぞれ、端末が今回の帯域幅パートリソース切り替えの前又は後に使用する帯域幅パートリソースであることと、
前記切り替えタイムスロット数と基本タイムスロットズレに基づいて前記ターゲット帯域幅パートリソースを採用してデータ伝送を行うターゲットタイムスロットズレを決定し、前記基本タイムスロットズレは、基地局が送信する伝送指示情報に運ばれる時間領域リソース割り当て指示情報に基づいて決定することと、を含む、時間領域リソース決定方法を提供する。
【０００６】
本発明実施例は、
今回の帯域幅パートリソース切り替え後に伝送に使用されるターゲット帯域幅パートリソースを決定することと、
前記ターゲット帯域幅パートリソースインデックス識別と時間領域リソース割り当て指示情報とを含む伝送指示情報を端末に送信することと、を含む、時間領域リソース割り当て方法をさらに提供する。
【０００７】
本発明実施例は、
元帯域幅パートリソースとターゲット帯域幅パートリソースに基づいて今回の帯域幅パートリソース切り替えに必要な切り替えタイムスロット数を決定し、前記元帯域幅パートリソース、前記ターゲット帯域幅パートリソースは、それぞれ、端末が今回の帯域幅パートリソース切り替えの前又は後に使用する帯域幅パートリソースであるように設定される切り替え決定ユニットと、
前記切り替えタイムスロット数と基本タイムスロットズレに基づいて前記ターゲット帯域幅パートリソースを採用してデータ伝送を行うターゲットタイムスロットズレを決定し、前記基本タイムスロットズレは、基地局が送信する伝送指示情報に運ばれる時間領域リソース割り当て指示情報に基づいて決定するように設定されるターゲットタイムスロット決定ユニットと、を含む、時間領域リソース決定装置をさらに提供する。
【０００８】
本発明実施例は、
今回の帯域幅パートリソース切り替え後に伝送に使用されるターゲット帯域幅パートリソースを決定するように設定される切り替え決定ユニットと、
前記ターゲット帯域幅パートリソースインデックス識別と時間領域リソース割り当て指示情報とを含む伝送指示情報を端末に送信するように設定される指示伝送ユニットと、を含む、時間領域リソース割り当て装置をさらに提供する。
【０００９】
本発明実施例は、プロセッサ、メモリ、通信装置および通信バスを含む基地局であって、
通信バスは、プロセッサとメモリ、プロセッサと通信装置の接続及び通信を実現するように設定され、
プロセッサはメモリに記憶されている少なくとも１つのプログラムを実行するように設定されることによって上述したいずれか１項の時間領域リソース割り当て方法を実現する、基地局をさらに提供する。
【００１０】
本発明実施例は、プロセッサ、メモリ、通信装置および通信バスを含む端末であって、
通信バスは、プロセッサとメモリ、プロセッサと通信装置の接続及び通信を実現することに用いられ、
プロセッサはメモリに記憶されている少なくとも１つのプログラムを実行することに用いられることによって上述したいずれか１項の時間領域リソース決定方法を実現する、端末をさらに提供する。
【００１１】
本発明実施例は、時間領域リソース割り当てプログラムと、時間領域リソース決定プログラムのうちの少なくとも１つを記憶している記憶媒体であって、時間領域リソース割り当てプログラムが少なくとも１つのプロセッサに実行されることによって上述したいずれか１項の時間領域リソース割り当て方法を実現し、時間領域リソース決定プログラムは少なくとも１つのプロセッサに実行されることによって上述したいずれか１項の時間領域リソース決定方法を実現する、記憶媒体をさらに提供する。
【発明の効果】
【００１２】
本発明実施例は、時間領域リソース割り当て・決定方法、装置、基地局、端末および記憶媒体を提供し、ＢＷＰの時間領域リソース割り当てテーブルに切り替え専用指示行を設定すると、他の伝送指示情報の伝送を制限することになりやすく、リソースの最適化構成に不利である問題に対し、本発明実施例に係る態様では、端末とデータ伝送を行う帯域幅パートリソースに対して帯域幅パートリソースを切り替える必要がある場合、基地局は、切り替え後に伝送に使用されるターゲット帯域幅パートリソースを決定し、ターゲット帯域幅パートリソースインデックス識別を含む伝送指示情報を端末に送信してもよい。端末は伝送指示情報を受信した後、ターゲット帯域幅パートリソースと元帯域幅パートリソースに基づいて今回の帯域幅パートリソース切り替えに必要な切り替えタイムスロット数を決定してもよく、これにより、切り替えタイムスロット数と基地局が指定した基本タイムスロットズレに基づいてターゲットタイムスロットズレを決定する。本発明実施例に係る態様では、帯域幅パートリソースを切り替える時に、端末は自ら基地局が提供した情報に基づいて切り替えタイムスロット数を決定し、基地局が指示した基本タイムスロットズレに関連してターゲットタイムスロットズレを決定してもよく、時間領域リソース割り当てテーブルにおける切り替え専用指示行に依存する必要がない。したがって、本発明実施例に係る態様に基づくと、時間領域リソース割り当てテーブルにおいて、切り替え専用指示行として１つ以上の行を採用する必要がなく、これは帯域幅パートリソース切り替えが時間領域リソース割り当てテーブルに対する占有を大きく低減し、時間領域リソース割り当てテーブルにおけるスペースを節約し、他の伝送の情報の伝送により多くの機会を提供し、リソースの最適化構成の実現に有利である。同時に、時間領域リソース割り当てテーブルにおける切り替え専用指示行によってターゲットタイムスロットズレを指示する態様が、帯域幅パートリソース切り替えを行わない時においても、時間領域リソース割り当てテーブルに切り替え専用指示行をリザーブする必要があり、これは大きなリソースの浪費をもたらすため、現段階で提案された態様に対し、本発明実施例に係る態様は、リソース利用率を向上させた。
【００１３】
本出願の他の特徴および対応する有益な効果は、明細書の後ろの部分で説明され、少なくとも部分的な有益な効果は、本出願の明細書の記載から自明になることが理解されるべきである。
【図面の簡単な説明】
【００１４】
【図１】本発明実施例１に係る時間領域リソース割り当てプロセスにおける基地局と端末の相互作用図である。
【図２】本発明実施例１に係る端末ブラインド検出のフローチャートである。
【図３】本発明実施例１に係る端末が、ターゲット帯域幅パートリソースと元帯域幅パートリソースに基づき、切り替えタイムスロットの数を決定するフローチャートである。
【図４】本発明実施例２に係る時間領域リソース割り当て方法のフローチャートである。
【図５】本発明実施例２に係る時間領域リソース決定方法のフローチャートである。
【図６】本発明実施例３に係る時間領域リソース割り当て装置の構造模式図である。
【図７】本発明実施例４に係る時間領域リソース決定装置の構造模式図である。
【図８】本発明実施例４に係る時間領域リソース決定装置の他の構造模式図である。
【図９】本発明実施例５に係る基地局のハードウェア構造模式図である。
【図１０】本発明実施例５に係る端末のハードウェア構造模式図である。
【発明を実施するための形態】
【００１５】
本出願の目的、技術案および利点をより明確にするために、以下、具体的な実施形態と図面を結び付けることにより、本発明実施例に対してより詳しく説明する。ここで説明される具体的な実施例は、本出願を解釈するためにのみ使用され、本出願を限定するために使用されないことを理解すべきである。
【００１６】
実施例１
無線通信技術の発展とユーザの通信需要の増加に伴い、より高くてより速くてより新しい通信ニーズを満たすために、５Ｇ技術は将来のネットワーク発展のトレンドとなっている。従来のロングタームエボリューション技術（Ｌｏｎｇ  Ｔｅｒｍ  Ｅｖｏｌｕｔｉｏｎ、ＬＴＥ）に比べて、５Ｇは多くの面で対応する改良を行った。例えば、通信プロセスにおけるＵＥの消費エネルギーを低減するために、５Ｇにおいて、ＵＥは、伝送する必要があるデータのタイプに応じて対応するＢＷＰを選択することができ、これは、従来のＬＴＥ技術においてＵＥのすべての伝送が同じ帯域幅を使用して不要なエネルギー浪費をもたらしやすい問題を回避するのに役立つ。
【００１７】
ＵＥが伝送する前に、基地局は、ＵＥのために上りリンクのためのＢＷＰと下りリンクのためのＢＷＰとを含む１グループのＢＷＰを構成し、通常、基地局はＵＥのために４つの下りリンクＢＷＰと４つの上りリンクＢＷＰを構成する。サブキャリア間隔（ＳＣＳ）、帯域幅と周波数領域位置などは、異なるＢＷＰに対して独立して構成されてもよく、即ち、異なるＢＷＰは、異なる構成パラメータを有してもよい。基地局は、下り制御情報（Ｄｏｗｎｌｉｎｋ  Ｃｏｎｔｒｏｌ  Ｉｎｆｏｒｍａｔｉｏｎ、ＤＣＩ）によって、伝送に使用されるＢＷＰを動的に切り替えることをＵＥに指示し、ＵＥが異なる伝送需要に応じて適切なＢＷＰに切り替えることができるため、伝送における消費エネルギーを低減することができる。ＢＷＰ切り替えとは、現在使用されているＢＷＰ（説明しやすくするために、以降で「元ＢＷＰ」と呼ぶ）から新しいＢＷＰ（説明しやすくするために、以降で「ターゲットＢＷＰ」と呼ぶ）に変換することである。注意する必要があるのは、受信したＤＣＩに基づいてＢＷＰ切り替えが必要であると決定してから、ターゲットＢＷＰに切り替えるまでのプロセスにおいてＵＥはデータの送受信を行わない。ＢＷＰ切り替えが完了した後でのみ、ＵＥはターゲットＢＷＰでデータ伝送を継続することができる。
【００１８】
ＢＷＰ切り替えには一定の時間が必要であり、基地局が時間領域リソース割り当てを行う際に、ＵＥのために十分な切り替え時間長を確保できないと、ＵＥのＢＷＰ切り替え失敗をもたらすことが理解されるべきである。ＵＥに十分な切り替え時間長を確保するために、現段階で提案された態様は、ＢＷＰの時間領域リソース割り当てテーブルに基地局がＢＷＰ切り替え専用の「切り替え専用指示行」を設定し、基地局は、切り替え専用指示行において、対応する切り替え後のターゲットタイムスロットズレを指示し、該ターゲットタイムスロットズレは、基地局が計算することによって得られ、ＵＥが十分な切り替え時間長を有することを確実にすることができることを理解されるべきである。
【００１９】
基地局がＵＥのために４つの下りリンクＢＷＰを構成した例では、各ＢＷＰの時間領域リソース割り当てテーブルには、いずれも３つの切り替え専用指示行が含まれるべきであり、他の３つのＢＷＰから該ＢＷＰに切り替えるシーンにそれぞれ対応する。例えば、下りリンクの４つのＢＷＰがそれぞれＡ、Ｂ、Ｃ、Ｄである場合、Ａの時間領域リソース割り当てテーブルには、ＢからＡへの切り替えシーンに対応するターゲットタイムスロットズレ、ＣからＡへの切り替えシーンに対応するターゲットタイムスロットズレおよびＤからＡへの切り替えシーンに対応するターゲットタイムスロットズレをそれぞれ指示するために、３つの切り替え専用指示行が設定さ設定される。Ｂの時間領域リソース割り当てテーブルにも、ＡからＢへの切り替えシーンに対応するターゲットタイムスロットズレ、ＣからＢへの切り替えシーンに対応するターゲットタイムスロットズレおよびＤからＢへの切り替えシーンに対応するターゲットタイムスロットズレをそれぞれ指示するために、３つの切り替え専用指示行がある。同様に、ＣとＤの時間領域リソース割り当てテーブルにおいても同様である。したがって、基地局が、両者の間の通信に使用されるＢＷＰをＤからＢに切り替えるようにＵＥに指示する必要がある場合、基地局は、元のＢＷＰ、すなわちＤでＤＣＩ情報をＵＥに送信し、該ＤＣＩ情報では、基地局は、ＵＥがターゲットＢＷＰ、すなわちＢに切り替えるように指示する。同時に、ＵＥに送信されるＤＣＩ情報には、時間領域リソース割り当て指示ドメインを運び、時間領域リソース割り当てテーブルのうちのどの行に基づいてターゲットタイムスロットズレを決定するかを端末に指定するために使用され、このように、ＵＥは、時間領域リソース割り当てテーブルを照会することによってＤからＢに切り替えた後に対応するターゲット時間領域リソースの位置を決定することができる。
【００２０】
時間領域リソース割り当てテーブルの行数は限られており、無限に拡張できないことが理解されるべきである。具体的には、時間領域リソース割り当てテーブルの行数は、ＤＣＩ情報における時間領域リソース割り当て指示ドメインが占めるビット数と関係があってもよく、通常の行数は２ｎであり、ｎはＤＣＩ情報における時間領域リソース割り当て指示ドメインが占めるビット数である。例えば、ｎが２の場合、時間領域リソース割り当てテーブルは４行を有してもよく、ｎが３の場合、時間領域リソース割り当てテーブルは８行を有してもよい。したがって、時間領域リソース割り当てテーブルに各切り替えシーンに対応する切り替え専用指示行が設定された場合、時間領域リソース割り当てテーブルは残りの行を用いて他の伝送の情報を運ぶしかない。引き続き基地局がＵＥのために４つの下りリンクＢＷＰを構成した場合を例として、時間領域リソース割り当てテーブルが４行を含む場合、基地局は残りの１行だけを使用して他の伝送の指示情報を運び、時間領域リソース割り当てテーブルが８行を含む場合、基地局は残りの５行を使用して他の伝送の指示情報を運ぶことができる……これは他の指示情報の伝送を厳しく制限してしまう。さらに、ＤＣＩ情報の時間領域リソース割り当て指示ドメインが１ｂｉｔしか占めない場合、時間領域リソース割り当てテーブルは２行でしかないため、時間領域リソース割り当てテーブルは、必要なすべての切り替え専用指示行をカバーすることすらできない。
【００２１】
上記時間領域リソース割り当て態様では、時間領域リソース割り当てテーブルを占有することによって切り替え専用指示行を設定することによって、他の指示情報の伝送に対して深刻な制限を与えてしまう問題を解決するため、本実施例は、時間領域リソース割り当て方法と時間領域リソース決定方法を提供し、時間領域リソース割り当て方法は基地局側で実行されてもよく、時間領域リソース決定方法は端末側で実行されてもよく、図１を参照し、図１は、基地局が時間領域リソース割り当て方法を実行し、端末が時間領域リソース決定方法を実行し、時間領域リソース割り当てプロセスにおける相互作用を実現する模式図を示した。
【００２２】
Ｓ１０２において、基地局が切り替え後に伝送に使用されるターゲット帯域幅パートリソースを決定する。
【００２３】
基地局と端末の間でデータ伝送を行うプロセスでは、両者の間で伝送されるデータのタイプが絶えず変化する可能性があり、あるデータに対しては大きな帯域幅リソースが必要であり、他のデータによっては帯域幅リソースに対する要求が高くない可能性があり、したがって、端末側でのデータ送受信による消費電力を低減するために、且つ帯域幅リソースを合理的に利用するために、基地局は、現在伝送待ちのデータのタイプに応じて、端末のために構成される各帯域幅パートリソースから、現在伝送待ちのデータの伝送のために１つ以上を合理的に選択する。基地局が再選択した帯域幅パートリソースが、現在使用されている帯域幅パートリソースとは異なる場合、「帯域幅パートリソース切り替え」が必要となり、したがって、帯域幅パートリソース切り替えとは、実際には、現在使用中の「元帯域幅パートリソース」から新たな「ターゲット帯域幅リソース」に切り替えるプロセスを意味する。本実施例で言及された「帯域幅パートリソース」は、実際には連続するリソースブロック（Ｒｅｓｏｕｒｃｅ  Ｂｌｏｃｋ、ＲＢ）リソースを指し、ＢＷＰリソースとも呼ばれる。
【００２４】
基地局が、端末との間で使用される帯域幅パートリソースを切り替える必要があると決定した場合、ターゲット帯域幅パートリソースのインデックス識別を取得する。例えば、基地局と端末との間で下りデータ伝送が間もなく行われるが、基地局は、現在使用されている帯域幅パートリソースＡが不適切であり、帯域幅パートリソースＣを使用する必要があることを発見した場合、基地局は、Ｃをターゲット帯域幅パートリソースとすることを決定し、したがって、ターゲット帯域幅パートリソースのインデックス識別（Ｉｎｄｅｘ）が「ｃ」であることを取得する。
【００２５】
Ｓ１０４において、基地局はターゲット帯域幅パートリソースインデックス識別と時間領域リソース割り当て指示情報とを含む伝送指示情報を端末に送信する。
【００２６】
ターゲット帯域幅パートリソースを決定した後、基地局は、ターゲット帯域幅パートリソースのインデックス識別を運ぶ伝送指示情報を端末に送信する。本実施例では、基地局は元帯域幅パートリソースを使用して端末に該伝送指示情報を送信するため、いくつかの例では、基地局は帯域幅パートリソースＡを使用して伝送指示情報を送信する。本実施例のいくつかの例では、伝送指示情報は、ＤＣＩ、すなわち下りリンク制御情報を含んでもよいが、これに限定されない。
【００２７】
同時に、基地局によって送信される伝送指示情報には、端末に指定する基本タイムスロットズレの時間領域リソース割り当て指示情報がさらに含まれてもよく、基本タイムスロットズレは、端末側が帯域幅パートリソース切り替えに必要な切り替えタイムスロット数を計算した後に、ターゲットタイムスロットズレを計算することに用いられる。基地局は、伝送指示情報（例えば、ＤＣＩ情報）における時間領域リソース割り当て指示ドメインを時間領域リソース割り当て指示情報としてもよく、時間領域リソース割り当て指示ドメインは、時間領域リソース割り当てテーブルと連携して端末に基本タイムスロットズレを指定する。基地局が時間領域リソース割り当てテーブルを構成した後、端末は該時間領域リソース割り当てテーブルを取得してもよく、時間領域リソース割り当てテーブルには、少なくとも２つの基本タイムスロットズレが構成されてもよく、この少なくとも２つの基本タイムスロットズレからどれを選択するかを端末に知らせるために、基地局は、ＤＣＩ情報に時間領域リソース割り当て指示ドメインを運び、該時間領域リソース割り当て指示ドメインは、端末が時間領域リソース割り当てテーブルから基地局によって指定された１つの基本タイムスロットズレを選択できるようにすることができる。例えば、時間領域リソース割り当てテーブルには１６行が含まれており、この１６行は、いずれも構成された基本タイムスロットズレであり、この１６行の各行の一意の識別は、それぞれ、数字「０」、「１」…「１５」である。基地局から端末に送信される伝送指示情報において、時間領域リソース割り当て指示ドメインが対応する値が「２」であると、基地局が端末のために指定した基本タイムスロットズレは、時間領域リソース割り当てテーブルの中で、一意の識別が「２」のものであることを示す。
【００２８】
時間領域リソース割り当てテーブルは、基地局によって構成されるため、不変のままではなく、したがって、基地局が時間領域リソース割り当てテーブルに対する構成が異なると、端末が取得した時間領域リソース割り当てテーブルも異なることが理解できる。基地局と端末の間は、常に現在の時間領域リソース割り当てテーブル、すなわち最新に構成した時間領域リソース割り当てテーブルを利用し、基本タイムスロットズレを決定することが理解できる。
【００２９】
注意する必要があるのは、基本タイムスロットズレは、基地局無線リソース制御（Ｒａｄｉｏ  Ｒｅｓｏｕｒｃｅ  Ｃｏｎｔｒｏｌ、ＲＲＣ）層によって構成され、帯域幅パートリソース切り替えの切り替え時間長とは無関係な時間領域リソース位置であり、帯域幅パートリソース切り替え時にターゲットタイムスロットズレを決定するだけでなく、帯域幅パートリソース切り替えが必要ではない時にターゲットタイムスロットズレを決定するためにも使用してもよい。例えば、基地局と端末の間で、ある帯域幅パートリソースを継続的に使用してデータ伝送を行うプロセスにおいて、基地局が端末に時間領域リソースを割り当てる場合も、時間領域リソース割り当てテーブルによって行われ、この場合、基地局が指定した時間領域リソース割り当てテーブルにおけるある基本タイムスロットズレは、実際にはターゲットタイムスロットズレである。したがって、基本タイムスロットズレは、端末が十分な切り替え時間長を有することを確保する必要はない。基本タイムスロットズレを構成する場合、基地局も、帯域幅パートリソースの切り替えがあるか否かに気にする必要がなく、通常の時間領域リソース構成態様に従って構成すればよい。したがって、現段階で検討された態様において、基地局が切り替え専用指示行において構成した、帯域幅パートリソース切り替えシーンに専用のターゲットタイムスロットズレに対して、本実施例では、基地局が基本タイムスロットズレを構成するのはより簡単であり、帯域幅パートリソース切り替えによる時間制限を考慮する必要はない。
【００３０】
時間領域リソース割り当てテーブルにおいて、基本タイムスロットズレは、上り基本タイムスロットズレまたは下り基本タイムスロットズレを含み、上り基本タイムスロットズレは時間領域リソース割り当てテーブルのＫ２に対応し、下り基本タイムスロットズレは時間領域リソース割り当てテーブルのＫ０に対応する。現在の基地局が端末にデータを送信し、端末がデータを受信する必要がある場合、基地局が時間領域リソース割り当てテーブルから端末に指定する基本タイムスロットズレは、下りに対する下り基本タイムスロットズレ、すなわちＫ０であるべきであり、端末が送信するデータを現在の基地局が受信する場合、時間領域リソース割り当てテーブルを利用して端末に指定する基本タイムスロットズレは、上りに対する上り基本タイムスロットズレ、すなわちＫ２であるべきである。
【００３１】
また、本実施例における時間領域リソース割り当てテーブルが依然として帯域幅パートリソースを単位として設定されており、すなわち、各帯域幅パートリソースはいずれも対応する時間領域リソース割り当てテーブルがある。
【００３２】
Ｓ１０６において、伝送指示情報に基づいて、帯域幅パートリソース切り替えが必要であると決定した場合、端末は、インデックス識別に基づいて帯域幅パートリソース切り替え後に伝送に使用するターゲット帯域幅パートリソースを決定する。
【００３３】
端末は、基地局から送信された伝送指示情報を受信してもよく、該伝送指示情報に運ばれるインデックス識別に基づいて、端末は、現在、帯域幅パートリソース切り替えが必要か否かを決定してもよい。例えば、端末は、元帯域幅パートリソースで「ブラインド検出」を行い、ここでは、元帯域幅パートリソースのインデックス識別が「ａ」であると仮定する。ブラインド検出によって、端末は、基地局が元帯域幅パートリソースＡで送信する伝送指示情報を受信することができ、該伝送指示情報には、ターゲット帯域幅パートリソースのインデックス識別が運ばれる。元帯域幅パートリソースのインデックス識別と伝送指示情報に含まれているインデックス識別とが一致しているか否かを比較することにより、端末は、現在、帯域幅パートリソース切り替えを行う必要があるか否かを決定することができ、両者が一致する場合、帯域幅パートリソース切り替えは必要ではないことを意味するが、比較結果において両者が一致しない場合、端末は、基地局が自ら別の帯域幅パートリソースに切り替えて基地局とデータ伝送を行うように指示したと決定する。この場合、端末は、基地局が指示したターゲット帯域幅パートリソースがどれであるかをさらに決定してもよい。例えば、上記の例では、基地局が伝送指示情報において運ぶインデックス識別が「ｃ」であり、「ｃ」はブラインド検出の対象となる元帯域幅パートリソースＡのインデックス識別「ａ」と一致しないため、端末は、基地局が帯域幅パートリソース切り替えを行うように自分に指示し、切り替え後に使用されるターゲット帯域幅パートリソースはインデックス識別が「ｃ」であるＣであることを知ることができる。
【００３４】
以下、端末がブラインド検出によって伝送指示情報を受信するプロセスを簡単に紹介する。
【００３５】
上りリンクか下りリンクかにかかわらず、共有チャネルのマッピングタイプは、通常、マッピングタイプ１（「マッピングタイプＡ」とも呼ばれる）とマッピングタイプ２（「マッピングタイプＢ」とも呼ばれる）の２つのタイプに分けられる。現在の標準３８．３３１では、２つのマッピングタイプに対応する復調参照信号（Ｄｅｍｏｄｕｌａｔｉｏｎ  ｒｅｆｅｒｅｎｃｅ  ｓｉｇｎａｌ、ＤＭＲＳ）構成をより柔軟に構成できるように、基地局上位層は、マッピングタイプＡとマッピングタイプＢに対して互いに独立したＤＭＲＳ構成を採用する。すなわち、マッピングタイプＡのＤＭＲＳ構成パラメータは、マッピングタイプＢのＤＭＲＳ構成パラメータと同じである可能性があるし、異なる可能性もある。
【００３６】
下りの場合、ＤＭＲＳ構成パラメータにおけるＤＭＲＳのタイプ（具体的には、ＤＭＲＳ構成パラメータにおける「ＤＬ−ＤＭＲＳ−ｃｏｎｆｉｇ−ｔｙｐｅ」であってもよい）、ＤＭＲＳの最大長（具体的には、ＤＭＲＳ構成パラメータにおける「ＤＬ−ＤＭＲＳ−ｍａｘ−ｌｅｎ」であってもよい）は、基地局が端末に送信する伝送指示情報におけるアンテナポートドメインのサイズに影響を与え、ひいては伝送指示情報のサイズに影響を与えることができる。
【００３７】
上りの場合、ＤＭＲＳ構成パラメータにおけるＤＭＲＳのタイプ（具体的には、ＤＭＲＳ構成パラメータにおける「ＵＬ−ＤＭＲＳ−ｃｏｎｆｉｇ−ｔｙｐｅ」であってもよい）、ＤＭＲＳの最大長（具体的には、ＤＭＲＳ構成パラメータにおける「ＵＬ−ＤＭＲＳ−ｍａｘ−ｌｅｎ」であってもよい）およびＰＵＳＣＨ−ｔｐイネーブル値は、基地局が端末に送信する伝送指示情報におけるアンテナポートドメインのサイズに影響を与え、伝送指示情報のサイズに影響を与えることができる。
【００３８】
疑いもなく、基地局が送信する伝送指示情報を受信する前に、端末は、基地局がマッピングタイプＡを用いて伝送指示情報を送信するか、マッピングタイプＢを用いて伝送指示情報を送信するかを知らないため、端末は、伝送指示情報におけるアンテナポートドメインのサイズを決定することができず、ひいては伝送指示情報のサイズを決定することができない。この場合、端末がブラインド検出を行う場合、ブラインド検出のサイズは基地局が送信する伝送指示情報のサイズより小さいと、端末はブラインド検出に失敗する。ブラインド検出に失敗した後、端末は同じタイムスロットにおいて再度ブラインド検出を行う必要があり、これはブラインド検出の複雑さを向上させ、該問題を解決するために、本実施例は以下の２つの解決方法を提供する。
【００３９】
方法１：端末は、２つのマッピングタイプに対応するＤＭＲＳ構成パラメータに関係なく、常に伝送指示情報におけるアンテナポートドメインのサイズが最大値である状況に従い、伝送指示情報に対してブラインド検出を行う。
【００４０】
表１は、下り共有チャネルに対するＤＭＲＳ構成パラメータとアンテナポートドメインとの間の対応関係を示す。
【表１】
2021521731.tif 000021
【００４１】
表１によれば、下りの場合、アンテナポートドメインのサイズが最大６であるため、端末はアンテナポート指示ドメインが６であることに従って伝送指示情報を検出すれば、基地局がどのマッピングタイプを採用して送信しても、伝送指示情報は端末によって一度に検出されることができる。
【００４２】
表２は、上り共有チャネルに対するＤＭＲＳ構成パラメータとアンテナポートドメインとの間の対応関係を示す。
【表２】
2021521731.tif 000022
【００４３】
したがって、上りの場合、アンテナポートドメインのサイズが最大５であるため、端末はアンテナポート指示ドメインが５であることに従って伝送指示情報を検出すれば、基地局がどのマッピングタイプを採用して送信しても、伝送指示情報も端末によって一度に検出されることができる。
【００４４】
ちなみに、端末は、方法２に従って、伝送指示情報に対してブラインド検出を行ってもよく、図２を参照してください。
【００４５】
Ｓ２０２において、マッピングタイプ１とマッピングタイプ２に対応するＤＭＲＳ構成パラメータをそれぞれ照会する。
【００４６】
基地局上位層は共有チャネルの各マッピングタイプに対応する構成パラメータを構成した後、端末側は、共有チャネルマッピングタイプＡの構成パラメータと共有チャネルマッピングタイプＢの構成パラメータを取得することができ、共有チャネルマッピングタイプＡの構成パラメータと共有チャネルマッピングタイプＢの構成パラメータにいずれもＤＭＲＳ構成パラメータが含まれるため、端末は、マッピングタイプＡに対応するＤＭＲＳ構成パラメータと、マッピングタイプＢに対応するＤＭＲＳ構成パラメータとを照会して決定することができる。
【００４７】
Ｓ２０４において、端末は、２つのマッピングタイプに対応するＤＭＲＳ構成パラメータのうち、アンテナポートドメインに関するパラメータが同じか否かを判断する。
【００４８】
判定結果が「はい」であれば、Ｓ２０６に移行し、そうでなければＳ２０８に移行する。本実施例において、アンテナポートドメインに関するパラメータとは、アンテナポートドメインのサイズに影響を与えることができるパラメータである。下りの場合、アンテナポートドメインに関するパラメータは、ＤＭＲＳタイプとＤＭＲＳ最大長を含む。上りの場合、アンテナポートドメインに関するパラメータは、ＤＭＲＳタイプ、ＤＭＲＳ最大長およびＰＵＳＣＨ−ｔｐイネーブル値を含む。
【００４９】
Ｓ２０６において、２つのマッピングタイプのいずれかに対応するアンテナポートドメインのサイズに従って伝送指示情報をブラインド検出する。
【００５０】
端末は、２つのマッピングタイプに対応するＤＭＲＳ構成パラメータのうち、アンテナポートドメインに関するパラメータが同じであると決定した場合、端末は、マッピングタイプＡまたはマッピングタイプＢに従って伝送指示情報を検出してもよい。
【００５１】
Ｓ２０８において、２つのマッピングタイプに対応するアンテナポートドメインのサイズのうちの大きいほうに従って伝送指示情報をブラインド検出する。
【００５２】
端末が、２つのマッピングタイプに対応するＤＭＲＳ構成パラメータのうち、アンテナポートドメインに関するパラメータが異なると決定した場合、例えば、端末が照会した下り共有チャネルマッピングタイプＡに対応するＤＬ−ＤＭＲＳ−ｃｏｎｆｉｇ−ｔｙｐｅ＝１、ＤＬ−ＤＭＲＳ−ｍａｘ−ｌｅｎ＝２であり、下り共有チャネルマッピングタイプＢに対応するＤＬ−ＤＭＲＳ−ｃｏｎｆｉｇ−ｔｙｐｅ＝１、ＤＬ−ＤＭＲＳ−ｍａｘ−ｌｅｎ＝１であると仮定すると、ここで、基地局がマッピングタイプＡに従って伝送指示情報を送信すると、伝送指示情報のうち、アンテナポートドメインのサイズは５であるべきであり、マッピングタイプＢに従って伝送指示情報を送信すると、アンテナポートドメインのサイズは４であるべきである。このとき、端末は、基地局が送信する伝送指示情報内のアンテナポートドメインのサイズが５か４かを決定することができないが、伝送指示情報を一度に検出するために、端末は、２つのマッピングタイプの中で対応するアンテナポートドメインサイズのうちの大きいほうに従って直接に検出してもよく、すなわち、上記の例ではアンテナポートドメインが５であることに従って伝送指示情報の検出を行う。
【００５３】
Ｓ１０８において、端末は、ターゲット帯域幅パートリソースと元帯域幅パートリソースに基づいて今回の帯域幅パートリソース切り替えに必要な切り替えタイムスロット数を決定する。
【００５４】
すべての帯域幅パートリソース切り替えに必要な切り替え時間長は同じであるとは限らなく、ターゲット帯域幅パートリソースが同じであっても、異なる元帯域幅パートリソースから切り替えると、必要な切り替え時間長が異なる可能性があり、同様に、元帯域幅パートリソースが同じであっても、ターゲット帯域幅パートリソースが異なると、必要な切り替え時間長も異なる可能性があることは理解されるべきである。ターゲット帯域幅パートリソースと元帯域幅パートリソースがいずれも異なる切り替えシーンは言うまでもない。したがって、異なる切り替えシーンは、異なる切り替え時間長に対応する可能性がある。
【００５５】
本実施例では、切り替えシーンは、主に元帯域幅パートリソースとターゲット帯域幅パートリソースとの構成パラメータの間の関係に基づいて決定される。１つの切り替えシーンでは、元帯域幅パートリソースとターゲット帯域幅パートリソースとの間は、同じ帯域幅サイズ（Ｂａｎｄｗｉｄｔｈ、ＢＷ）を有するが、両者の中心周波数は異なり、別の切り替えシーンでは、元帯域幅パートリソースとターゲット帯域幅パートリソースとの間は、同じ中心周波数を有するが、両者のＢＷは異なる。現段階の既存の標準会議では、以下の４つの切り替えシーンが定義されている。
【００５６】
シーン１：再構成は、ＢＷを変更せずにＢＷＰの中心周波数を変更することを含み、ＳＣＳの変更が含まれる場合と含まれない場合がある。（Ｔｈｅ  ｒｅｃｏｎｆｉｇｕｒａｔｉｏｎ  ｉｎｖｏｌｖｅｓ  ｃｈａｎｇｉｎｇ  ｔｈｅ  ｃｅｎｔｅｒ  ｆｒｅｑｕｅｎｃｙ  ｏｆ  ｔｈｅ  ＢＷＰ  ｗｉｔｈｏｕｔ  ｃｈａｎｇｉｎｇ  ｉｔｓ  ＢＷ．  Ｔｈｅ  ｒｅｃｏｎｆｉｇｕｒａｔｉｏｎ  ｍａｙ  ｏｒ  ｍａｙ  ｎｏｔ  ｉｎｖｏｌｖｅ  ｃｈａｎｇｉｎｇ  ｔｈｅ  ＳＣＳ．）簡単に言えば、シーン１とは、ターゲット帯域幅パートリソースと元帯域幅パートリソースとを比べ、サブキャリア間隔が同じか否かに関係せず、中心周波数が異なり、ＢＷが同じである帯域幅パートリソース切り替えシーンである。
【００５７】
シーン２：再構成は、中心周波数を変更せずにＢＷＰのＢＷを変更することを含み、ＳＣＳの変更が含まれる場合と含まれない場合がある。（Ｔｈｅ  ｒｅｃｏｎｆｉｇｕｒａｔｉｏｎ  ｉｎｖｏｌｖｅｓ  ｃｈａｎｇｉｎｇ  ｔｈｅ  ＢＷ  ｏｆ  ｔｈｅ  ＢＷＰ  ｗｉｔｈｏｕｔ  ｃｈａｎｇｉｎｇ  ｉｔｓ  ｃｅｎｔｅｒ  ｆｒｅｑｕｅｎｃｙ．  Ｔｈｅ  ｒｅｃｏｎｆｉｇｕｒａｔｉｏｎ  ｍａｙ  ｏｒ  ｍａｙ  ｎｏｔ  ｉｎｖｏｌｖｅ  ｃｈａｎｇｉｎｇ  ｔｈｅ  ＳＣＳ．）シーン２とは、ターゲット帯域幅パートリソースと元帯域幅パートリソースとを比べ、サブキャリア間隔が同じか否かに関係せず、ＢＷが異なり、中心周波数が同じである帯域幅パートリソース切り替えシーンである。
【００５８】
シーン３：再構成は、ＢＷとＢＷＰの中心周波数を変更することを含み、ＳＣＳの変更が含まれる場合と含まれない場合がある。（Ｔｈｅ  ｒｅｃｏｎｆｉｇｕｒａｔｉｏｎ  ｉｎｖｏｌｖｅｓ  ｃｈａｎｇｉｎｇ  ｂｏｔｈ  ｔｈｅ  ＢＷ  ａｎｄ  ｔｈｅ  ｃｅｎｔｅｒ  ｆｒｅｑｕｅｎｃｙ  ｏｆ  ｔｈｅ  ＢＷＰ．  Ｔｈｅ  ｒｅｃｏｎｆｉｇｕｒａｔｉｏｎ  ｍａｙ  ｏｒ  ｍａｙ  ｎｏｔ  ｉｎｖｏｌｖｅ  ｃｈａｎｇｉｎｇ  ｔｈｅ  ＳＣＳ．）シーン３とは、ターゲット帯域幅パートリソースと元帯域幅パートリソースとを比べ、サブキャリア間隔が同じか否かに関係せず、ＢＷと中心周波数がいずれも異なる帯域幅パートリソース切り替えシーンである。
【００５９】
シーン４：再構成は、ＳＣＳのみを変更することを含み、ＢＷＰの中心周波数とＢＷはそのまま保持される。（Ｔｈｅ  ｒｅｃｏｎｆｉｇｕｒａｔｉｏｎ  ｉｎｖｏｌｖｅｓ  ｃｈａｎｇｉｎｇ  ｏｎｌｙ  ｔｈｅ  ＳＣＳ，  ｗｈｅｒｅ  ｔｈｅ  ｃｅｎｔｅｒ  ｆｒｅｑｕｅｎｃｙ  ａｎｄ  ＢＷ  ｏｆ  ｔｈｅ  ＢＷＰ  ｒｅｍａｉｎ  ｕｎｃｈａｎｇｅｄ．）シーン４とは、ターゲット帯域幅パートリソースと元帯域幅パートリソースとを比べ、ＢＷと中心周波数がいずれも同じであるが、サブキャリア間隔が異なる帯域幅パートリソース切り替えシーンである。
【００６０】
図３は、端末がターゲット帯域幅パートリソースと元帯域幅パートリソースに基づいて今回の帯域幅パートリソース切り替えに必要な切り替えタイムスロット数を決定するプロセスを示した。
【００６１】
Ｓ３０２において、元帯域幅パートリソースの構成パラメータとターゲット帯域幅パートリソースの構成パラメータに基づいて現在の切り替えシーンを決定する。
【００６２】
帯域幅パートリソース切り替えシーンは、元帯域幅パートリソースの構成パラメータとターゲット帯域幅パートリソースの構成パラメータとの関係に関係があるため、端末がターゲット帯域幅パートリソースを決定すると、ターゲット帯域幅パートリソースの構成パラメータと元帯域幅パートリソースの構成パラメータに基づいて、現在の切り替えシーンが上記のいくつかのシーンのいずれに属するかを決定することができる。基地局が端末のために帯域幅パートリソースを構成した後、端末側が各帯域幅パートリソースの構成パラメータを記憶することは理解されるべきである。もちろん、本実施例のいくつかの別の例では、端末側が各帯域幅パートリソースの構成パラメータを記憶しなくても、基地局は、伝送指示情報によって端末に知らせることができる。
【００６３】
ここで、ターゲット帯域幅パートリソースＣは、元帯域幅パートリソースＡと比べ、伝送帯域幅リソースが同じＢＷを有するが、両者の中心周波数が異なると仮定するため、端末は、両者の構成パラメータに基づいて、現在必要な帯域幅パートリソース切り替えがシーン１の帯域幅パートリソース切り替えに属すると決定することができる。
【００６４】
Ｓ３０４において、予め記憶した切り替えシーンと切り替え時間長のマッピング関係に基づいて現在の切り替えシーンに対応する切り替え時間長を決定する。
【００６５】
本実施例では、端末は、切り替えシーンと切り替え時間長のマッピング関係を予め記憶しており、各切り替えシーンはいずれも対応する切り替え時間長がある。本実施例のいくつかの別の例では、切り替え時間長は、切り替えシーンのみでなく、端末と基地局との通信に使用されるキャリアの周波数レベル、端末の性能にも関係がある。例えば、１つの例では、端末はシーン−時間マッピング関係テーブルを記憶し、次の表３を参照してください。
【表３】
2021521731.tif 000023
【００６６】
周波数レベルの１列において、「１」はキャリア周波数が６ＧＨｚ未満のシーンを表し、「２」はキャリア周波数が６ＧＨｚ以上のシーンを表す。「タイプ１の切り替え時間長」は、性能の高い端末が各種の切り替えシーンにおける切り替え時間長に対応し、「タイプ２の切り替え時間長」は、性能の低い端末が各種の切り替えシーンにおける切り替え時間長に対応する。
【００６７】
端末は、現在の帯域幅パートリソース切り替えシーンを決定した後、自分の通信によって使用されるキャリア周波数帯域と自分の性能に基づいて、対応する切り替え時間長を決定してもよい。ある端末の性能が高く、レベル１の周波数帯域を使用して通信し、かつ現在がシーン１の帯域幅パートリソース切り替えを行おうとすると仮定すると、表３を照会することにより、該帯域幅パートリソース切り替えに対して端末は６００ｕｓの切り替え時間長が必要であると決定することができる。
【００６８】
Ｓ３０６において、切り替え時間長とターゲット帯域幅パートリソースの構成パラメータに基づいて今回の帯域幅パートリソース切り替えに必要な切り替えタイムスロット数を決定する。
【００６９】
端末は、切り替え時間長を決定した後、切り替え時間長を切り替えタイムスロット数に変換する必要がある。切り替えタイムスロット数の数は、切り替え時間長だけではなく、ターゲット帯域幅パートリソースのサブキャリア間隔にも関係があることが理解されるべきである。端末は、まず、ターゲット帯域幅パートリソースのサブキャリア間隔に対応するタイムスロットの長さを決定し、そして切り替え時間長と単一のタイムスロットの長さの比率を計算して該比率を切り上げることで切り替えタイムスロット数を計算して得てもよい。
【００７０】
Ｓ１１０において、端末は、切り替えタイムスロット数と基本タイムスロットズレに基づいてターゲット帯域幅パートリソースを採用してデータ伝送を行うターゲットタイムスロットズレを決定する。
【００７１】
切り替えタイムスロット数を計算した後、端末は、該切り替えタイムスロット数に基づいてターゲット帯域幅パートリソースを採用してデータ伝送を行う場合のターゲットタイムスロットズレの値、すなわちターゲット時間領域リソースのある位置を決定してもよい。
【００７２】
本実施例では、帯域幅パートリソース切り替えが必要な場合、基地局から端末に送信される伝送指示情報には、時間領域リソース割り当て指示情報が含まれており、端末は、該時間領域リソース割り当て指示情報に基づいて、ターゲット帯域幅パートリソースの時間領域リソース割り当てテーブルと関連して基本タイムスロットズレを決定してもよい。ここでは、伝送指示情報がＤＣＩ情報であることを用いて説明する。ＤＣＩ情報には、時間領域リソース割り当てドメインが含まれており、該時間領域リソース割り当てドメインは、時間領域リソース割り当てテーブルのある行を指定するために用いられ、すなわち時間領域リソース割り当てテーブル内の２つの基本タイムスロットズレから１つを指定するために用いられる。そして端末は、基本タイムスロットズレと切り替えタイムスロット数の和を求めて今回の帯域幅パートリソース切り替えに対応するターゲットタイムスロットズレを決定してもよい。
【００７３】
端末が、ターゲットタイムスロットズレを決定するのは、基地局との間のデータ伝送のタイムスロット位置を決定するためであり、したがって、端末が該ターゲットタイムスロットズレを決定する必要があるだけでなく、基地局も該ターゲットタイムスロットズレを知るべきであることが理解できる。両者がターゲットタイムスロットズレに対応するターゲット時間領域リソース位置で正常なデータ伝送を行うために、基地局と端末が決定したターゲットタイムスロットズレは一致するべきである。したがって、基地局側も、端末側と同じ方法でターゲットタイムスロットズレを計算すべきであり、これは、基地局が端末と同様の基準を採用して現在の帯域幅パートリソース切り替えが属する切り替えシーンを決定し、同じ切り替えシーンと切り替え時間長との間のマッピング関係を記憶する（例えば、基地局も表３を記憶する）必要があり、また、基地局は端末性能などを知る必要がある。
【００７４】
ターゲットタイムスロットズレを決定した後、端末は、ターゲットタイムスロットズレに対応するターゲット時間領域リソース位置で基地局とデータ伝送を行ってもよい。ターゲットタイムスロットズレは、上りターゲットタイムスロットズレおよび／または下りターゲットタイムスロットズレを含んでもよいことが理解されるべきである。端末で決定されたターゲットタイムスロットズレが下りターゲットタイムスロットズレであると仮定すると、端末は、対応するターゲット時間領域リソース位置で基地局から送信されたデータを受信してもよく、端末が決定したターゲットタイムスロットズレが上りターゲットタイムスロットズレである場合、端末は、対応するターゲット時間領域リソース位置で基地局にデータを送信してもよい。
【００７５】
本発明実施例に係る時間領域リソース割り当て方法および時間領域リソース決定方法では、端末は、元帯域幅パートリソースとターゲット帯域幅リソースに基づいて現在の切り替えに必要な切り替えタイムスロット数を自ら決定し、ひいてはターゲットタイムスロットズレを計算することができるため、基地局は、帯域幅パートリソース切り替えのために、時間領域リソース割り当てテーブルに、切り替え専用指示行をわざわざ設定する必要はなく、したがって、時間領域リソース割り当てテーブルに専用指示行を設定することで時間領域リソース割り当てテーブルが他の伝送の指示情報に対する伝送に影響を与えることを回避する。関連態様において、時間領域リソース割り当てテーブルにおいて常時切り替え専用指示行を設定する必要があるため、帯域幅パートリソース切り替えが必要でないシーンで時間領域リソース割り当てテーブルのスペースを浪費する問題も回避した。これはリソースの伝送を最適化し、リソースの利用率を向上させるのに役立つ。
【００７６】
さらに、基地局は、時間領域リソース割り当てテーブルを構成する際に、端末が帯域幅パートリソース切り替えを行う切り替え時間長に構成された伝送タイムスロットが満足するか否かを気にする必要がないため、構成作業はより簡単である。
【００７７】
実施例２
本実施例は、引き続き前述した実施例に係る時間領域リソース割り当て方法および時間領域リソース決定方法を具体的な例に関連して説明し、図４を参照してください。
【００７８】
Ｓ４０２において、基地局は、端末とデータ伝送を行うＢＷＰに対してＢＷＰ切り替えを行う必要があるとき、ターゲットＢＷＰを決定する。
【００７９】
端末との間のデータ伝送の需要を満たす目的から、基地局は、いくつかの場合において端末を制御して帯域幅パートリソース切り替えを行う可能性があり、例えば、ｔ１時刻前には、基地局と端末の間の下りデータは帯域幅に対する要求が高くないが、ｔ１時刻において基地局は端末に大量のビデオデータを送信する必要があるため、端末側のユーザのビデオ視聴の体験を保証するために、基地局は、端末を制御して帯域幅値がより大きい帯域幅パートリソースに切り替えてデータ伝送を行う必要がある。この場合、基地局は、端末のために予め構成した帯域幅パートリソースから、ターゲット帯域幅パートリソースとして伝送要求を満たすものを１つ選択してもよい。
【００８０】
Ｓ４０４において、基地局は、元ＢＷＰでＤＣＩ情報を端末に送信し、ＢＷＰ切り替えを指示する。
【００８１】
ターゲットＢＷＰが決定した後、基地局は、ＤＣＩ指示情報を端末に送信してもよく、該ＤＣＩ指示情報は、少なくともこのようないくつかの指示作用を果たす。まず、該ＤＣＩ情報は、端末に、現在帯域幅パートリソース切り替えを行う必要があることを決定させることができ、また、該ＤＣＩ情報からは、どのターゲットＢＷＰに切り替える必要があるかを知ることもできる。本実施例では、該ＤＣＩ情報は、基本タイムスロットズレを端末に指示することもできる。いくつかの例では、基地局は、ＤＣＩ情報におけるＢＷＰ指示ドメインで端末に帯域幅パートリソース切り替えを行う必要があることを知らせてもよく、例えば、基地局は、ターゲットＢＷＰのインデックス識別をＤＣＩ情報のＢＷＰ指示ドメインで運び、端末は、ＤＣＩ情報を受信した後、該ＤＣＩ情報のＢＷＰ指示ドメインにおけるインデックス識別が、現在使用されているＢＷＰのインデックス識別と一致するか否かを比較することによって、帯域幅パートリソース切り替えを行う必要があるか否かを決定してもよく、両方が一致すれば、帯域幅パートリソース切り替えを行う必要がないことを示し、両方が一致しなければ、帯域幅パートリソース切り替えを行う必要があることを示すと同時に、端末は、切り替え後のターゲットＢＷＰがどれかを決定することもできる。
【００８２】
実施例１では、時間領域リソース割り当てテーブルおよび時間領域リソース割り当て指示ドメインで端末に基本タイムスロットズレを指定することを比較的に詳細に紹介したため、ここでは説明を省略する。
【００８３】
端末が帯域幅パートリソース切り替えを行う必要があることを知る前に、端末は現在使用中のＢＷＰのみをブラインド検出するため、端末が基地局から送信されたＤＣＩ情報を受信できることを保証するために、本実施例では基地局は元ＢＷＰでＤＣＩ情報を伝送する。
【００８４】
基地局が端末に伝送指示情報としてのＤＣＩ情報を送信した後、基地局は、端末とターゲットＢＷＰでデータ伝送を行うターゲット時間領域リソース位置、すなわちターゲットタイムスロットズレの値を計算してもよく、基地局がターゲットタイムスロットズレを計算するプロセスは、端末がターゲットタイムスロットズレを計算するプロセスとほぼ一致するため、具体的なプロセスは、実施例１の紹介を参照し、または後続の紹介を参照してください。
【００８５】
以下、端末側の時間領域リソース決定方法をさらに紹介し、図５に示す時間領域リソース決定方法のフローチャートに関連してください。
【００８６】
Ｓ５０２において、端末は元ＢＷＰでブラインド検出を行う。
【００８７】
ここで端末は元ＢＷＰに対してブラインド検出を行うと限定するが、実際には端末がこのとき切り替えが発生するか否かを知らないため、端末にとっては元ＢＷＰとは現在も使用されているＢＷＰに過ぎない。端末はブラインド検出により、基地局が該元ＢＷＰで送信したＤＣＩ情報を検出することができる。ブラインド検出の具体的な詳細は実施例１における紹介を参照し、ここでは説明を省略する。
【００８８】
Ｓ５０４において、端末は、ブラインド検出で検出されたＤＣＩ情報に運ばれるインデックス識別とブラインド検出の対象となる元ＢＷＰのインデックス識別が一致するか否かを決定する。
【００８９】
ＤＣＩ情報を検出した後、端末は、まずＤＣＩ情報に運ばれるＩｎｄｅｘと現在のブラインド検出の対象となる元ＢＷＰのＩｎｄｅｘが一致するか否かを決定し、一致すれば、現在は帯域幅パートリソース切り替えを行う必要がないことを示し、Ｓ５０６に移行する。そうでなければ、基地局は、自ら帯域幅パートリソース切り替えを行うことをすでに指示したことを示すため、Ｓ５０８に移行する。
【００９０】
端末は、現在使用されているＢＷＰのＩｎｄｅｘを知るものであり、ＤＣＩ情報に運ばれるＩｎｄｅｘについては、好ましくは、端末は、検出したＤＣＩ情報を解析し、該ＤＣＩ情報のＢＷＰ指示ドメインから取得することを理解すべきである。
【００９１】
Ｓ５０６において、ＤＣＩ情報で指定された基本タイムスロットズレをターゲットタイムスロットズレとする。
【００９２】
端末がＤＣＩ情報に運ばれるＩｎｄｅｘが元ＢＷＰのＩｎｄｅｘと一致すると決定すると、端末は、現在帯域幅パートリソース切り替えを行う必要がないと決定するため、直接ＤＣＩ情報における時間領域リソース割り当て指示ドメインに基づき、時間領域リソース割り当てテーブルと関連して基地局が自分のために割り当てる時間領域リソース、すなわちターゲットタイムスロットズレを決定してもよい。具体的には、端末は、直接に時間領域リソース割り当てテーブルにおいて時間領域リソース割り当て指示ドメインによって指定された基本タイムスロットズレをターゲットタイムスロットズレとしてもよい。
【００９３】
紹介を容易にするために、本実施例では、時間領域リソース割り当てテーブルで指定されたタイムスロットサイズを「基本タイムスロットズレ」と呼び、帯域幅パートリソース切り替えが不要なシーンに対し、ＤＣＩで指定された基本タイムスロットズレは、ターゲットタイムスロットズレであるため、基地局が帯域幅パートリソース切り替えを行うことを指示していないと端末が決定した場合、直接にＤＣＩによって指定された基本タイムスロットズレをターゲットタイムスロットズレと呼んでもよい。
【００９４】
以下、時間領域リソース割り当てテーブルを簡単に紹介する。
【００９５】
上記の紹介から分かるように、時間領域リソース割り当てテーブルの行数は、時間領域リソース割り当て指示ドメインがＤＣＩ情報に占めるビット数と関連しており、ここで時間領域リソース割り当て指示ドメインがＤＣＩ情報に３ビットを占めると仮定すると、該時間領域リソース割り当てテーブルは８行を含み、ここでは各行にそれぞれ１つの一意の識別を割り当て、それぞれ「０」、「１」、「２」…「７」であり、すなわち「０」はテーブルにおける１行目に対応し、「１」はテーブルにおける２行目に対応し……「７」はテーブルにおける８行目に対応する。
【００９６】
本実施例で紹介する時間領域リソース割り当てテーブルでは、テーブルには３つの列が含まれ、１列目は下り基本タイムスロットズレ／上り基本タイムスロットズレを指示することに用いられ、通常下り基本タイムスロットズレと上り基本タイムスロットズレの時間領域リソース割り当てテーブルが独立しており、すなわち下りに対する時間領域リソース割り当てテーブルには下り基本タイムスロットズレのみが構成され、上り基本タイムスロットズレが運ばれなく、同様に、上りに対する時間領域リソース割り当てテーブルには、上り基本タイムスロットズレのみが運ばれ、上り基本タイムスロットズレが運ばれない。下り基本タイムスロットズレは常に「Ｋ０」で表され、上り基本タイムスロットズレは常に「Ｋ２」で表される。時間領域リソース割り当てテーブルにおける２列目は、タイムスロット内のシンボル割り当て指示情報を運ぶことに用いられ、３列目は時間領域割り当てマッピングタイプを運ぶことに用いられる。
【００９７】
通常、時間領域リソース割り当てテーブルは、時間領域リソース割り当て指示ドメインと連携することによって基本タイムスロットズレを指示するものであり、時間領域リソース割り当て指示ドメインで運ばれるのはある行の一意の識別であるため、基地局は、端末にある行の基本タイムスロットズレを指定しようとする場合、該行の一意の識別をＤＣＩ情報の時間領域リソース割り当て指示ドメインで運んでもよい。
【００９８】
Ｓ５０８において、端末はターゲットＢＷＰを決定する。
【００９９】
端末が、ＤＣＩ情報に運ばれているＩｎｄｅｘが元ＢＷＰのＩｎｄｅｘと一致しないと決定した場合、端末は、帯域幅パートリソース切り替えを行う必要があると決定し、したがって、端末は、ＤＣＩ情報に運ばれているＩｎｄｅｘに基づいてターゲットＢＷＰがどれであるかを決定してもよく、例えば、ＤＣＩ情報に運ばれているＩｎｄｅｘが「ｄ」であると仮定すると、ターゲットＢＷＰはＤであると示す。
【０１００】
Ｓ５１０において、端末は、ターゲットＢＷＰと元ＢＷＰの構成パラメータに基づいて現在の切り替えシーンを決定する。
【０１０１】
ターゲットＢＷＰを決定した後、端末は、ターゲットＢＷＰの構成パラメータを決定するとともに、元ＢＷＰの構成パラメータも決定し、本実施例では、端末側には、基地局が端末側のために構成した各ＢＷＰの構成パラメータが記憶されている。２つのＢＷＰの間の構成パラメータを比較することにより、端末は現在の切り替えシーンを決定してもよい。
【０１０２】
Ｓ５１２において、端末は、シーン−時間マッピング関係テーブルを照会し、現在の切り替えシーンに対応する切り替え時間長を決定する。
【０１０３】
切り替えシーンを決定した後、端末は、シーン−時間マッピング関係テーブルを照会することにより、現在の帯域幅パートリソース切り替えシーンに対応する切り替え時間長を決定してもよく、シーン−時間マッピング関係テーブルは、実施例１においてすでに比較的詳細に紹介したため、ここでは説明を省略する。
【０１０４】
Ｓ５１４において、端末は、切り替え時間長をターゲットＢＷＰに対応する切り替えタイムスロット数に換算する。
【０１０５】
端末は、切り替え時間長を切り替えタイムスロット数に変換するとき、ターゲットＢＷＰの構成パラメータと関連する必要があり、端末が、ターゲットＢＷＰのサブキャリア間隔ＳＣＳを先に決定し、続いてターゲットＢＷＰのＳＣＳに基づいてターゲットＢＷＰのタイムスロットｓｌｏｔのタイムスロット長を決定する。そして、切り替え時間長に含まれるタイムスロット数を計算し、ここでは、切り替え時間長に基づいて切り替えタイムスロット数を計算する数式を提供する。
【数１】
2021521731.tif 000024
【０１０６】
ここで、ｏｆｆｓｅｔは、切り替えタイムスロット数を示し、Ｔは、シーン−時間マッピング関係テーブルに基づいて端末が照会して得た切り替え時間長を示す。サブキャリア間隔が１５ＫＨｚの場合、対応するタイムスロット長は１ｍｓであり、サブキャリア間隔が３０ＫＨｚの場合、対応するタイムスロット長は０．５ｍｓであり、サブキャリア間隔が６０ＫＨｚの場合、対応するタイムスロット長は０．２５ｍｓであるため…すなわち、ｕとサブキャリア間隔との間は、このような関係を満足する。
【数２】
2021521731.tif 000025
表４にはいくつかの典型的なサブキャリア間隔とそれに対応するｕ値が示されている。
【表４】
2021521731.tif 000026
【０１０７】
上述したｏｆｆｓｅｔを計算する数式は簡略化して以下を得られる。
【数３】
2021521731.tif 000027
【０１０８】
表５には、様々な切り替え時間長と、ｕおよび切り替えタイムスロット数との間の対応関係が示されており、１行目は２列目から様々な典型的な切り替え時間長を示し、１列目は２行目からｕの様々な値を示す。
【表５】
2021521731.tif 000028
【０１０９】
したがって、上記の表３に基づいて今回の帯域幅パートリソース切り替えの切り替え時間長を決定し、表４に基づいてターゲット帯域幅パートリソースに対応するｕ値を照会して得た後、表５に基づいて対応する切り替えタイムスロット数を直接照会して得てもよい。照会を容易にするために、表３、表４と表５のコンテンツを有機的にマージしてもよく、それによって統合された１つの表を得て、端末は、伝送指示情報を受信した後、１つの表に基づいて切り替えタイムスロット数を直接照会して決定してもよいことが理解されるべきである。
【０１１０】
Ｓ５１６において、端末は、切り替えタイムスロット数とＤＣＩ情報で指定された基本タイムスロットズレの和を求めてターゲットタイムスロットズレを得る。
【０１１１】
切り替えタイムスロット数を計算した後、端末は、切り替えタイムスロット数と、時間領域リソース割り当てテーブルから照会された基本タイムスロットズレとに対して和と求め、ひいてはターゲットタイムスロットズレ、すなわち、今回の帯域幅パートリソース切り替え後に、自分と基地局との間でデータ伝送を行うターゲット時間領域リソース位置を決定してもよい。基本タイムスロットズレを決定するプロセスについては、前のＳ５０６で比較的詳細に紹介したため、ここでは説明を省略する。
【０１１２】
本実施例に係る時間領域リソース割り当て方法および時間領域リソース決定方法では、基地局が端末に時間領域リソースを割り当てる場合、端末が帯域幅パートリソース切り替えを行う十分な時間を有することを保証できるだけでなく、関連する態様に基づいて余分のシグナリングオーバヘッドをもたらす必要がなく、同時に基地局が時間領域リソース割り当てテーブルを構成するときの懸念を低減することによって基地局が時間領域リソースを割り当てる柔軟性を向上させることもできる。
【０１１３】
実施例３
本実施例は、時間領域リソース割り当て装置を提供し、該時間領域リソース割り当て装置は、基地局側に配備され、前記時間領域リソース割り当て方法を実現してもよい。
【０１１４】
図６を参照し、時間領域リソース割り当て装置６０は、切り替え決定ユニット６０２と、指示伝送ユニット６０４とを含む。切り替え決定ユニット６０２は、端末とデータ伝送を行う帯域幅パートリソースの帯域幅パートリソース切り替えを行う必要がある場合、切り替え後に伝送に用いられるターゲット帯域幅パートリソースを決定することに用いられる。指示伝送ユニット６０４は、ターゲット帯域幅パートリソースインデックス識別と時間領域リソース割り当て指示情報とを含む伝送指示情報を端末に送信することに用いられる。インデックス識別は、端末がターゲット帯域幅パートリソースを決定することに用いられ、ターゲット帯域幅パートリソースと帯域幅パートリソース切り替え前に使用される元帯域幅パートリソースに基づいて今回の帯域幅パートリソース切り替えに必要な切り替えタイムスロット数を決定し、切り替えタイムスロット数と基本タイムスロットズレに基づいてターゲット帯域幅パートリソースを採用してデータ伝送を行うターゲットタイムスロットズレを決定し、基本タイムスロットズレは、時間領域リソース割り当て指示情報によって決定する。
【０１１５】
基地局と端末の間でデータ伝送を行うプロセスでは、両者の間で伝送されるデータのタイプが絶えず変化する可能性があり、あるデータに対しては大きな帯域幅リソースが必要であり、他のデータによっては帯域幅リソースに対する要求が高くない可能性があり、したがって、端末側でのデータ送受信による消費電力を低減するために、且つ帯域幅リソースを合理的に利用するために、時間領域リソース割り当て装置６０の切り替え決定ユニット６０２は、現在伝送待ちのデータのタイプに応じて、端末のために構成される各帯域幅パートリソースから、現在伝送待ちのデータの伝送のために１つ以上を合理的に選択する。基地局が再選択した帯域幅パートリソースが、現在使用されている帯域幅パートリソースとは異なる場合、「帯域幅パートリソース切り替え」が必要となり、したがって、帯域幅パートリソース切り替えとは、実際には、現在使用中の「元帯域幅パートリソース」から新たな「ターゲット帯域幅リソース」に切り替えるプロセスを意味する。本実施例で言及された「帯域幅パートリソース」は、実際には連続するＲＢリソースを指し、ＢＷＰリソースとも呼ばれる。
【０１１６】
切り替え決定ユニット６０２が、端末との間で使用される帯域幅パートリソースを切り替える必要があると決定した場合、ターゲット帯域幅パートリソースのインデックス識別を取得する。例えば、基地局と端末との間で下りデータ伝送が間もなく行われるが、切り替え決定ユニット６０２は、現在使用されている帯域幅パートリソースＡが不適切であり、帯域幅パートリソースＣを使用する必要があることを発見した場合、切り替え決定ユニット６０２は、Ｃをターゲット帯域幅パートリソースとすることを決定し、したがって、ターゲット帯域幅パートリソースのインデックス識別が「ｃ」であることを取得する。
【０１１７】
切り替え決定ユニット６０２がターゲット帯域幅パートリソースを決定した後、指示伝送ユニット６０４は、ターゲット帯域幅パートリソースのインデックス識別を運ぶ伝送指示情報を端末に送信する。本実施例では、指示伝送ユニット６０４は元帯域幅パートリソースを使用して端末に該伝送指示情報を送信するため、いくつかの例では、指示伝送ユニット６０４は帯域幅パートリソースＡを使用して伝送指示情報を送信する。本実施例のいくつかの例では、伝送指示情報は、ＤＣＩ、すなわち下りリンク制御情報を含んでもよいが、これに限定されない。
【０１１８】
同時に、指示伝送ユニット６０４によって送信される伝送指示情報には、端末に指定する基本タイムスロットズレの時間領域リソース割り当て指示情報がさらに含まれてもよく、基本タイムスロットズレは、端末側が帯域幅パートリソース切り替えに必要な切り替えタイムスロット数を計算した後に、ターゲットタイムスロットズレを計算することに用いられる。指示伝送ユニット６０４は、伝送指示情報（例えば、ＤＣＩ情報）における時間領域リソース割り当て指示ドメインを時間領域リソース割り当て指示情報としてもよく、時間領域リソース割り当て指示ドメインは、時間領域リソース割り当てテーブルと連携して端末に基本タイムスロットズレを指定する。基地局が時間領域リソース割り当てテーブルを構成した後、端末は該時間領域リソース割り当てテーブルを取得してもよく、時間領域リソース割り当てテーブルには、少なくとも２つの基本タイムスロットズレが構成されてもよく、この少なくとも２つの基本タイムスロットズレからどれを選択するかを端末に知らせるために、基地局は、ＤＣＩ情報に時間領域リソース割り当て指示ドメインを運び、該時間領域リソース割り当て指示ドメインは、端末が時間領域リソース割り当てテーブルから基地局によって指定された１つの基本タイムスロットズレを選択できるようにすることができる。例えば、時間領域リソース割り当てテーブルには１６行が含まれており、この１６行は、いずれも構成された基本タイムスロットズレであり、この１６行の各行の一意の識別は、それぞれ、数字「０」、「１」…「１５」である。指示伝送ユニット６０４から端末に送信される伝送指示情報において、時間領域リソース割り当て指示ドメインが対応する値が「２」であると、指示伝送ユニット６０４が端末のために指定した基本タイムスロットズレは、時間領域リソース割り当てテーブルの中で、一意の識別が「２」のものであることを示す。
【０１１９】
時間領域リソース割り当てテーブルは、基地局によって構成されるため、不変のままではなく、したがって、基地局が時間領域リソース割り当てテーブルに対する構成が異なると、端末が取得した時間領域リソース割り当てテーブルも異なることが理解できる。指示伝送ユニット６０４と端末の間は、常に現在の時間領域リソース割り当てテーブル、すなわち最新に構成した時間領域リソース割り当てテーブルを利用し、基本タイムスロットズレを決定することが理解できる。
【０１２０】
注意する必要があるのは、基本タイムスロットズレは、基地局無線リソース制御（Ｒａｄｉｏ  Ｒｅｓｏｕｒｃｅ  Ｃｏｎｔｒｏｌ、ＲＲＣ）層によって構成され、帯域幅パートリソース切り替えの切り替え時間長とは無関係な時間領域リソース位置であり、帯域幅パートリソース切り替え時にターゲットタイムスロットズレを決定するだけでなく、帯域幅パートリソース切り替えが必要ではない時にターゲットタイムスロットズレを決定するためにも使用してもよい。例えば、基地局と端末の間で、ある帯域幅パートリソースを継続的に使用してデータ伝送を行うプロセスにおいて、指示伝送ユニット６０４が端末に時間領域リソースを割り当てる場合も、時間領域リソース割り当てテーブルによって行われ、この場合、指示伝送ユニット６０４が指定した時間領域リソース割り当てテーブルにおけるある基本タイムスロットズレは、実際にはターゲットタイムスロットズレである。したがって、基本タイムスロットズレは、端末が十分な切り替え時間長を有することを確保する必要はない。基本タイムスロットズレを構成する場合、基地局も、帯域幅パートリソースの切り替えがあるか否かに気にする必要がなく、通常の時間領域リソース構成態様に従って構成すればよい。したがって、現段階で検討された態様において、基地局が切り替え専用指示行において構成した、帯域幅パートリソース切り替えシーンに専用のターゲットタイムスロットズレに対して、本実施例では、基地局が基本タイムスロットズレを構成するのはより簡単であり、帯域幅パートリソース切り替えによる時間制限を考慮する必要はない。
【０１２１】
時間領域リソース割り当てテーブルにおいて、基本タイムスロットズレは、上り基本タイムスロットズレおよび／または下り基本タイムスロットズレを含み、上り基本タイムスロットズレは時間領域リソース割り当てテーブルのＫ２に対応し、下り基本タイムスロットズレは時間領域リソース割り当てテーブルのＫ０に対応する。現在の基地局が端末にデータを送信し、端末がデータを受信する必要がある場合、指示伝送ユニット６０４が送信した伝送指示情報が時間領域リソース割り当てテーブルから端末に指定する基本タイムスロットズレは、下りに対する下り基本タイムスロットズレ、すなわちＫ０であるべきであり、端末が送信するデータを現在の基地局が受信する場合、指示伝送ユニット６０４が時間領域リソース割り当て指示情報と時間領域リソース割り当てテーブルを利用して端末に指定する基本タイムスロットズレは、上りに対する上り基本タイムスロットズレ、すなわちＫ２であるべきである。
【０１２２】
また、本実施例における時間領域リソース割り当てテーブルが依然として帯域幅パートリソースを単位として設定されており、すなわち、各帯域幅パートリソースはいずれも対応する時間領域リソース割り当てテーブルがある。
【０１２３】
基地局に時間領域リソース割り当て装置が配備されている場合、その切り替え決定ユニット６０２の機能は基地局のプロセッサによって実現されてもよく、指示伝送ユニット６０４の機能は基地局のプロセッサと通信装置とによって共同で実現されてもよいことが理解できる。
【０１２４】
本実施例に係る時間領域リソース割り当て装置は、切り替え前に使用された元帯域幅パートリソースによってターゲット帯域幅パートリソースインデックス識別を含む伝送指示情報を端末に送信し、端末に伝送指示情報におけるインデックス識別に基づいてターゲット帯域幅パートリソースを決定させ、そしてターゲット帯域幅パートリソースと元帯域幅パートリソースに基づいて今回の帯域幅パートリソース切り替えに必要な切り替えタイムスロット数を決定し、計算された切り替えタイムスロット数と時間領域リソース割り当て指示情報によって指定された基本タイムスロットズレに基づいてターゲットタイムスロットズレを決定してもよい。これにより、時間領域リソース割り当てテーブルに帯域幅パートリソース切り替えに対して専用で指示する切り替え専用指示行を設定することによる関連態様を放棄し、時間領域リソース割り当てテーブルのスペースを節約することに役立つため、時間領域リソース割り当てテーブルが他の伝送の指示情報をより多く運べるようになる。また、基地局は、時間領域リソース割り当てテーブルに切り替え時間長の需要を満たすターゲットタイムスロットズレを指定する必要がないため、基地局が時間領域リソース割り当てを行う柔軟性を向上させた。
【０１２５】
実施例４
本実施例は、時間領域リソース決定装置を提供し、該時間領域リソース決定装置は、端末側に配備され、前記時間領域リソース決定方法を実現してもよく、図７に示す時間領域リソース決定装置７０を参照してください。
【０１２６】
時間領域リソース決定装置７０は、切り替え決定ユニット７０２と、ターゲットタイムスロット決定ユニット７０４とを含む。元帯域幅パートリソースで受信した伝送指示情報に基づいて帯域幅パートリソース切り替えを行う必要があると決定した場合、時間領域リソース決定装置７０は、伝送指示情報が運ぶインデックス識別に基づいて帯域幅パートリソース切り替え後に伝送に使用されるターゲット帯域幅パートリソースを決定してもよく、その後切り替え決定ユニット７０２は、元帯域幅パートリソースとターゲット帯域幅パートリソースに基づいて今回の帯域幅パートリソース切り替えに必要な切り替えタイムスロット数を決定してもよく、ターゲットタイムスロット決定ユニット７０４は、切り替えタイムスロット数に基づいてターゲット帯域幅パートリソースを採用してデータ伝送を行うターゲットタイムスロットズレを決定することに用いられる。
【０１２７】
時間領域リソース決定装置７０は、基地局から送信された伝送指示情報を受信し、受信した伝送指示情報に運ばれるインデックス識別に基づいて、現在、帯域幅パートリソース切り替えが必要か否かを決定してもよい。例えば、元帯域幅パートリソースで「ブラインド検出」を行ってもよく、ここでは、元帯域幅パートリソースのインデックス識別が「ａ」であると仮定する。ブラインド検出によって、時間領域リソース決定装置７０は、基地局が元帯域幅パートリソースＡで送信する伝送指示情報を受信することができ、該伝送指示情報には、ターゲット帯域幅パートリソースのインデックス識別が運ばれる。元帯域幅パートリソースのインデックス識別と伝送指示情報に含まれているインデックス識別とが一致しているか否かを比較することにより、時間領域リソース決定装置７０は、現在、帯域幅パートリソース切り替えを行う必要があるか否かを決定することができ、両者が一致する場合、帯域幅パートリソース切り替えは必要ではないことを意味するが、比較結果において両者が一致しない場合、時間領域リソース決定装置７０は、基地局が端末に別の帯域幅パートリソースに切り替えて基地局とデータ伝送を行うように指示したと決定する。この場合、時間領域リソース決定装置７０は、基地局が指示したターゲット帯域幅パートリソースがどれであるかをさらに決定してもよい。例えば、上記の例では、基地局が伝送指示情報において運ぶインデックス識別が「ｃ」であり、「ｃ」はブラインド検出の対象となる元帯域幅パートリソースＡのインデックス識別「ａ」と一致しないため、時間領域リソース決定装置７０は、基地局が帯域幅パートリソース切り替えを行うように端末に指示し、切り替え後に使用されるターゲット帯域幅パートリソースはインデックス識別が「ｃ」であるＣであることを知ることができる。
【０１２８】
本実施例の別の例では、図８に示すように、時間領域リソース決定装置７０は、切り替え決定ユニット７０２とターゲットタイムスロット決定ユニット７０４だけではなく、元帯域幅パートリソースに対してブラインド検出を行って伝送指示情報を取得する指示検出ユニット７００をさらに含んでもよい。
【０１２９】
上りリンクか下りリンクかにかかわらず、共有チャネルのマッピングタイプは、通常、マッピングタイプ１（「マッピングタイプＡ」とも呼ばれる）とマッピングタイプ２（「マッピングタイプＢ」とも呼ばれる）の２つのタイプに分けられる。現在の標準３８．３３１では、２つのマッピングタイプに対応するＤＭＲＳ構成をより柔軟に構成できるように、基地局上位層は、マッピングタイプＡとマッピングタイプＢに対して互いに独立したＤＭＲＳ構成を採用する。すなわち、マッピングタイプＡのＤＭＲＳ構成パラメータは、マッピングタイプＢのＤＭＲＳ構成パラメータと同じである可能性があるし、異なる可能性もある。
【０１３０】
下りの場合、ＤＭＲＳ構成パラメータにおけるＤＭＲＳのタイプ（具体的には、ＤＭＲＳ構成パラメータにおける「ＤＬ−ＤＭＲＳ−ｃｏｎｆｉｇ−ｔｙｐｅ」であってもよい）、ＤＭＲＳの最大長（具体的には、ＤＭＲＳ構成パラメータにおける「ＤＬ−ＤＭＲＳ−ｍａｘ−ｌｅｎ」であってもよい）は、基地局が端末に送信する伝送指示情報におけるアンテナポートドメインのサイズに影響を与え、ひいては伝送指示情報のサイズに影響を与えることができる。
【０１３１】
上りの場合、ＤＭＲＳ構成パラメータにおけるＤＭＲＳのタイプ（具体的には、ＤＭＲＳ構成パラメータにおける「ＵＬ−ＤＭＲＳ−ｃｏｎｆｉｇ−ｔｙｐｅ」であってもよい）、ＤＭＲＳの最大長（具体的には、ＤＭＲＳ構成パラメータにおける「ＵＬ−ＤＭＲＳ−ｍａｘ−ｌｅｎ」であってもよい）およびＰＵＳＣＨ−ｔｐイネーブル値は、基地局が端末に送信する伝送指示情報におけるアンテナポートドメインのサイズに影響を与え、伝送指示情報のサイズに影響を与えることができる。
【０１３２】
疑いもなく、基地局が送信する伝送指示情報を受信する前に、指示検出ユニット７００は、基地局がマッピングタイプＡを用いて伝送指示情報を送信するか、マッピングタイプＢを用いて伝送指示情報を送信するかを知らないため、指示検出ユニット７００は、伝送指示情報におけるアンテナポートドメインのサイズを決定することができず、ひいては伝送指示情報のサイズを決定することができない。この場合、指示検出ユニット７００がブラインド検出を行う場合、ブラインド検出のサイズは基地局が送信する伝送指示情報のサイズより小さいと、ブラインド検出に失敗する。ブラインド検出に失敗した後、指示検出ユニット７００は同じタイムスロットにおいて再度ブラインド検出を行う必要があり、これはブラインド検出の複雑さを向上させ、該問題を解決するために、本実施例は以下の２つの解決方法を提供する。
【０１３３】
方法１：指示検出ユニット７００は、２つのマッピングタイプに対応するＤＭＲＳ構成パラメータに関係なく、常に伝送指示情報におけるアンテナポートドメインのサイズが最大値である状況に従い、伝送指示情報に対してブラインド検出を行う。
【０１３４】
前の表１は、下り共有チャネルに対するＤＭＲＳ構成パラメータとアンテナポートドメインとの間の対応関係をすでに示し、表１によれば、下りの場合、アンテナポート指示ドメインのサイズが最大６であるため、指示検出ユニット７００は、アンテナポート指示ドメインが６であることに従って伝送指示情報を検出すれば、基地局がどのマッピングタイプを採用して送信しても、伝送指示情報は指示検出ユニット７００によって一度に検出されることができる。
【０１３５】
表２は、上り共有チャネルに対するＤＭＲＳ構成パラメータとアンテナポートドメインとの間の対応関係をすでに示した。したがって、表２によれば、上りの場合、アンテナポート指示ドメインのサイズが最大５であるため、指示検出ユニット７００は、アンテナポート指示ドメインが５であることに従って伝送指示情報を検出すれば、基地局がどのマッピングタイプを採用して送信しても、伝送指示情報も指示検出ユニット７００によって一度に検出されることができる。
【０１３６】
指示検出ユニット７００は、方法２に従って、伝送指示情報に対してブラインド検出を行ってもよい。
【０１３７】
まず、指示検出ユニット７００は、マッピングタイプ１とマッピングタイプ２に対応するＤＭＲＳ構成パラメータをそれぞれ照会し、次に２つのマッピングタイプに対応するＤＭＲＳ構成パラメータのうち、アンテナポートドメインに関するパラメータが同じか否かを判断する。同じであれば、指示検出ユニット７００は、２つのマッピングタイプのいずれかに対応するアンテナポートドメインのサイズに従って伝送指示情報をブラインド検出する。同じでなければ、指示検出ユニット７００は、２つのマッピングタイプに対応するアンテナポートドメインのサイズのうちの大きいほうに従って伝送指示情報をブラインド検出する。
【０１３８】
基地局上位層は共有チャネルの各マッピングタイプに対応する構成パラメータを構成した後、端末側は、共有チャネルマッピングタイプＡの構成パラメータと共有チャネルマッピングタイプＢの構成パラメータを取得することができ、共有チャネルマッピングタイプＡの構成パラメータと共有チャネルマッピングタイプＢの構成パラメータにいずれもＤＭＲＳ構成パラメータが含まれるため、指示検出ユニット７００は、マッピングタイプＡに対応するＤＭＲＳ構成パラメータと、マッピングタイプＢに対応するＤＭＲＳ構成パラメータとを照会して決定することができる。
【０１３９】
アンテナポートドメインに関するパラメータとは、アンテナポートドメインのサイズに影響を与えることができるパラメータである。下りの場合、指示検出ユニット７００が照会できるアンテナポートドメインに関するパラメータは、ＤＭＲＳタイプとＤＭＲＳ最大長を含む。上りの場合、指示検出ユニット７００が照会できるアンテナポートドメインに関するパラメータは、ＤＭＲＳタイプ、ＤＭＲＳ最大長およびＰＵＳＣＨ−ｔｐイネーブル値を含む。
【０１４０】
指示検出ユニット７００は、２つのマッピングタイプに対応するＤＭＲＳ構成パラメータのうち、アンテナポートドメインに関するパラメータが異なると決定した場合、例えば、指示検出ユニット７００が照会した下り共有チャネルマッピングタイプＡに対応するＤＬ−ＤＭＲＳ−ｃｏｎｆｉｇ−ｔｙｐｅ＝１、ＤＬ−ＤＭＲＳ−ｍａｘ−ｌｅｎ＝２であり、下り共有チャネルマッピングタイプＢに対応するＤＬ−ＤＭＲＳ−ｃｏｎｆｉｇ−ｔｙｐｅ＝１、ＤＬ−ＤＭＲＳ−ｍａｘ−ｌｅｎ＝１であると仮定すると、ここで、基地局がマッピングタイプＡに従って伝送指示情報を送信すると、伝送指示情報のうち、アンテナポートドメインのサイズは５であるべきであり、マッピングタイプＢに従って伝送指示情報を送信すると、アンテナポートドメインのサイズは４であるべきである。このとき、指示検出ユニット７００は、基地局が送信する伝送指示情報内のアンテナポートドメインのサイズが５か４かを決定することができないが、伝送指示情報を一度に検出するために、指示検出ユニット７００は、２つのマッピングタイプの中で対応するアンテナポートドメインサイズがより大きい１つに従って直接に検出してもよく、すなわち、上記の例ではアンテナポートドメインが５であることに従って伝送指示情報の検出を行う。
【０１４１】
時間領域リソース決定装置７０は、伝送指示情報が運ぶインデックス識別に基づいて帯域幅パートリソース切り替え後に伝送に使用されるターゲット帯域幅パートリソースを決定した後、切り替え決定ユニット７０２は、ターゲット帯域幅パートリソースと帯域幅パートリソース切り替え前に使用される元帯域幅パートリソースに基づいて今回の帯域幅パートリソース切り替えに必要な切り替えタイムスロット数を決定してもよい。
【０１４２】
すべての帯域幅パートリソース切り替えに必要な切り替え時間長は同じであるとは限らなく、ターゲット帯域幅パートリソースが同じであっても、異なる元帯域幅パートリソースから切り替えると、必要な切り替え時間長が異なる可能性があり、同様に、元帯域幅パートリソースが同じであっても、ターゲット帯域幅パートリソースが異なると、必要な切り替え時間長も異なる可能性があることは理解されるべきである。ターゲット帯域幅パートリソースと元帯域幅パートリソースがいずれも異なる切り替えシーンは言うまでもない。したがって、異なる切り替えシーンは、異なる切り替え時間長に対応する可能性がある。
【０１４３】
本実施例では、切り替えシーンは、主に元帯域幅パートリソースとターゲット帯域幅パートリソースとの構成パラメータの間の関係に基づいて決定される。１つの切り替えシーンでは、元帯域幅パートリソースとターゲット帯域幅パートリソースとの間は、同じＢＷを有するが、両者の中心周波数は異なり、別の切り替えシーンでは、元帯域幅パートリソースとターゲット帯域幅パートリソースとの間は、同じ中心周波数を有するが、両者のＢＷは異なる。上記の実施例では、帯域幅パートリソース切り替えの４つの切り替えシーンをすでに紹介しており、ターゲット帯域幅パートリソースを決定した後、切り替え決定ユニット７０２はターゲット帯域幅パートリソースの構成パラメータと元帯域幅パートリソースの構成パラメータに基づいて、現在の帯域幅パートリソース切り替えシーンが上記のいくつかのシーンのいずれに属するかを決定することができる。基地局が端末のために帯域幅パートリソースを構成した後、端末側が各帯域幅パートリソースの構成パラメータを記憶することは理解されるべきである。もちろん、本実施例のいくつかの別の例では、端末側が各帯域幅パートリソースの構成パラメータを記憶しなくても、基地局は、伝送指示情報によって切り替え決定ユニット７０２に知らせることができる。
【０１４４】
ここで、ターゲット帯域幅パートリソースＣは、元帯域幅パートリソースＡと比べ、伝送帯域幅リソースが同じＢＷを有するが、両者の中心周波数が異なると仮定するため、切り替え決定ユニット７０２は、両者の構成パラメータに基づいて、現在必要な帯域幅パートリソース切り替えがシーン１の帯域幅パートリソース切り替えに属すると決定することができる。
【０１４５】
本実施例では、時間領域リソース決定装置７０は、切り替えシーンと切り替え時間長のマッピング関係を予め記憶しており、各切り替えシーンはいずれも対応する切り替え時間長がある。本実施例のいくつかの別の例では、切り替え時間長は、切り替えシーンのみでなく、端末と基地局との通信に使用されるキャリアの周波数レベル、端末の性能にも関係がある。例えば、１つの例では、時間領域リソース決定装置７０はシーン−時間マッピング関係テーブルを記憶し、実施例１における表３を参照してください。
【０１４６】
表３の周波数レベルの１列において、「１」はキャリア周波数が６ＧＨｚ未満のシーンを表し、「２」はキャリア周波数が６ＧＨｚ以上のシーンを表す。「タイプ１の切り替え時間長」は、性能の高い端末が各種の切り替えシーンにおける切り替え時間長に対応し、「タイプ２の切り替え時間長」は、性能の低い端末が各種の切り替えシーンにおける切り替え時間長に対応する。
【０１４７】
切り替え決定ユニット７０２は、現在の帯域幅パートリソース切り替えシーンを決定した後、端末の通信によって使用されるキャリア周波数帯域と端末の性能に基づいて、対応する切り替え時間長を決定してもよい。ある端末の性能が高く、レベル１の周波数帯域を使用して通信し、かつ切り替え決定ユニット７０２が現在シーン１の帯域幅パートリソース切り替えを行おうとすると決定すると仮定する場合、切り替え決定ユニット７０２は、表３を照会することにより、今回の帯域幅パートリソース切り替えが６００ｕｓの切り替え時間長が必要であると決定する。
【０１４８】
切り替え決定ユニット７０２は、切り替え時間長を決定した後、切り替え時間長を切り替えタイムスロット数に変換する必要がある。切り替えタイムスロット数の数は、切り替え時間長だけではなく、ターゲット帯域幅パートリソースのサブキャリア間隔にも関係があることが理解されるべきである。切り替え決定ユニット７０２は、まず、ターゲット帯域幅パートリソースのサブキャリア間隔に対応するタイムスロットの長さを決定し、そして切り替え時間長と単一のタイムスロットの長さの比率を計算して該比率を切り上げることで切り替えタイムスロット数を計算して得てもよい。
【０１４９】
切り替え決定ユニット７０２が切り替えタイムスロット数を計算した後、ターゲットタイムスロット決定ユニット７０４は、該切り替えタイムスロット数に基づいてターゲット帯域幅パートリソースを採用してデータ伝送を行う場合のターゲットタイムスロットズレの値、すなわちターゲット時間領域リソースのある位置を決定してもよい。
【０１５０】
本実施例では、帯域幅パートリソース切り替えが必要な場合、基地局から時間領域リソース決定装置７０に送信される伝送指示情報には、時間領域リソース割り当て指示情報が含まれており、ターゲットタイムスロット決定ユニット７０４は、該時間領域リソース割り当て指示情報に基づいて、ターゲット帯域幅パートリソースの時間領域リソース割り当てテーブルと関連して基本タイムスロットズレを決定してもよい。ここでは、伝送指示情報がＤＣＩ情報であることを用いて説明する。ＤＣＩ情報には、時間領域リソース割り当てドメインが含まれており、該時間領域リソース割り当てドメインは、時間領域リソース割り当てテーブルのある行を指定するために用いられ、すなわち時間領域リソース割り当てテーブル内の２つの基本タイムスロットズレから１つを指定するために用いられる。そしてターゲットタイムスロット決定ユニット７０４は、基本タイムスロットズレと切り替えタイムスロット数の和を求めて今回の帯域幅パートリソース切り替えに対応するターゲットタイムスロットズレを決定してもよい。
【０１５１】
ターゲットタイムスロット決定ユニット７０４が、ターゲットタイムスロットズレを決定するのは、端末と基地局との間のデータ伝送のタイムスロット位置を決定するためであり、したがって、端末側の時間領域リソース決定装置７０が該ターゲットタイムスロットズレを決定する必要があるだけでなく、基地局も該ターゲットタイムスロットズレを知るべきであることが理解できる。両者がターゲットタイムスロットズレに対応するターゲット時間領域リソース位置で正常なデータ伝送を行うために、基地局とターゲットタイムスロット決定ユニット７０４が決定したターゲットタイムスロットズレは一致するべきである。したがって、基地局側も、端末側と同じ方法でターゲットタイムスロットズレを計算すべきであり、これは、基地局がターゲットタイムスロット決定ユニット７０４と同様の基準を採用して現在の帯域幅パートリソース切り替えが属する切り替えシーンを決定し、同じ切り替えシーンと切り替え時間長との間のマッピング関係を記憶する（例えば、基地局も表３を記憶する）必要があり、また、基地局は端末性能などを知る必要がある。
【０１５２】
ターゲットタイムスロットズレを決定した後、端末は、ターゲットタイムスロットズレに対応するターゲット時間領域リソース位置で基地局とデータ伝送を行ってもよい。ターゲットタイムスロットズレは、上りターゲットタイムスロットズレおよび／または下りターゲットタイムスロットズレを含んでもよいことが理解されるべきである。ターゲットタイムスロット決定ユニット７０４で決定されたターゲットタイムスロットズレが下りターゲット伝送データであると仮定すると、端末は、対応するターゲットタイムスロットズレで基地局から送信されたデータを受信してもよく、ターゲットタイムスロット決定ユニット７０４が決定したターゲットタイムスロットズレが上りターゲットタイムスロットズレである場合、端末は、対応するターゲットタイムスロットズレで基地局にデータを送信してもよい。
【０１５３】
時間領域リソース決定装置７０が端末に配備されている場合、時間領域リソース決定装置７０における時間領域リソース決定装置７０、切り替え決定ユニット７０２およびターゲットタイムスロット決定ユニット７０４の機能はいずれも端末のプロセッサによって実現されてもよい。一方、指示検出ユニット７００の機能は、端末のプロセッサと通信ユニットとによって共同で実現されてもよい。
【０１５４】
本発明実施例に係る時間領域リソース決定装置では、端末側の時間領域リソース決定装置は、元帯域幅パートリソースとターゲット帯域幅リソースに基づいて現在の切り替えに必要な切り替えタイムスロット数を決定し、ひいてはターゲットタイムスロットズレを計算することができるため、基地局は、帯域幅パートリソース切り替えのために、時間領域リソース割り当てテーブルに、切り替え専用指示行をわざわざ設定する必要はなく、したがって、時間領域リソース割り当てテーブルに専用指示行を設定することで時間領域リソース割り当てテーブルが他の伝送の指示情報に対する運びに影響を与えることを回避する。関連態様において、時間領域リソース割り当てテーブルにおいて常時切り替え専用指示行を設定する必要があるため、帯域幅パートリソース切り替えが必要でないシーンで時間領域リソース割り当てテーブルのスペースを浪費する問題も回避した。これはリソースの伝送を最適化し、リソースの利用率を向上させるのに役立つ。
【０１５５】
さらに、基地局は、時間領域リソース割り当てテーブルを構成する際に、端末が帯域幅パートリソース切り替えを行う切り替え時間長に構成された伝送タイムスロットが満足するか否かを気にする必要がないため、時間領域リソース割り当てテーブルの構成作業をより簡単にすることができる。
【０１５６】
実施例５
本実施例は、１つ以上のプロセッサによる読み取り、コンパイルおよび実行が可能な１つ以上のコンピュータプログラムを記憶してもよい記憶媒体を提供し、本実施例では、該記憶媒体は、時間領域リソース割り当てプログラムと時間領域リソース決定プログラムのうちの少なくとも１つを記憶してもよく、時間領域リソース割り当てプログラムは、１つ以上のプロセッサによって実行可能であり、上記の実施例１と実施例２で紹介したいずれかの時間領域リソース割り当て方法のステップを実現する。時間領域リソース決定プログラムは、１つ以上のプロセッサによって実行可能であり、上記の実施例１と実施例２で紹介したいずれかの時間領域リソース決定方法のステップを実現する。
【０１５７】
本実施例は、基地局をさらに提供し、図９に示す基地局のハードウェア構造模式図を参照してください。
【０１５８】
基地局９は、第１プロセッサ９１と、第１メモリ９２と、第１通信装置９３と、第１通信バス９４とを含む。第１通信バス９４は、第１メモリ９２および第１通信装置９３と、第１プロセッサ９１との通信接続をそれぞれ実現することに用いられる。
【０１５９】
第１メモリ９２は、前記時間領域リソース割り当てプログラムが記憶されている記憶媒体であってもよく、第１プロセッサ９１は、第１メモリ９２に記憶されている時間領域リソース割り当てプログラムを読み取り、コンパイルして実行し、第１通信装置９３の協力の下で、実施例１と実施例２で紹介したいずれかの時間領域リソース割り当て方法を実施するステップを実現してもよい。
【０１６０】
端末とデータ伝送を行う帯域幅パートリソースの帯域幅パートリソース切り替えを行う必要があると決定した場合、第１プロセッサ９１は切り替え後に伝送に用いられるターゲット帯域幅パートリソースを決定し、第１通信装置９３を、切り替え前に使用した元帯域幅パートリソースでターゲット帯域幅パートリソースインデックス識別を含む伝送指示情報を端末に送信するように制御する。伝送指示情報におけるインデックス識別は、端末に、ターゲット帯域幅パートリソースを決定させ、ターゲット帯域幅パートリソースと元帯域幅パートリソースに基づいて今回の帯域幅パートリソース切り替えに必要な切り替えタイムスロット数を決定させてもよく、同時に、伝送指示情報には時間領域リソース割り当て指示情報がさらに含まれており、端末は、該時間領域リソース割り当て指示情報に基づいて基地局９によって指定された基本タイムスロットズレを決定し、そして切り替えタイムスロット数と関連すると、ターゲット帯域幅パートリソースを採用してデータ伝送を行うターゲットタイムスロットズレを決定してもよい。
【０１６１】
基地局９の第１プロセッサ９１が時間領域リソース割り当てプログラムを実行して時間領域リソース割り当て方法を実現する具体的な詳細については、前記各実施例の紹介を参照し、ここでは説明を省略する。
【０１６２】
本実施例は、端末をさらに提供し、図１０は端末のハードウェア構造模式図を提供する。
端末１は、第２プロセッサ１１と、第２メモリ１２と、第２通信装置１３と、第２プロセッサ１１と第２メモリ１２、第２プロセッサ１１と第２通信装置１３を接続するための第２通信バス１４とを含む。
【０１６３】
ここで、第２メモリ１２は、前述した時間領域リソース決定プログラムが記憶されている記憶媒体であってもよい。第２プロセッサ１１は、第２メモリ１２に記憶されている時間領域リソース決定プログラムを読み取り、コンパイルして実行することにより、第２通信装置１３の協力の下で、実施例１と実施例２で紹介したいずれかの時間領域リソース決定方法を実施するステップを実現してもよい。
【０１６４】
第２通信装置１３は、第２プロセッサ１１の制御の下で伝送指示情報を受信してもよく、第２プロセッサ１１は、第２通信装置１３が受信した伝送指示情報に基づいて帯域幅パートリソース切り替えを行う必要があるか否かを決定してもよく、帯域幅パートリソース切り替えを行う必要があると決定した場合、第２プロセッサ１１は、伝送指示情報が運ぶインデックス識別に基づいて帯域幅パートリソース切り替え後に伝送に使用されるターゲット帯域幅パートリソースを決定し、ターゲット帯域幅パートリソースと元帯域幅パートリソースに基づいて今回の帯域幅パートリソース切り替えに必要な切り替えタイムスロット数を決定する。その後、第２プロセッサ１１は、切り替えタイムスロット数と伝送指示情報における時間領域リソース割り当て指示情報によって指定された基本タイムスロットズレに基づいて、ターゲット帯域幅パートリソースを採用してデータ伝送を行うターゲットタイムスロットズレを決定する。
【０１６５】
端末１の第２プロセッサ１１が時間領域リソース決定プログラムを実行して時間領域リソース決定方法を実現する具体的な詳細については、前記各実施例の紹介を参照し、ここでは説明を省略する。
【０１６６】
本実施例に係る基地局、端末および記憶媒体は、端末は自ら基地局が提供した情報に基づいて切り替えタイムスロット数を決定し、ひいてはターゲットタイムスロットズレを決定してもよく、時間領域リソース割り当てテーブルにおける切り替え専用指示行に依存する必要がなく、帯域幅パートリソース切り替えが時間領域リソース割り当てテーブルに対する占有を大きく低減し、時間領域リソース割り当てテーブルにおけるスペースを節約し、他の伝送の指示情報により多くの伝送機会を提供し、リソースの最適化構成の実現に有利である。
【０１６７】
当業者は、本出願の各実施例に係る時間領域リソース割り当て方法、装置、時間領域リソース決定方法、装置、および基地局、端末、記憶媒体が、５Ｇ通信システムだけでなく、将来のいずれかの通信システムにも適用してもよいことを理解すべきである。
【０１６８】
当業者であれば、前記本発明実施例の各モジュールと各ステップは、汎用的な計算装置で実現可能であり、１つの計算装置に集中してもよいか、あるいは、複数の計算装置からなるネットワークに分布してもよく、好ましくは、計算装置における実行可能なプログラムコードで実現可能であるため、コンピュータ記憶媒体（ＲＯＭ／ＲＡＭ、磁器ディスク、光ディスク）に記憶されて計算装置により実行してもよく、且ついくつかの状況では、ここで示すか又は説明したステップとは異なる順序で実行してもよく、あるいは、それぞれ集積回路のモジュールにし、あるいは、それらの複数のモジュール又はステップを単体の集積回路のモジュールにして実現する。このため、本出願は特定のハードウェアとソフトウェアの組み合わせに制限されない。
【０１６９】
以上の内容は、具体的な実施形態に関連して本発明実施例についてさらに詳細に説明したものであり、本出願の具体的な実施はこれらの説明に限定されると考えることはできない。当業者にとっては、本出願の構想を逸脱することなく、いくつかの簡単な推論または代替を行ってもよく、いずれも本出願の保護範囲に属するものとみなすべきである。
【手続補正２】
【補正対象書類名】図面
【補正対象項目名】全図
【補正方法】変更
【補正の内容】
【図１】
2021521731.tif 000029
【図２】
2021521731.tif 000030
【図３】
2021521731.tif 000031
【図４】
2021521731.tif 000032
【図５】
2021521731.tif 000033
【図６】
2021521731.tif 000034
【図７】
2021521731.tif 000035
【図８】
2021521731.tif 000036
【図９】
2021521731.tif 000037
【図１０】
2021521731.tif 000038
【国際調査報告】
2021521731.tif 000039
2021521731.tif 000040
2021521731.tif 000041
2021521731.tif 000042